(57)【特許請求の範囲】
【請求項１】
熱帯雨林型環境情報に対する人間の脳基幹部の活性化特性に基づいて熱帯雨林型環境を設定する手段を、都市空間と居住空間と生活空間とのうちの少なくとも１つを含む所定の空間に配置することにより、当該空間を実質的に熱帯雨林型環境に設定し、人間の脳基幹部を活性化して人間の脳に優しい環境を実現する環境設定装置であって、
上記熱帯雨林型環境情報は、知覚限界内の情報のみによって構成される知覚可能な第１の知覚情報と、上記知覚限界を超える情報によって構成される第２の知覚情報とをともに含む超知覚情報であって、
上記超知覚情報は、
所定の可知覚帯域と、知覚限界を超える帯域とがともに存在する聴覚情報の密度を有し、当該聴覚情報の密度とパワーの構造を示すスペクトルの形状が、所定の時間長で定常的である上記第１の知覚情報の聴覚情報に比較して、非定常的に変容する複雑性を有する聴覚情報と、
視覚刺激密度が所定の最小弁別閾視力を超える視覚情報の密度を有し、当該視覚情報の知覚限界内の情報に係るフラクタル次元に比較して大きなフラクタル次元を有する複雑性とを有する視覚情報との少なくとも１つを有し、
上記設定する手段は上記熱帯雨林型環境情報を人間に印加することにより、当該人間の脳深部及び関連するモノアミン作動性神経投射系からなる感性脳である報酬神経系を活性化させるとともに、上記報酬神経系と、視床下部及び脳幹からなる生体制御系とを一体化して活動させることにより、当該人間を実質的に熱帯雨林型環境に設定し、その脳基幹部を活性化して人間の脳に優しい環境を実現することを特徴とする環境設定装置。
【請求項２】
上記設定する手段は、上記熱帯雨林型環境情報を、マトリックス配位法により配置された複数のスピーカと、視覚情報呈示装置とのうちの少なくとも１つを用いて再生することを特徴とする請求項１記載の環境設定装置。
【請求項３】
上記人間の脳に優しい環境は、人間にとって快適で過剰なストレスの無い環境であることを特徴とする請求項１又は２記載の環境設定装置。
【請求項４】
上記熱帯雨林型環境情報は、人間の脳に優しい環境を実現することにより、ストレスに起因する病気の予防と治療に有効に機能させるための環境情報であることを特徴とする請求項１乃至３のうちのいずれか１つに記載の環境設定装置。
【発明の詳細な説明】
【技術分野】
【０００１】
本発明は、人間にとって快適な環境を実現するために都市を再生するための環境設定方法及び装置並びに環境設定のための情報に関する。
【背景技術】
【０００２】
従来、本発明者らは、特許文献３及び４において、「可聴周波数範囲を超える所定の最大周波数までの第１の周波数範囲の周波数を有しかつ１０ｋＨｚを超える第２の周波数範囲においてミクロな時間領域で変化する非定常である音を発生し、上記音のうちの上記可聴周波数範囲の音を人間の聴覚に対して印加するとともに、上記音のうちの上記可聴周波数範囲を超える周波数範囲を有する音を人間に対して印加することにより人間の脳血流を増大させることを特徴とする音発生方法及び装置」を提案しており、これにより、ハイパーソニック効果を得ることができ、人間の緊張をとき、人間をリラックスさせることができる。それゆえ、ストレスを解消させることができ、こころの快適性を高めることができ、からだの健康を良好に維持することができるという特有の効果を奏している。
【０００３】
【特許文献１】日本国特許公開平成３年２１０２７４号公報。
【特許文献２】日本国実用新案公開平成７年０２２７４９号公報。
【特許文献３】日本国特許公開平成９年３１３６１０号公報。
【特許文献４】日本国特許公開２００３年２２３１７４号公報。
【特許文献５】日本国特許公開２００３年１７７７４４号公報。
【特許文献６】日本国特許公開２００３年１９５８５６号公報。
【発明の開示】
【発明が解決しようとする課題】
【０００４】
しかしながら、ただ単に、特許文献３及び４において提案された音を発生することだけでは、常時人間にとって快適な環境を実現しておらず、根本的な解決手段となっていないという問題点があった。
【０００５】
本発明の目的は以上の問題点を解決し、従来技術に比較して、都市空間と居住空間と生活空間とを含む空間を人間にとってより快適な環境に実現することができる環境設定方法及び装置並びに環境設定のための情報を提供することにある。
【課題を解決するための手段】
【０００６】
第１の発明に係る環境設定方法は、熱帯雨林型環境情報に対する人間の脳基幹部の活性化特性に基づいて熱帯雨林型環境を設定する手段を、都市空間と居住空間と生活空間とのうちの少なくとも１つを含む所定の空間に配置することにより、当該空間を実質的に熱帯雨林型環境に設定し、人間の脳基幹部を活性化して人間の脳に優しい環境を実現することを特徴とする。
【０００７】
上記環境設定方法において、上記熱帯雨林型環境情報は、都市空間型環境情報に比較して高い密度を有しかつ高い複雑性を有する。ここで、上記熱帯雨林型環境情報は、聴覚情報と、視覚情報と、空気振動の超知覚情報のうちの少なくとも１つを含む。また、上記熱帯雨林型環境情報は、知覚可能な情報とともに知覚限界を超える情報によって構成される感覚情報である超知覚情報である。ここで、上記設定する手段は、上記熱帯雨林型環境情報を、マトリックス配位法により配置された複数のスピーカと、視覚情報呈示装置とのうちの少なくとも１つを用いて再生することを特徴とする。また、上記人間の脳に優しい環境は、人間にとって快適で過剰なストレスの無い環境である。さらに、上記熱帯雨林型環境情報は、人間の脳に優しい環境を実現することにより、ストレスに起因する病気の予防と治療に有効に機能させるための環境情報である。
【０００８】
第２の発明に係る環境設定装置は、熱帯雨林型環境情報に対する人間の脳基幹部の活性化特性に基づいて熱帯雨林型環境を設定する手段を、都市空間と居住空間と生活空間とのうちの少なくとも１つを含む所定の空間に配置することにより、当該空間を実質的に熱帯雨林型環境に設定し、人間の脳基幹部を活性化して人間の脳に優しい環境を実現することを特徴とする。
【０００９】
上記環境設定装置において、上記熱帯雨林型環境情報は、都市空間型環境情報に比較して高い密度を有しかつ高い複雑性を有する。ここで、上記熱帯雨林型環境情報は、聴覚情報と、視覚情報と、空気振動の超知覚情報のうちの少なくとも１つを含む。また、上記熱帯雨林型環境情報は、知覚可能な情報とともに知覚限界を超える情報によって構成される感覚情報である超知覚情報である。ここで、上記設定する手段は、上記熱帯雨林型環境情報を、マトリックス配位法により配置された複数のスピーカと、視覚情報呈示装置とのうちの少なくとも１つを用いて再生することを特徴とする。また、上記人間の脳に優しい環境は、人間にとって快適で過剰なストレスの無い環境である。さらに、上記熱帯雨林型環境情報は、人間の脳に優しい環境を実現することにより、ストレスに起因する病気の予防と治療に有効に機能させるための環境情報である。
【００１０】
第３の発明に係る環境設定のための情報は、熱帯雨林型環境情報に対する人間の脳基幹部の活性化特性に基づいて熱帯雨林型環境を設定する手段を、都市空間と居住空間と生活空間とのうちの少なくとも１つを含む所定の空間に配置することにより、当該空間を実質的に熱帯雨林型環境に設定し、人間の脳基幹部を活性化して人間の脳に優しい環境を実現することを特徴とする。
【００１１】
上記環境設定のための情報において、上記熱帯雨林型環境情報は、都市空間型環境情報に比較して高い密度を有しかつ高い複雑性を有する。ここで、上記熱帯雨林型環境情報は、聴覚情報と、視覚情報と、空気振動の超知覚情報のうちの少なくとも１つを含む。また、上記熱帯雨林型環境情報は、知覚可能な情報とともに知覚限界を超える情報によって構成される感覚情報である超知覚情報である。ここで、上記設定する手段は、上記熱帯雨林型環境情報を、マトリックス配位法により配置された複数のスピーカと、視覚情報呈示装置とのうちの少なくとも１つを用いて再生することを特徴とする。また、上記人間の脳に優しい環境は、人間にとって快適で過剰なストレスの無い環境である。さらに、上記熱帯雨林型環境情報は、人間の脳に優しい環境を実現することにより、ストレスに起因する病気の予防と治療に有効に機能させるための環境情報である。
【発明の効果】
【００１２】
従って、本発明によれば、熱帯雨林型環境情報に対する人間の脳基幹部の活性化特性に基づいて熱帯雨林型環境を設定する手段を、都市空間と居住空間と生活空間とのうちの少なくとも１つを含む所定の空間に配置することにより、当該空間を実質的に熱帯雨林型環境に設定し、人間の脳基幹部を活性化して人間の脳に優しい環境を実現する。それ故、従来技術に比較して、当該空間を人間にとってより快適な環境に実現することができる。これにより、当該空間において人間へのストレスを大幅に解消させることができ、こころの快適性をさらに高めることができ、からだの健康を良好に維持することができる。また、上記熱帯雨林型環境情報は、人間の脳に優しい環境を実現することにより、ストレスに起因する現代病などの病気の予防と治療に有効に機能させるための環境情報であり、現代病などの病気の予防と治療を行うことができる。
【発明を実施するための最良の形態】
【００１３】
以下、本発明に係る環境設定方法および装置並びに環境設定のための情報、具体的には、都市再生方法および装置並びに都市再生のための情報に関わる「音と文明」の実施形態について図面を参照して説明する。なお、同様の構成要素については同一の符号を付している。
【００１４】
＜１−１＞知覚圏外の音．
＜１−１−１＞聴こえない音を狩る道具．
１．環境から私たちに到来するメッセージの中には、ある種の栄養素や毒物がそうであるように、感覚では捉えられないのに生命に決定的な作用を及ぼすものがある。
【００１５】
ＭＥスペクトルアレイが初めて描き出した尺八やガムランの音のミクロな構造やその変容も、それがどのようなものかを意識で捉え言葉で描写することができない。ところが、たとえば楽器をとり換えたり演奏者を代えてそうした構造を変化させると、それは音の味わいの違いとして感じられてくる。また、スペクトルの複雑なゆらぎを電子的に平坦にすると、やはり音の質は違って感じられる。つまり、ミクロな領域に現れる知覚を超えた構造や変容を本発明者らが何らかのメッセージとして感じとり、反応していることは、否定できない。
【００１６】
これを音の環境学が導いた「音楽は時間的に連続して変容する非定常な情報構造をとる」というモデルからみると、「連続して変容する情報構造」の肝心の部分がミクロで不可視の領域の中に暗黙のメッセージとして姿を隠していることになる。本発明者らは、己れの棲む文明がこれまで無視し、あるいは忘却してきたこの知覚圏外のメッセージの存在と効果をあらためて掘り起こしていくことにした。
【００１７】
ここで、暗黙性から明白性に至るメッセージの違いに対する人間の応答のありようを簡単に整理しておこう。もっとも暗黙性が深いであろうメッセージ、たとえば気配のようなものに対して、本発明者らは、情報の媒体もわからないままそれを〈察知〉することがある。もうすこし暗黙性がうすれて媒体が音か光か念頭に浮かぶ程度になると、それを〈感知〉することだろう。メッセージを担う使者がどの感覚を窓口にして語りかけているかが明瞭になってくると、本発明者らはそれらに対して〈知覚〉というかなりはっきりした反応を呈するようになる。その中でもメッセージが言葉で描写できるまでに明示的な時、それは〈意識〉するものになる。もちろん察知・感知・知覚・意識という暗黙明白の度合の違いは連続していて、はっきりした切れ目はない。この中で知覚と意識とは〈認知〉の枠組に重なる。
【００１８】
マイケル・ポラニーは、「知覚は暗黙知の最も貧しい形式を演じる」という。これを音楽を符号化し記録しようとする場合にあてはめて考えると、ポラニーの発言は、知覚できる限りの音を忠実に符号化すれば、暗黙性の情報をとり逃がすことがないであろうことを言外に支持している。たしかに、意識でき言語記号化できる構造だけを描写する五線譜による符号化はこの点でまったく不備だった。それに対して、知覚できる限りの音の構造をほとんど完璧に符号化し、万全の体制をもってその記録再生を可能にしたのが、ＰＣＭ方式によって符号化されたビット配列を搭載するＣＤ（コンパクト・ディスク）に他ならない。これは、人間に音として聴こえる空気振動の全周波数領域２０Ｈｚないし２０ｋＨｚをゆとりをもってカバーするよう、標本化周波数４４．１ｋＨｚ、量子化ビット数１６ビットでデジタル変換し、符号列に記述している。つまり、ＣＤは、知覚できる音のすべてを精密に描写した「楽譜の一種」と考えることが可能な媒体なのである。ポラニーの言に依らずとも、こうしたＣＤは、明白、暗黙の両次元にわたって音を捉え切っているに違いない。暗黙知の概念とはかかわりなく、現代社会はそれを信じた。
【００１９】
しかし、ＣＤの実用化が惹き起こしたＬＰ―ＣＤ論争とかスタジオ・ミュージシァンやエンジニアたちがデジタルオーディオ機器に示した負の反応がもしもまったくのたわごとでないならば、ポラニーの考え方と違って、知覚できる音のすべてを符号化したＣＤにもなお捉え切れない暗黙の次元が存在する可能性を否定し去ることができなくなる。ＣＤという音の媒体をめぐって私たちが出逢ってきたいくつかの事象や体験は、知覚領域外の空気振動の中にも人間に影響を及ぼす暗黙的構造が潜む可能性について吟味することを求めているのではないだろうか。これを「可聴域を超える高周波成分が人間に及ぼす影響」という切り口で自分流に捉えると、それは音の料理人でもある大橋力にとって確固たる自明の体験の中にある。たとえばそれは、暗黙の森の中に潜む獲物の気配であり、狩人にとっては、次にはそれを狩り立てることが手順となることに何の不自然もない。１９８０年代の後半、大橋力は仲間たちとともに、この不可視の獲物を追いつめ、捕えることに邁進する「音の狩人」になっていた。
【００２０】
２．知覚圏外の音の狩りに旅立とうとした時、眼前に立ち塞がったのは、この未知の獲物を狩る不可欠の道具のいくつもが、この世に存在していないという現実だった。
まず、空気振動を電気振動に変換するマイクロフォンに深刻な問題があった。さまざまな事象から発生する空気振動を、聴こえるか聴こえないかにかかわらず十全に捉えようとすると、その応答周波数の上限を１００ｋＨｚ以上まで確保したマイクロフォンが必要になることが過去の知見から推定された。しかし、マイクロフォンは元来「聴こえる音」を電気信号に変換すればよいものだから、当時スタジオ録音用として開発された最高級のマイクロフォンでも、人類の可聴域の上限となる２０ｋＨｚを超える成分に対して忠実な応答を考慮していないのは当然だった。それらは当初から、本発明者らの検討対象になりえない。ただし、研究用であれば、たとえば物体の破壊とか爆発の振動を計測する必要から、人間には音として聴こえない空気振動を拾うマイクロフォンが存在し、デンマークや日本のメーカーが製造していた。ところが、これらには別の限界があった。それらは、音楽を念頭においていないために、ノイズや音質の面でとうてい感性にかかわる音を収録できるものではない。また、極限的な性能を引きだすため、制約された条件下でなければ安全に使えない代物だった。たとえば熱帯雨林やバリ島の庭園のような高温多湿になりやすい環境では、振動板上の結露がスパークを起こし、再起不能の致命傷を負ってしまう。しかし、他に代替できるものがないために、電子回路を改造して信号対雑音比（ＳＮ比）を向上させたり、結露防止の方法を工夫したりして、そして最終的には現場での運用技術、つまり職人の技によって、これを使いこなすこととなった。
【００２１】
次の関門になる録音機の仕様も、可聴域上限とされる２０ｋＨｚ前後までの応答を示せば、一級の業務用機器として通用していた。すべてアナログテープレコーダーの時代である。この性能は問題にならないのでＮＡＧＲＡ製のレコーダーを改造して、４０ｋＨｚくらいまでの応答を平坦にした。しかし、多くの楽器音や環境音がその周波数上限をこえ、限界が明らかになった。データ記録用のレコーダーの中に、６０ｋＨｚに及ぶ応答特性をもつものが開発されたが、実際に音をとってみると、なおその周波数上限には限界があった。もちろん、この間策定されたＤＡＴ（デジタルオーディオテープ）の国際規格は周波数上限２４ｋＨｚで、本発明者らの研究目的にはとうてい適合しなかった。一方で本発明者らは、信号構造の解析をはじめとする研究遂行上の必要に迫られて、Ｄ‐ＲＡＭを記録媒体とする５００ｋＨｚ標本化１６ビット量子化のデジタル信号処理システムを構築したりもした。しかしそれは大型の複雑な装置系であるうえに、わずか２分１２秒にして記録容量が尽きるものだった。
【００２２】
この非常に困難をきわめたデータ記録の問題を一挙に解決したのが、信号処理の天才、山崎芳男早稲田大学教授による高速標本化一ビット量子化アナログ＝デジタル変換方式の発明だった。この信号処理方式の存在は、パイオニア株式会社の山本武夫副社長（当時）から教示をいただき、そのご紹介によって、山崎教授から、まず小型で可搬性のきわめて優秀なシステムを造っていただいた。これは、ＤＣから１００ｋＨｚまでマイナス３ｄＢという周波数応答を示し、それまでのあらゆるオーディオ信号レコーダーの概念を覆すものとして完成した。この第１号機を起点にして次々に開発していただいた山崎教授の実に美しい音色をもった数々のレコーダーによって本発明者らの研究は一気に加速し、軌道に乗ることができた。
【００２３】
記録の次の関門は、音響分析である。ここでも、オーディオ用スペクトル分析機がすべて２０ｋＨｚを限界としている点でマイクロフォンやレコーダーと同じ問題があった。そして、その問題への対応は、すくなくとも当初は、マイクロフォンやレコーダーよりもさらに困難を極め、ほとんど悲惨な状況を呈した。本発明者らが対象にしつつある音たちの成分が実際どのあたりの周波数にまで及んでいるのかまったく見当がつかない。研究システム全体の仕様を決めていくうえでも、どうしても１００ｋＨｚくらいまでは分析したい。しかしそれは、１９８０年代当初の音響分析の世界では狂気の沙汰以外の何物でもなかったろう。もちろんそれを可能にする機器の片鱗もない。
【００２４】
そこで、音響学以外の可能な限りの他分野にわたって、１００ｋＨｚまでのＦＦＴ解析が行われていないかを探索した。その結果、音とはまったくかかわりのない気象観測の先端領域にレーザーレーダーを使う技術があり、その中で１００ｋＨｚに及ぶＦＦＴ解析が行われていることがわかった。さらに、その解析ソフトウェアが、筑波研究学園都市に所在する気象庁気象研究所（当時）のメインフレームに搭載されていることをつきとめた。そこで、八方手をつくして、そして見知らぬ方がたのご好意によって、本発明者らの音のデータを、おそらくは非公式的にこのメインフレームにわり込ませ、ＦＦＴにかけることができた。その結果は、本発明者らが実際に接している音の中には可聴域上限をはるかにこえる超高周波域にまで及ぶ成分がすくなからず存在し、実験科学的にそれらを対象にするうえでは、周波数の解析は、常に１００ｋＨｚ程度までは視野に入れておかなければ安全とはいえないという判断を導いた。しかし、一体どこにそのようなＦＦＴ分析機があるのだろうか。
【００２５】
このやっかいな事態は、日本の有力な計測器メーカー〈小野測器〉から、救いの神のように１００ｋＨｚまで解析が可能な自動ＦＦＴアナライザーが発売されたことで曙光をえた。ご縁のある東京大学の山崎弘郎教授（当時）の研究室にこの機器が導入され、これを時々拝借することで事態は大きく前進した。とはいうものの、この救いの神は８０キログラムという人間の体重としてもかなりな重量級であったため、これを日本人としても小柄な女性の研究者たちが東京から筑波まで電車で手運びするといった相当に悲壮な事態にも出合っている。しかし、やがてより小型高性能の機材が登場して事情は好転した。
【００２６】
次の段階として、さまざまな音を被験者に呈示するための再生系を構築しなければならない。特に、この研究が１００ｋＨｚまでの高周波成分を視野に入れるとすると、そこまでの電気信号を空気振動に変換するための非常に高性能のスピーカーシステムや、それを駆動する優秀なアンプリファイア類が必要となる。本来は非常に困難であるべきこの課題は、個々のパーツのほとんどすべてを市販の高級オーディオ用部材の中から調達することでとりあえずのり切ることができた。その背景は、絶頂期のＬＰがその溝に刻み込んでいた１００ｋＨｚになんなんとする信号が、再生系をいかに向上させようとそれでも汲み尽くせぬひびきの含蓄を秘めていたことにある。そのため、高級オーディオの分野で開発された公式的な技術仕様からするとあまりにも過剰品質であるはずの部品やシステムが、実際に使ってみると理論的には考えられない音質向上をもたらす。結果的にみると、厳密には力不足かもしれないが実用的には、本発明者らの実験に耐えるレベルの機材や部材がオーディオ市場に蓄積していたのである。ただし、超高周波を再生するためのスピーカーユニットについてはあまりにも課題が大きく、ダイアモンドを気化させてドーム型に再結晶させるという荒技でようやく解決をみた。
【００２７】
むしろ既存の再生系についての最大の衝撃は、音響学の分野で高周波成分が音質差を導く状態を調べる目的で使われている「正統的」な回路の構成だった。それは、音源となる原電気信号をふたつに分岐させ、一方はそのまま、一方は一定の特性をもったローパスフィルター（定められた値よりも高い周波数成分をカットする作用をもつ電子回路）を通過させるように構成されている。これによって全帯域成分を含む信号と高周波成分だけを除いた成分とがつくれるので、被験者にわからない状態でそれぞれを切り換えながら聴かせ、それが音質差として感じ取られたか否かを質問紙上に答えてもらい、統計処理にかけるのである。
【００２８】
本発明者らは、最初に、この方法に従って豊富な高周波を含むいくつかの音源について実験を行い、素朴なレベルではあるが、２０ｋＨｚ以上の高周波の有無が聴き分けられていることを支持する結果をえた。この時、大橋力自身が遮断周波数を任意に選択できるフィルターを使って、いわば音の料理人風に直観的に音質差を味わってみたところ、２０ｋＨｚや３０ｋＨｚはもちろん、５０ｋＨｚをこえる高周波をカットしても、それは音質差を感じさせた。
【００２９】
大橋力自身のそうした体験も背景にして、萌芽的ながら十分それに値すると判断した私は、１９８４年この実験結果を日本でもっとも権威ある音響学の学会で発表することにした。大学院の学生が行ったその講演発表は、科学ジャーナリズムから高い注目を浴びる一方、２２ｋＨｚ以上の成分をカットするフォーマットで市場化されたＣＤの関係者をはじめ、当時のＰＣＭデジタルオーディオ関係者の反撥を、当然のことながら激しく浴びた。
【００３０】
もちろん、正統的な聴覚関係の研究者の中に、真摯に関心を払う人びとも存在した。そうした人びととの論議の中で、世界中で使われ、ここでも採用されている正統的な回路、すなわち、ローパスフィルターを通ったハイカット信号とそれを通さず単なる銅線を通ってきたフルレンジ信号とを切り換え、以後は同一の再生系を通し、出てきた再生音を聴き較べるという公定方式への疑義が浮上した。
【００３１】
フィルター回路はいかに単純に造っても複数の素子からなる電子的回路を構成しなければならない。それは遮断の対象にならなかったフラットであるべき周波数領域に、単なる銅線と比較すれば無視できない特性の凹凸をもつことを原理的に避けられない。また周波数成分によって回路を通過する速度が不均質化する〈群遅延特性〉も無視できない。さらに、フィルター回路以後のアンプやスピーカーの中で、それを通過する互いに異なる周波数成分間の相互作用によって〈非線型歪み（ＩＭ歪み）〉が発生する可能性があり、それが回路を通過する信号の成分の差によって等しくなくなることを避けられない。そして、この三つはいずれも、音質の違いの原因となりうる。つまり、このようなフィルター回路を通った信号と、それを通らず単なる銅線を直行してきた信号との間には、実験目的として設定した周波数成分の差以外にそれとは無関係な原因群による信号の差が現れることを避けられず、それが音質の違いを導かないという保証は、まったくないのである。
【００３２】
このような性格をもった現行の正統的なシステムでは、そこに音質差が検知されなかった場合には問題はないけれども、もし音質差が検出された場合、その音の違いが問題とする周波数成分の差によるのか、フィルターの平坦性の限界によるのか、群遅延の差によるのか、あるいは非線型歪みの差によるのか、何人にもわからない。恐らく実際には、これらが協調したものになるだろう。大橋力自身が周波数可変フィルターでどこへ遮断周波数を動かしても音質差を感じとってしまったのは、単に周波数成分の差を聴き分けていたのではなかったのかもしれない。
【００３３】
ちなみに、音の料理人としての本発明者らは、スタジオやオーディオルームの中で、信号を運ぶケーブルの種類を換えただけで音質が無視できない変化をすることを承知しており、その選択に注意している。しかし、ケーブル間の音質差に較べて、複雑なフィルター回路と単なる銅線との間に発生する音質差の方がより小さいとは考え難いのではないだろうか。このように考えると、現在なお正統的であるのかもしれないこの回路モデルは、音質差が検知されない場合にのみ有効性を主張できるたいへん独特なものであり、論理上の欠陥をもつものという批判を躱すのは困難だろう。
【００３４】
このことを生命科学者としての訓練を受けた大橋力からみると、現代生物学の実験モデルとしては、この回路構成のロジックはアカデミックには恐らく承認され難いレベルにあるかもしれない。そこでこの論理上の欠陥を回避できる回路モデルを構成できないか検討した。これについては江川三郎、芝崎功の両オーディオ評論家から良いヒントをいただき、先の論理上の欠陥をすべて回避しうる〈バイチャンネル再生系〉と名付けたシステムを構成することができた。その骨子は、原再生電気信号をまず可聴域成分と超可聴域高周波成分とに分け、それぞれをスイッチでオン／オフできるようにしたうえで、双方を完全に独立させて空気振動にまで再生するように回路をつくるところにある。その上で両方のスイッチをオンにすればすべての成分を含むフルレンジ音、可聴域成分のスイッチだけをオンにすればハイカット音、超可聴域成分のスイッチだけをオンにすればローカット音（聴こえない高周波）を再生できる。この回路では、現行の正統的な回路のもつ音源からスピーカーに至る経路内の先に挙げた論理上の不備は、すべて解消されている（ただし、空間的に離れたスピーカーから放出された空気振動間に相互作用が発生し音質に影響を及ぼす可能性は残るので、実験条件の設定に注意を要する）。このようにして骨格を確立した再生系は、その後折をみては強化と再開発が計られ続けた。特に重要なその発展として、静的にだけでなく動的にも通常のシステムよりも忠実度が高く、鋭敏強力であり、音質も優れたスピーカーシステム〈オオハシモニター（ＯＯＨＡＳＨＩ  ＭＯＮＩＴＯＲ）〉シリーズの開発、ＤＶＤを媒体としＳＡＣＤフォーマットを使って特別な仕様を設定して１００ｋＨｚをこえる信号のパッケージ化を実現したプレイヤーの開発、これらを統合し本発明者らの研究をほぼ全面的に追試可能にしたオーセンティック・ハイパーソニック・オーディオ・システムの構築と公開などがある。
【００３５】
３．続く課題として、知覚圏外の音が人間に及ぼす影響を検出する実験モデルを構築しなければならない。１９８０年前後、ＰＣＭ方式によるデジタルオーディオの実用化に先だって、どの周波数までの高周波成分が音質に影響を及ぼすかを評価する実験が日本を中心にしていくつも行われた。その中には、日ごろ２０ｋＨｚ以上の超高周波成分の効果を認めそれを活用しているスタジオ・エンジニアたちを含む被験者群を使った厳密性の高い大規模な実験があった。世界的に権威を認められることになったその実験の結果は、音楽の中の高周波成分の有無が人間に音質差として検知されうる限界は１４ｋＨｚ止まりであり、１６ｋＨｚ以上の高周波成分の有無は人間には音質の差として感じられないというものだった。同じ目的のもとにドイツで行われたホワイトノイズの高域を段階的に遮断して呈示する実験からは、１０ｋＨｚ以上の高周波成分の有無は音質差に何の影響も及ぼさないことが示された。これらが、デジタルオーディオにおける標本化周波数の規格（３２ｋＨｚ、４４．１ｋＨｚ、４８ｋＨｚ）の根拠になっている。
【００３６】
これらの実験およびその結果と、それを背景にした専門研究者たちの姿勢は、実験の被験者となったとりわけ優れた感覚をもつ一部の真摯なスタジオ・エンジニアに対してその鋭敏な感覚を事実に反して否定するという作用を及ぼした。その結果、忍び難い悩みにつき落とされ体調を崩すといったまったく不当で深刻な悲しむべき事例さえ導いている。そうした状況に身近に接していた大橋力は、実験データが権威ある理論に裏付けられ、十分に整備された実験から導かれた知見であることを承知していながら、この鉄壁の権威に疑義を呈しそれを実験的に検証しようとすることにほとんどためらいを感じることはなかった。なぜなら、音の料理人としての発明者、〈山城祥二〉にとっては、２０ｋＨｚはおろか５０ｋＨｚをこえ１００ｋＨｚになんなんとする「知覚圏外の音」が己れに固有の味創りのエッセンスになっているのだから、非言語性の内観として、それは自明の真実に他ならない。同時にそれは、ある種の感覚感性をもつスタジオ・エンジニアやミュージシァンたちとの間で「以心伝心」で共有された体験知でもあった。次に、この山城祥二と同じ生命体の中に棲む科学者大橋力から見ると、これほど自明な体験的事実を現行の研究手法が検出できないならば、それは、研究手法それ自体の限界の存在を視野に入れ、その克服を計らなければならないことを意味する。
【００３７】
こうした課題にアプローチするには、既存の手法とはできるだけ距離の大きい別の原理にのっとった複数の手法を総合的に結びつけて包囲網を作り、獲物を確実に追い込む作戦が有効となる。それは、高度に専門化し単機能化を深めている学問の通念としては困難かもしれないが、たまたま音の料理人と自然科学者とが一個人の中に融合している大橋力固有の状態からの出発ならば、成り立つ可能性はゼロとはいえないと考えた。
【００３８】
このスタンスに立って、知覚圏外の音が人間に及ぼす影響を捉える研究の手はじめとして、現行の心理学的手法とはまったく異なる切り口を新たに開くことにし、当時ほとんど未着手だった生理学的手法に注目した。その対象として、音を受容しその味わいを導き出す装置「脳」に勝るものはない。幸運なことに、人類史上初めて、本発明者らはさまざまな非侵襲脳機能解析手法を利用できる機会を得つつあった。いくつかの手法は、それぞれ違った切り口から脳の活性を描き出すことに道を開いている。これらを適切に組み合わせると、すこし前の時代には想像もできなかったほどの価値ある知見を手にすることも夢ではない。
【００３９】
ただし、これらの手法のほとんどすべてが元来、医療目的のために開発されたもので、大方は莫大な設備投資を必要とするうえに、音を呈示したりその音を聴取する際に計測機器や手法それ自体が障害となるような性質をもつものもすくなくない。しかも、測定時に無視できないネガティブな心理的情動的バイアスを被験者に与える恐れをもっている。つまり、こうした既存の方法は、病気や生理的異常の発見など医療目的の用途には有効であっても、本発明者らがこれまでその精妙さのゆえに検出できずにいる知覚圏外の音の応答に迫ろうとする目的のためにそのまま使用することは難しい。あわせて、実験場所・機会・頻度なども著しく限定される。ことに、新しい研究を始めた時訪れる〈探索的研究〉の段階では、できるだけ多数の実験を幅広く行うこと、そして頻繁に統計処理をほどこさなければならないことを配慮する必要がある。そこで、この探索的研究に達した生理的指標として何があるのかを模索した。その結果、既成技術の根本的見直しと二、三の問題点を克服することを前提にすれば、脳活動の指標としてよく知られた頭皮上の電位のゆらぎ、すなわち脳波（ＥＥＧ）を捉える方法の再構築を行うことがもっとも有望であろうという結論に達した。
【００４０】
脳波の研究史では、まず〈自発脳波〉が注目され、α波（＝αリズム：８〜１３Ｈｚ）、β波（１３〜３０Ｈｚ）、θ波（４〜８Ｈｚ）、δ波（１〜４Ｈｚ）などの周波数帯域別に分析することが古くから行われてきた。その後、〈誘発脳波（ＥＰ）〉への注目がたかまり、最近ではそれをより発展させた〈事象関連電位（ＥＲＰ）〉の応用が盛んになっている。これらの方法がもつ音質評価指標としての有効性を考えると、単発刺激に対する一過性の反応を検出する誘発電位系の方法の適合性は、環境音あるいは音楽など、長時間連続して聴取される音現象と人間の脳との調和を評価するこの研究の目的に対して決して高くはない。まとまった時間連続して入力する環境情報に対する心身の反応をトータルに把握しようとするこの研究の目的には、より不安定で計測・分析が困難なものではあるが、脳の「基底状態」を反映する自発脳波の方が指標としてより妥当といえる。とくに、覚醒状態下での平安感・快適性あるいは集中性などの指標としてよく知られているだけでなく不快な音によって抑制されることも周知されているα波は、指標の候補として注目される。そこで、このα帯域の電気的活性を脳と情報環境との適合性の指標とする作業仮説を次のように構成して、脳波による生体影響評価法の開発を進めた。
【００４１】
誘発脳波の研究では、「刺激＝反射」モデルに基づき、ある情報入力に対する反射的出力として脳電位活性を捉える。一方、自発脳波については、入力＝出力関係で捉えるモデル化は明確にはなされていない。しかし、実態は、誘発脳波の発想に近い入力＝出力関係で捉える考え方が暗黙裡に支配的な状態にある。それをあえていえば、「α波は初期条件としては発生しておらず、なんらかの情報入力のレスポンスとして出現する」という考え方である。この発想は、音の影響を脳波を指標として評価しようとするとき、「無音状態」をスタンダードとし、そこになんらかの音が呈示されたとき脳波にどのようにパワーが出力してくるかを測る、という方法の中に描き出されている。
【００４２】
しかし、このモデルでスタンダードとする無音状態とは、人類またはその祖先の大型類人猿が森林性の環境の中で進化したとすると、その過程を通じて、例外としてもほとんど遭遇することのない生物学的にはきわめて特異な音環境といわなければならない。それは、人類の遺伝子を育んだ「本来の音環境」ともっとも隔たりのある音環境の一典型といえよう。従って、無音状態は人類にとって異常な負の刺激としてきわめて強く作用する可能性が高い。そこで、これをスタンダードあるいはコントロールとする現在の通念に同調することは危険と考えた。
【００４３】
人類の遺伝子を育んだ本来の環境と推定される熱帯雨林では、環境音がきわめて豊かである。つまり人間と音との適合性を評価する際の音環境のスタンダードは、無音よりは、熱帯雨林型の情報構造をもつ豊かな音環境とする方が妥当性が高い。そこで、「本来―適応モデル」を援用して、α波の活性を「脳の本来の状態」または「ストレスフリー状態」の指標として位置づけ、元来、相当なレベルで常時発生しているとするひとつの作業仮説を導いた。すなわち、人類がその本来の環境の中で、適応反応がもっともすくなく本来の生命活性がもっとも高度に実現している平安な状況下においてストレスは最少レベルに低下し、α波はその活性をもっとも高める。本来からの乖離にあわせてストレスが発生し、あるいは増大し、適応の高度化を促すとともにそれに対応してα波の活性が低下すると考える。このようにα波が〈本来性〉の指標であるならば、環境が本来からずれてストレスを生む情報的な要因が現れた場合、脳波α波のパワーは抑制されるはずである。このことを視野に入れると、従来の脳波測定法がα波の出現を抑制するような情報環境要因を排除する措置をとっていたかどうかが新しい問題として浮上してくる。
【００４４】
脳波計測は、わずかの例外を除いて、医療機関というそれ自体心理的に負のバイアスを伴いやすい環境内で行われてきた。ことに脳波は、微弱な電気現象で外来の電磁誘導ノイズの影響を受けやすいため、高感度でＳ／Ｎ比の低い機材が使われていた時代の名残りもあって、電磁シールド化され密室化した十分に脅迫的な雰囲気をもつ専用の検査室に被験者をおき、目を閉じて視覚を遮断し、体動を禁じて測定を行うことが推奨されてきた。そうでない場合でも、検査室内の医療目的のしつらえや調度のつくる環境は、普通の人びとの心には不安や恐怖をかきたてずにはおかない。もちろん、疾病の指標となる異常脳波の検出やきわめて短時間の反射的な誘発脳波反応の観察のためには、こうした測定環境はほとんど結果に影響を及ぼさないだろう。しかし、快適性や心理的平安を反映して持続的に出現する自発脳波α波を観察する場合、被験者にとって不安やストレスの原因になる測定環境は、それ自体が結果に影響を及ぼし、その発現に対して抑制的に働く。そこで、たまたま大橋力の職場が筑波から首都圏内の国立の大学共同利用機関に移ったのを契機に、この問題を小さくできるような実験環境をあらためて構築することにした。この設計と施工は、英国のアビーロード・スタジオや日本ビクター・青山スタジオなどの傑作を築いてきた世界最高峰のスタジオ設計家豊島政実教授によって進められ、大成功を収めた。
【００４５】
ここではなによりも、被験者が心理的ストレスを大きく被らない構造・機能を重視した。たとえば通常の音響実験室が音をしめ出すことを優先して視覚的にも完全な遮蔽状態をつくるのに対して、この実験室では遮音処理をした二重ガラス窓を屋外に向けて大きくとり、自然光と外界の視覚像を確保した。内装は木質系を基本とした自然指向のデザインに仕上げ、室内各所に自然を描いた環境絵画や観葉植物などを配した。さらに、スピーカー以外の実験機器のすべてを視野外におくと同時に、ケーブル類はピット内に納め、視覚的連想が実験を意識させる度合を減じるように努めた。加えて、できるだけ多様な音響空間をシミュレートでき、しかもひびきの美しさと自然性を失わないために、部屋の壁面の材質を変化させることによって音響特性を制御する新しい方式を開発した。壁面を回転式の三角柱で構成し、その三つの面を三種類の異なる音響特性をもつ素材、すなわち密度の高い大理石、桜材、吸音素材＋ジャージクロスで外装した。この三角柱を１本ずつ回転することで、ナチュラルな部屋のデザインを確保しながら響きの美しい多種多様の音響空間を創り出すことが可能になった。
【００４６】
被験者から脳波を導出する方法も見直した。病院の検査室などで一般的に見られる煩瑣で不快な手順自体、音楽のポジティブな効果を帳消しにしてなお余りあるほどの負の情動作用をもたらす。そこで、すでに電極を取り付けてあるキャップを被り、多チャンネルの脳波データを被験者のポケットに入れた小型のトランスミッターからＦＭ多重送信によりワイアレスで送ることのできるシステムを造った。これによって、素早く電極をセットし、被験者がケーブルに拘束されずに自在に行動しながら計測に臨むことを可能にした。
【００４７】
脳波を指標とする実験で最後に立ちはだかってくるのは、データの安定性、信頼性を高めることがきわめて難しいという性質である。脳波計は、マイクロボルトレベルの頭皮上の電位のゆらぎをすべて脳波として拾う。しかしそこには、筋肉が動くときに発生するケタ違いに強力な電位が混ざり込む可能性が常につきまとっている。また、計器がすべてをα波として計量する８Ｈｚから１３Ｈｚのゆらぎ成分の中にランダム性の雑音が混入しているかもしれない。さらに、頭皮上の局所に原因不明の電位のゆらぎが起こり、異常な状態にあるのかもしれない。ふつうはあまり考慮されないこうした可能性をすべてチェックし資格審査に合格する脳波でなければ、知覚圏外の音への反応といった特にデリケートな実験の指標にはなりえないだろう。
【００４８】
この点で厳密を期し、信頼性を高めるために、データ解析に当って、通常はそのように厳格に行われることのない複数の厳重な関門をもうけてチェックした。まず、データを多チャンネルでとり〈時間波型〉を監視してノイズに汚染されていないかを確認する。次に、各電極ごとの電位データをＦＦＴにかけて、注目する周波数ポイントごとにノイズ成分から独立したピークを形成しているかを確かめる。さらに、全チャンネルのデータの単位時間ごとのＦＦＴをもとに頭皮全体の脳波等電位地図（Ｂｒａｉｎ  Ｅｌｅｃｔｒｉｃａｌ  Ａｃｔｉｖｉｔｙ  Ｍａｐ＝ＢＥＡＭ）を描かせ、頭皮上の電位分布が異常でないかを確かめる。これらのすべてについて問題がなかった場合、前記のＢＥＡＭに基づいて頭皮上の特定領域からのα波パワーの時間積分値を計算し、α波パワーの数量化データを得る。これを個人差を相殺するようノーマライズした上で、相当数の被験者からのデータを統計解析にかけるのである。このような処置によって、脳波データは飛躍的に安定性と信頼性を高めた。それは脳波がもっともめざましい力を示す時間解像度の高さと相まって、本発明者らの研究を成功に導く決定的な役割を果たすことになった。
【００４９】
脳波による探索的研究は、知覚圏外の高周波が導く生理反応の独特な時間特性について、きわめて価値ある発見を導いた。ただし、脳波は時間解像力に優れている反面、空間解像力はきわめて低い。ところが、脳機能研究は、脳内の臓器レベルでの空間的な機能の局在をつきとめなければ決め手を欠き、はなはだもの足りない知見に甘んじなければならない。これを現在もっとも適切に行いうる手法はｆＭＲＩとＰＥＴをもって頂点とする。この中の機能的磁気共鳴画像法（ｆＭＲＩ）は、しかし、強大な磁力をインパルス的に発生させるために、被験者が入るスキャナ自体が巨大なスピーカーのように振動し、耳を聾せんばかりの騒音を発生させる場合があって、音の研究にははなはだ適性に欠ける。陽電子放射断層画像法（ＰＥＴ）にはそれほどのノイズは伴わないので音の実験には適性が高い。しかしこれは放射性同位元素を使用するので、同一被験者を短い期間内にくり返し実験に参加を求めることができない。そのため、十分慎重に構築された実験計画にのっとって、何年かにわたって事を運ぶ必要がある。
【００５０】
本発明者らのこの実験は、前例がないうえに固有の問題点がはなはだ多いものとなった。そうした作戦計画の中で、一般的な手法から出発して比較的円滑に有効性を発揮できたのは、心理学・行動学的実験、そして血流中の生理活性物質の分析である。とはいえ、それらはいずれも、非常に苦心の多かった生理実験から得られた応答の時間的非対称性を核とするユニークな知見を当初から前提にすることで成り立ったものなので、実験条件それ自体を見ると、それぞれの元来の手法からは、大きくへだたったところをもっている。
【００５１】
このように、本発明者らの知覚圏外の音への狩りは、単一の専門分野から一方向に向かって追跡するのではなく、さまざまな分野から手段や方略を糾合して包囲網をつくり、獲物を確実に追い込むという戦略のもとに進められた。
【００５２】
４．最後に、決定的な課題として、人間のもつ暗黙の感受性を叩き出す衝撃となる強大な超高周波のパワーを含んだ空気振動をつくる刺戟音源の準備について触れなければならない。ここには、ちょうど核物理学で加速器が素粒子やイオンのビームをどれだけ加速し、粒子の衝突時に注入されるエネルギーをどれだけ高めうるかが実験の稔りを左右するのとよく似た構造がある。しかも人間という生命を支配する自然性や文化性という重要なコード体系にも、ぬかりなく適切な配慮をはらわなければならない。
【００５３】
そのような条件を満たすために、自然と伝統を高度に確保した文化圏の中から、人類との親和性について歴史的な実績をもつ音楽を構成してきた音源に注目し、フィールドワークを中心に地球規模で素材を二十数年間にわたって探索収集した（本発明者らのこの収集成果の一部は、民族音楽の国際的なコレクションＣＤのひとつ《ＪＶＣワールドサウンズ》中に、約５０タイトル収録され、市販されている）。
【００５４】
数十の音楽文化圏についてのかなり多数にのぼる素材探索の中から、本発明者らの実験目的に打ってつけのひとつの楽曲を選び出すことができた。それは、バリ島のガムラン音楽の一形式、〈ガムラン・スマルプグリンガン〉で演奏された楽曲、『ガンバン・クタ』である。その曲は全長約２００秒間という本発明者らの実験にとって理想的な長さをもち、自然な流れの中にくり返し聴いても飽きのこない構成の妙もある。そして、バリ島のガムラン音楽としてはマイルドな楽曲でありながら、全曲にわたって、他に例を見ないすさまじいばかりの超高周波成分を満ちあふれさせている。ＦＦＴで見るその全曲の平均パワースペクトルは５０ｋＨｚに達する（図１）。この平均値がいかなる意味をもつかは、同じ曲をピアノで演奏した場合、それが１０ｋＨｚ前後に及ぶにすぎないことからもわかる。さらに、ミクロな時間領域の構造をＭＥスペクトルアレイで見ると、周波数の上限は頻繁に１００ｋＨｚをこえるうえ、全体として複雑なアナログ構造が激しく変容をし続けている（図２）。
【００５５】
この非定常なゆらぎ構造は、その後の検討で、本発明者らの研究に使う音源として必須なものであることがわかった。というのは、この超高周波成分を、平均パワースペクトルを等しくしたゆらぎのない定常性の帯域雑音に入れ換えたり、周期性の正弦波に変えると、その効果を喪い、あるいは負の効果を導くからである。
【００５６】
この楽曲をバリ島で現地録音して日本に運び、もう一方でできるかぎり周到に準備してきた実験環境にそれを展開した時、当初は不可能と思われていたブレークスルーが始まったのである。
【００５７】
＜１−１−２＞初めての必須情報〈ハイパーソニックエフェクト〉の発見．
知覚圏外の超高周波音の効果を追う狩りの最初の、しかし決定的価値をもった獲物が、脳波α波（αリズム）を指標とする生理実験から得られた。そのデータは、バリ島のガムラン音楽を聴く実験の中で、脳波計測が得意とする脳活性の変遷を高度な時間分解能で捉える切り口から導かれた。ガムランの非定常なゆらぎに満ちた知覚圏外の超高周波を豊かに含むフルレンジ音と、そこから２６ｋＨｚ以上の超高周波成分だけを除いたハイカット音（図３および図４）とを切り換えて聴く時、脳波α波パワーを全被験者について積算した値が、フルレンジ音でより大きくハイカット音でより小さく現れたのである。この実験について個々の被験者が辿ったα波パワーの推移を２０秒きざみで細かく観察したところ、呈示音の切り換えとα波の活性の増減のタイミングがずれているかのような傾向がしばしば見られた。そこで、この実験の被験者１１人のノーマライズ（個人差を相殺する処理）したα波パワーを単位時間ごとに平均し、それを時間軸に沿って列べてみたところ、これまで何人にも想像できなかったであろう経過が浮上した。それは実に意表を突くものであったと同時に、本発明者らの研究に決定的な幸運をもたらすものとなった。
【００５８】
そこに現れてきたのは、まず、超高周波を含むフルレンジ音によってα波の活性は顕著に高まるのだけれども、その値が〈高い水準〉に達するまでに、数秒から十数秒間を要するという事実だった（図５乃至図１０：超高周波を含むハイパーソニックエフェクトによるハイパーソニックサウンドの導く生理、心理、行動反応）。のちに脳波をＭＥスペクトルアレイ法で詳しく解析した結果、α波の活性は、呈示音の到着直後に一旦低下したのち、平均約７秒間程度の遅延を経て高い値に向かうという経過を辿ることが見出された。次に、こうしてα波が高い値に達してから高周波成分だけを除外してハイカット音に移行すると、α波のパワーの平均値はそのまま高いレベルを保ちつつ約１００秒間近く残留したのち急激に低下して〈低い水準〉に落ち着くことがわかった。そこで、脳波活性変動のこのような遅延や残留の影響をできるだけ小さくするよう音を呈示し始めてから１００秒間の値を計算の対象から外し、それ以後の安定した値だけを対象にして統計処理を行ったところ、有意性が認められる水準（ｐ＜０．０５）で、フルレンジ音を聴くときの方がハイカット音を聴くときよりもα波のパワーが高まることが見出された。
【００５９】
この実験は、可聴域上限をこえ人間に音として聴こえない超高周波成分を含む音が、その超高周波成分を除いた音よりも脳波α波の活性を高めること、すなわち人間の脳に影響を及ぼしているという事実を統計的な有意差に裏付けられて初めてはっきりと示した。その意義は、いうまでもなく量り知れない。それに劣らぬ大きな獲物は、こうして導かれたα波パワーの増強という脳活性の変化がその刺激となる音が呈示され始めてから数秒ないし十数秒間遅れて現れ、刺激が終わったあと６０秒から１００秒間も残留するというまったく予想もしなかった事実である。この事実を発見した時、これまで何人も予想しなかっただろう音と人を結ぶ未開の次元が豁然として本発明者らの前に姿を顕したことを覚り、歓びと感動を禁じることができなかった。
【００６０】
この現象は、聴覚の生理学・心理学の基盤をゆるがさずにはおかない。というのは、人間の聴覚系は視覚系よりもずっと鋭い時間分解能をもっていて、入口の蝸牛神経から一次聴覚野まで、およそ９ミリ秒ほどで情報が届いてしまう。ここで本発明者らが初めて見出した音の違いによって脳波α波の活性が数秒から１００秒ものスケールで遅延や残留を伴いながら変化するという現象は、聴覚神経系についての一般的な知識や理論では、説明の手がかりが与えられない。この遅延残留現象の発見は、のちに、鉄壁の権威を誇る既存の心理実験法に潜んでいた陥穽をあばき出すことにつながる。
【００６１】
探索的実験として高度に成功したα波の活性変化における遅延と残留の発見を前提にすることで、次の段階として、空間解像度を高めた脳機能解析実験がその有効性を期待させるところとなった。この実験は、ＰＥＴ（陽電子放射断層画像法）を使って脳波解析と並行して行われ、これも聴覚生理学の守備範囲をほとんど完全に乗り超える想像を絶する結果を導いた。
【００６２】
ＰＥＴは、放射性同位元素を用いて脳の各部分の血流量（局所脳血流）を断層画像化する。神経細胞の活動とその部位の脳血流が並行する性質を利用して、脳全体を対象として神経活動の程度を高い空間解像度で調べることができる。ただし、ごく短い半減期をもつ放射性同位元素をその場で造って直ちに被験者に投与しなければならないため、そうした核種を造るサイクロトロンを含む大規模な設備と、高度な知識と技術を具えた多数のスタッフを要する。そこで京都大学脳病態生理学講座（当時）の柴崎浩教授、福井医科大学高エネルギー医学研究センターの米倉義晴教授のグループと共同して研究を行った。この時、並行して脳波も計測した。なお、脳波を指標にして行った実験と同じ発想で、ＰＥＴ測定室の環境を許される限り快適化した。
【００６３】
その実験現場の構成は、サイクロトロンを運用する核物理学実験の専門家、得られた核種（この場合１５Ｏ）から投与用化学物質（この場合Ｈ２１５Ｏ）を造る合成化学の専門家、ＰＥＴスキャナーを操作する専門技術者、同位元素の投与をはじめ被験者への対応を担当する医師兼実験者、実験の進行を監視し条件設定と制御に当る医師兼実験者、データの収集とリアルタイム解析に当る医師兼実験者らがセクションによっては複数参画し、［ＰＥＴスキャン・ユニット］というべきひとつのまとまりをつくる。それに対してさらに、呈示音の送り出し、再生状態のモニター、脳波計測系のセッティング、脳波データの監視と収集、ＰＥＴスキャンとの連動管理などに当る［音の呈示および脳波計測ユニット］が加わり、全体としてかなり複雑性の高いシステムが構築された。
【００６４】
システムに並んで大きな負担となるのが、被験者の確保である。被験者１名当り年間に投与する放射活性の総量は、安全性を万全に確保するため、自然界から微量に浴びる放射線総量と大差のないレベル内に抑えられなければならない。この規制によって実験の回数がきびしく制限されるため、同一被験者群を使って相当数の実験を行い統計処理にかけるという手順を踏むことがきわめて困難となる。本発明者らは、ゆとりをみて１２名の健常者を母集団とする被験者群を編成し、それを３年間にわたり確保して、統計処理が可能になるデータを集めることができた。
【００６５】
この実験で使った音源は、本発明者らのスタンダードとなるバリ島のガムラン音楽『ガンバン・クタ』で、それを２２ｋＨｚ以上の聴こえない超高周波成分とそれ以下の可聴域成分とに分けたうえで、この両者が共存する音、可聴成分だけの音、聴こえない超高周波だけの音そして音のない暗騒音という四つの音の条件に対して脳がどう反応するかを調べた。
【００６６】
この実験は、呈示される音の違いに対応して脳のさまざまな部位の脳血流量が変化し、脳の活動が変化することを示した。当時から予想されたところとほとんど変わらない反応として、音楽が聴こえる条件のとき（超高周波成分と可聴音とが共存する音および可聴音が呈示された時）には、音楽の聴こえない超高周波成分単独が呈示されたときおよび暗騒音条件に較べて、聴覚神経系が集まる側頭葉が活性化された。
【００６７】
次に、超高周波を含む音を聴くときと超高周波を除いた音を聴くときの間で活性に違いが現れる脳の部位を探してみると、脳のもっとも深部に位置するふたつの領域で、統計的に有意な活性の差が見出された。その部位はそれぞれ〈脳幹〉と〈左視床〉とに属する。ただし、それらの部位は、聴覚神経系の中継点となっている〈下丘〉や〈内側膝状体〉とは一致しない。つまり、聴覚系に属する領域では、超高周波成分のあるかないかによって神経活動に変化は認められず、脳幹と視床の中で超高周波を含む音に対して特異的な反応を示した神経回路は聴覚系とは異なる。この脳幹と視床に現れた活性の上昇が、ガムラン音に超高周波成分が含まれていることの効果となる。
【００６８】
ところが、ここで活性上昇の元となった超高周波成分だけを単独で呈示した実験では、それを可聴音とともに呈示したとき見られた脳幹と視床の活性化はまったく認められない。従って、可聴域の音楽成分とそれをこえる知覚圏外の超高周波成分とが共存する場合にだけ、独特の効果が現れていることになる。なおくわしく調べると、脳幹と視床ではともに、音楽のない暗騒音の時に較べても超高周波を含む音を呈示しているときの方が活性が上昇している一方、きわめて注目すべきことに、超高周波を除いたときの時、音楽のない暗騒音の時よりもこれらの部位の活性が低下していた。
【００６９】
さらに、脳全体から記録した膨大な血流データを主成分分析をもちいて解析し、呈示される音の違いに対応して互いに関連し合いながらまとまって活動する神経回路の全体像を抽出することを試みた。その結果、まず、もっとも大きな活性の変化を示す第一主成分として側頭葉の聴覚野皮質を含む神経回路が予想どおり抽出された。その次に大きな変化を示す第二主成分として、脳幹と視床・視床下部を中心に前頭葉眼窩部を経由して前帯状回および前頭前野へと拡がる神経回路、すなわち〈脳基幹部ネットワーク〉とともに頭頂葉楔前部が抽出されるという注目すべき知見が得られた（図６）。前者は古典的な聴覚系神経回路に、後者は脳の深部を拠点として大脳辺縁系や大脳皮質へと投射する情動系神経回路、特に、本発明者らが提唱している＜感性脳＞にあわせて、生体制御を統括する〈生命脳〉に、よく対応している。
【００７０】
可聴域上限をこえる超高周波成分を豊富に含む音の導くこのような効果は、しかし、超高周波成分単独では現れてこない。また、可聴域成分だけではむしろそれらの領域の神経活動が抑制される。このように、ＰＥＴによる局所脳血流の計測は、予想を超える刺戟に満ちた含蓄にあふれる知見をもたらした。
【００７１】
音楽が呈示されているとき活性化した聴覚野皮質は、音の情報処理を担う聴覚系の一部として古典的によく知られている。本発明者らの実験の中で、この部位は、可聴域成分が存在するとき、つまり音楽さえ聴こえていれば、超高周波成分があってもなくても同じように神経活動が上昇していた。一方、音楽に超高周波成分が含まれているときだけ神経活動が活発化した脳基幹部に含まれる領域では、超高周波成分を除いた音楽だけのときには、神経活動はむしろ低下している。つまり、これらの領域は、古典的な聴覚系とは違った仕方で働いていたのである。
【００７２】
超高周波を含む音による活性化が見出された上部脳幹（中脳）には、モノアミン作働性神経投射系やオピオイド作働性神経系など、広く〈報酬系〉と呼ばれる「快感と美の反応」にかかわる神経ネットワークの拠点となる神経細胞集団が集中している。それらは、快感の発生に密接に関係する他、広く情動反応一般の発生や調節に重要な役割を果たす。麻薬や覚醒剤のような精神変容性の化学物質がモノアミン作働性神経系やオピオイド作働性神経系に働きかけてその効果を発揮すること、それが作用する中心的な部位のひとつが脳幹であることも知られている。ここで抽出された脳基幹部ネットワークを報酬系として見ると、食や性を含むもっとも基礎的な生理的情動の座である中脳、愛や喜びなどポジティブな感情の座となる前帯状回、そしてもっとも高次な美と感動の座、前頭前野が連関して活性化されており、絶妙のプロポーションを見せる点が注目される。
【００７３】
視床は、ほとんどすべての感覚情報がここを経由して処理される他、脳の内部および外部を結ぶさまざまな情報伝達の重要な中継拠点となっている。また、大脳辺縁系の要素でもあり、コカインのような精神変容性化学物質の影響も及ぶことから、情動にも深くかかわっているものと考えられる。
【００７４】
視床下部は自律神経系の最高中枢であると同時に、内分泌系を制御する脳下垂体を直接支配し、免疫系とも密接に連携しながら体内環境の恒常性（ホメオスタシス）を維持している環境変動対処活性の座である。同時に摂食，飲水，体温，睡眠，性行動など生存に欠かすことのできないさまざまな行動の中枢も集まっていることから、〈生命脳〉と呼ばれるほど重視されている。
【００７５】
このように、聴こえない超高周波を含む音が脳幹・視床・視床下部を含む脳基幹部領域の神経活動を活発化させることは、知覚圏外の音を重要な側面としてもつ音情報が感性や情動にかかわると同時に、生命活動それ自体の根幹を担う脳の神経システムの活動にも深くかかわっている可能性を強く示唆するものである。
【００７６】
なお、本発明者らが発見し２０００年および２００３年に報告したこの脳基幹部ネットワークの活性化現象は、２００１年にザトーレらによって音楽を「身ぶるいするような」応答とともに受容する脳のメカニズムとして報告されたところと、非常に高い共通性を示している。
【００７７】
２．本発明者らのＰＥＴ実験では、同時に並行して脳波を計測し、空間分解能の高い脳血流と時間分解能の高い脳電位というふたつの指標を交差させることによって信頼性を高めるとともに、知覚圏外の音が関与する潜在的な応答メカニズムを浮上させることをねらった。ここで脳波のデータそれ自体を見てみると、ＰＥＴ計測条件下でも、「超高周波成分を含んだ音楽を聴くとき」だけα波のパワーが顕著に増強された。そしてそれ以外の条件すなわち「超高周波を除いた音楽」、「聴こえない超高周波成分だけ」、あるいは「音を呈示しない暗騒音」の下ではすべてα波の増強は認められず、それ以前の本発明者らの発見を支持する結果が得られた。
【００７８】
さらに、〈局所脳血流量〉と〈脳波の帯域別パワー〉とが相関を示す部位を探索し、ここでもきわめて価値ある事実を見出すことができた。まず、脳血流が脳波α波のパワーと相関を示す領域を調べたところ、左の視床に有意な正の相関が認められた。この領域の血流量が増えると、それに比例してα波のパワーが増強するのである。しかもこの関係は、音楽の有無にかかわりなく常に存在していた。このことは、視床がα波の発生や調節に常に関与していることを示唆するとともに、α波の活性が視床の活動を高い相関のもとに反映する良好な指標になりうることを示す。しかもこの領域は、視床の中でも超高周波を含む音で脳血流が増加した領域と、ほぼ完全に重なりあっているのである。さらに脳血流データの主成分分析によって描出された第二主成分の変動がα波のパワーと並行することも明らかになった（図７）。
【００７９】
これによって、超高周波を含む音を聴くとα波が増える仕組を推定することができる。まず、視床を中心とした脳基幹部ネットワークの活動状態に対応して血流量が増減するとそれを忠実に反映してα波のパワーが増減するという一般的な関係が存在する。もう一方には、超高周波を含む音を聴くことが視床を含む脳基幹部の血流を増やすという特異的な関係がある。この一般的な関係と特異的な関係とが組み合わされて、超高周波を含む音によって脳基幹部ネットワークが活性化され、それが脳波α波の増強に反映されたものと考えられる。ということは、脳波α波の活性は、音―空気振動という入力に限らず視覚を始めとするより多様な感覚入力を使う実験においても、脳基幹部ネットワークの活動を反映する指標として活用できることになる。
【００８０】
本発明者らは、非定常なゆらぎに満ちた可聴域をこえる高周波を含む音が脳波のα波パワーを増強し、脳幹や視床を含む脳基幹部を活性化させるこれらの生理的反応の発見を、これと並行して発見した心理的反応とあわせて〈ハイパーソニックエフェクト〉と命名し、あわせてこの効果を導く音を＜ハイパーソニックサウンド＞と名付けるとともに、この研究の詳細な報告を２０００年６月、アメリカ生理学会の論文誌ジャーナル・オブ・ニューロフィジオロジー（Ｊｏｕｒｎａｌ  ｏｆ  Ｎｅｕｒｏｐｈｙｓｉｏｌｏｇｙ）上に発表した。この論文は、小著が概成された２００３年５月時点でもなお、最新号を含む同誌掲載全論文中もっとも高頻度に読まれるベスト５０に発表以来２年以上にわたって毎月連続してランクインしており、きわめて異例の高い関心を集め続けている。そして、２００２年ころから、本発明者ら以外の研究グループによっても、自然環境音や楽器音について、ハイパーソニックエフェクトのいろいろな発現状態が本格的に検出され始めている。
【００８１】
続いて、本発明者らは、同じ実験について音楽を聴くことと脳波β波の活性、そして脳血流との関係を調べた検討からも非常に興味深くしかも有用な知見を得、これを報告した。まず、音楽がある時には、音楽がない時に較べて脳波β波のパワーが統計的有意に増強される。β波は、各種の認知活動に伴って増大するといわれるとおり、ここでも、音楽によって脳の中でなんらかの認知活動が活発化した可能性が考えられる。
【００８２】
また、脳血流と脳波β波平均ポテンシャルとが相関を示す領域を調べると、音楽のある、なしにかかわらず脳血流とβ波とが相関を示す複数の領域が両側の〈運動前野〉、〈帯状回〉などに見出された。そのうえ、音楽がある時にだけ特異的に相関を示す領域が〈頭頂葉楔前部〉に見出された。このことは、音楽あるいは恐らく森や村の自然環境音を含む連続して変容する非定常な音情報の入力によって活動のモードが変化する神経回路が脳の中に存在し、本発明者らがそうした音楽の存在を認知した状態下では、脳の情報処理のモードが固有の特異的な状態に転じていることを示唆し、その意義は小さくない。
【００８３】
脳の活動状態を推定する重要な手段の一領域として、神経活動を反映する体液内生理活性物質の存在状態を調べる方法がある。対象となる物質は、神経伝達物質とその代謝関連物質の一群、脳活動の出力を反映する内分泌関連物質群（ホルモン）そして、免疫活性も、すぐれた指標になる場合がある。精神と身体との相互関係を直接反映するこのような指標は、とりわけ都市情報環境の崩壊と都市の病理との関連性の解明や都市の再生にかかわる現実問題と直接結びつき、社会的にもゆるがせにできない。
【００８４】
この方面のアプローチは、本発明者らにとっては今後の大きな課題領域になっている。しかし、本発明者らはすでに探索的研究を進め、重要な知見を獲得し始めている。その一例を挙げよう。超高周波を含むガムラン音楽『ガンバン・クタ』を４０分間くり返し聴いた時と、そのハイカットされた音楽を同じように聴いた時との、終了後の内分泌活性ならびに免疫活性を比較した。その結果、ハイカットした可聴音の時に較べて超高周波を含むハイパーソニックサウンドのときに、がん細胞に対する抵抗勢力の主力となるＮＫ細胞の活性が統計的に有意に上昇するという見逃すことのできない重要な知見が得られている。あわせて、生体防衛活性の強さと快適度の高さを示す唾液に含まれる免疫グロブリンＡと、精神ストレス対処活性の強さを示すクロモグラニンＡがいずれも統計的有意に上昇し、ストレス指標となるアドレナリンの血中濃度が低下しており、超高周波が及ぼすポジティブな影響が全身に波及していることを裏付けている（図１０）。
【００８５】
３．ハイパーソニックエフェクトは、生理的には脳基幹部の活性化を通じて、本発明者らの躰を健やかな状態に導くとともに、感覚感性的には人を快感と美の反応に包む。この健康で快適な生存の霊薬ともいえるハイパーソニックエフェクトは、熱帯雨林や伝統的祝祭空間の音環境の中ではたえまなく発生し続けているはずである。
【００８６】
ハイパーソニックエフェクトを、本発明者らが発見するにあたってその強烈な脳刺戟効果によって決定的な役割を果たしたのは、バリ島のガムラン楽曲の響きだった。スンダ列島一帯に分布する音階を持つ青銅製の打楽器アンサンブル、ガムランはその起源を古代ドンソン文明に遡る。西欧の管弦楽よりも早期にオーケストレーションを開発していたと推定され、ジャワ島、バリ島を中心に高度に発達を遂げつつ現代に至っている。前述のとおり、本発明者らはこの膨大なガムラン音楽の中から、バリ島に伝わる〈スマルプグリンガン〉というアンサンブル形式で奏でられる器楽曲『ガンバン・クタ』を呈示音源として選んだ。
【００８７】
バリ島には、２１世紀初頭現在、約十五種のガムラン形式が伝承されている。その中心的なものとして、ジョグジャカルタやソロなど中部ジャワの宮廷からヒンドゥー文明とともに伝えられた形式の名残りの濃い〈ガムラン・ゴン・グデ〉、バリ島の王族の館を抱擁する環境音楽であるとともに舞踊の付帯音楽として発達した華やかな中にも甘美でつややかな響きを特徴とする〈ガムラン・スマルプグリンガン〉、２０世紀初頭に至って開発され、農村共同体の祝祭空間に轟く音源としてたちまち全島を風靡した〈ガムラン・ゴン・クビヤール〉がぬきん出ている。
【００８８】
中でも、スマルプグリンガンは、その典雅な音色で王侯たちのまどろみを憩いと安らぎに包み癒しをもたらす重要な役割を担った宮廷音楽の形式であり、それを演奏するための楽器セット名でもある。この種類の楽器は、音量はやや控えめながら音色はあくまでも甘くあでやかなものが求められる。その響きを生むためには、楽器の材料になる地金に貴金属を大量に融かし込み特別入念に鋳造することを惜しまない。そして、とりわけ甘く雅びな音いろを響かせることに成功しそれが人びとに認められたセットは、その名声をバリ島全土に轟かせることになる。
【００８９】
本発明者らは、現地でさまざまなガムランの響きのスペクトルを実測して、銘器の誉れ高いセットであればあるほど可聴域上限をこえる超高周波成分がより豊かに含まれているというほとんど例外のない傾向に出逢い、ただ驚くばかりだった。その頂点に立ついくつかのセットが生み出す音は、耳にはあくまでも甘くあでやかに響く一方、そのスペクトルは１００ｋＨｚをこえるほどの超高周波領域にまで強大なパワーを保って拡がっていた（図１および図２）。そしてその響きが脳基幹の活性を高めて心身を癒す効果をもっていることも、本発明者らの非侵襲脳機能計測実験から明らかになった（図５乃至図１０）。
【００９０】
つまり、ガムラン・スマルプグリンガンを育てあげたバリ島の人びとは、あたかも超広帯域自動ＦＦＴアナライザーや脳機能計測装置を躰に搭載しているがごとく、知覚圏外に拡がる超高周波空気振動をガムラン音の中に読みとり、その効果を巧みに活用し、さらにはその体験をより優れた新しい楽器の鋳造に活かしてきたことが、先端的な科学技術によって時空を超えて明らかにされたわけである。本発明者らは、日本の尺八のそれに勝るとも劣らないバリ島のガムランを育む伝統知に出逢い大きな衝撃を受けるとともに、この音の文化に畏敬の念を禁じることができなかった。
【００９１】
知覚圏外の超高周波音に対するバリ島の人びとの伝統的な感受性は、複雑な次元、巨大な密度、迅速な変容の中にある非明示的、暗黙的な響きを捉える文化コードとして尺八を育ててきた日本の音の文化と好一対をなすのではないかと思う。バリ島の人びとは、この超高周波成分の存在が単に音を快く美しく響かせるだけでなく、とりわけその超日常的に強調されたパワーを浴び続けることで、心身（実際には脳）の活性が非日常的なモードに転じ、意識変容を伴う〈トランス状態〉に導かれることを古くから承知していた。この知見のうえに、バリ島の人びとは、共同体を構成する不特定多数の中に集団的トランスを計画的に誘起させ合目的的に運用する手続きを開発し文化コードとして伝承して、祝祭や儀式の時空間を絢爛たる陶酔へと飛翔させている。
【００９２】
火山島の傾斜地を美しい棚田で埋め尽くし、精緻をきわめた潅漑手法で水を廻らせて水田農耕を営むバリ島社会にとって最大の脅威は、我田引水が惹き起こす水争い以外の何物でもない。そこで利己の抑制を伴う水利システム総体の優位の確立が何よりも尊ばれることになる。この社会構造から発生する恒常的な葛藤圧を中和し、ストレスを低下させて「地上の楽園」を現出するメカニズムが、バリ島のあの「神々と祭り」にあることは次第に明らかにされつつある。日常性をはるかに脱したこよなく強力な祭りの快感の導くエクスタシー、トランスそしてカタルシスがあってはじめて、バリ島の農村共同体は盤石の結集を実現する。祭りの構築は、バリ島最大の生存戦略に他ならない。文化人類学者クリフォード・ギアーツに衝撃を与え、かの「劇場国家」の概念を導くに至らしめたバリ島の村々を覆いつくす「多元的集合主義」の背後には、ギアーツの目には定かに捉えることができなかった水系制御と祭りに深くかかわるもうひとつの地殻構造があったことを見逃してはならない。それは、バリ島のコスモロジーを通底する「個に対するエコシステムの優位」という西欧近現代の個人主義と鋭く対立する価値観の存在と、脳機能の絶妙な制御で奇跡の集合主義を誘導するエクスタシーやトランスという快感のメカニズムである。
【００９３】
このようなバリ島で古くから、あたかも最先端の脳科学を応用したごとく、強烈な超高周波を含む音が快感とトランスを解放する鍵として活用され、個を超越したエコロジカルな社会システムを育て、その安定化と快適性向上に寄与してきた事実に驚かずにはいられない。その典型例は、バリ島の自立した村に必ず建立されているプラ・ダラム（死者の寺）のオダラン（２１０日を一巡とするバリ島固有の宗教暦ウク暦の１年ごとにめぐってくる寺の創立記念日）に執行される〈チャロナラン〉と呼ぶ劇的儀式に見られる。この儀式は古典劇として開始されるけれども途中から不特定の演技者および観客が次々に意識変容状態に入り、しばしば失神するほど強烈なトランスを集団的に発生しつつ混沌の裡に終わるという形式をもつ。それは「忘我」の中で神々、生態系、そして共同体と一体化して飛翔する魂の遊行に他ならない。
【００９４】
このような生理的心理的状態を導くために、オダランの祭りの庭にはガムランや〈テクテカン（スリットを入れた一節の大きな竹管を堅木のバチで激しく叩く楽器、およびその演奏）〉などの発する超高周波が、必須の要因として起用される。テクテカンは数十人の上半身裸の男性が発音体を一個ずつもって密集して大地に座り、それぞれの音の組み合わせが十六ビートを構成するよう激烈に叩き続けつつドラマの下座音楽を形成するもので、この楽器奏者たちは相互に至近距離からの超高周波を浴び（図１１）相当数がすさまじいトランス状態に陥る。
【００９５】
本発明者らは、この演者たちの生理状態を、儀式の開始前から終了後まで脳波（テレメトリーによる無線計測）および血液中の神経活性物質の濃度を指標として追跡する実験を試み、十数年を費やしておそらく世界で初めてこれに成功している。この一連の実験から、チャロナランの演者たちがこのパフォーマンスを通じて脳の活性を平常とは大きく異なる快感のモードに移行させることがわかった。トランス状態に陥った演者ではその程度が飛躍的に著しく、日常にはあり得ないパターンに移行することを、脳波α波、θ波、そして神経活性物質βエンドルフィン、ドーパミン、ノルアドレナリンなどの指標上で統計的有意性とともに見出している（図１２および図１３）。
【００９６】
バリ島のトランスには連鎖反応的な伝播構造がある。さまざまな祝祭芸能情報からの刺戟の集積によって脳の内部にトランス状態に入る臨界条件が整ったところで、引き金になる刺戟が与えられて一気に反応が進行し始める。その最初の引き金は「誰かひとりがトランスする」という状況の変化で、これを契機に人びとは立て続けに翔び始め、集団トランスに至る。バリ島では、儀式チャロナランをはじめいくつかのパフォーマンスで共通する集団トランスのパターンとして、こうした連鎖反応性の経緯が見られる。その中でも、〈バロン〉と呼ばれる二人立ちの大型の獅子の仮面仮装演者の前足となる〈獅子頭〉の振り手がトランスの着火装置になる場合が特異的に多い。
【００９７】
そもそも、仮面をつけた演者がトランスしやすいことについては、アジアやアフリカでは共通の現象としてその事例に事欠かない。その要因には、視野や呼吸の制限、激しい動作、超高周波音への暴露などがあり、これらは特に生理的レベルに直接影響を与えるものであることが注目される。世界のさまざまな仮面芸能についてトランス誘起の要因の有無を整理してみると、バリ島のバロンはもっとも多くの要因を集めたもののひとつに挙げることができる。
【００９８】
そこには、バリ島の人びとがトランスのしくみを経験的に究明しつくした上で、バロンの振り手をトランス着火装置として位置づけてきたことがうかがわれる。その詳細を観ると、あらゆるトランス誘起入力をこの演者に集中することによってその発火力を強化し、もっとも効果的に集団的トランスを惹き起こす導火線にしようとはかってきた伝統知の存在が浮かび上がってくる。
【００９９】
その中でも、彼らが超高周波音の脳に及ぼす効果を承知しており、それを巧みに利用してきたという推論をほとんど否認不可能にするひとつの材料として、バロン面の鈴について指摘したい。それは青銅や真鍮のインゴット（地金）を削りだして造った重く強固な鈴を十数個密集させたもので、超高周波成分が豊かな鋭い音響を盛大に発生させる。この鈴は獅子頭の内側に装備されているため観客にはその存在が見えず、その音も、ガムランやテクテカンが轟く祭りの庭にあっては獅子頭の振り手以外の何びとにも聴こえない。つまりこの鈴が他の演者や聴衆に及ぼす効果はゼロに等しく、演出装置として働いていない。しかし獅子頭を振る演者の側からすると、己の上半身をすっぽり覆った仮面仮装という容器の中で、顔前にある鈴が発生する強烈な超高周波の直撃を浴び続けることになる。つまり、この鈴はもっぱら振り手のために超高周波音を供給する仕掛け以外の何物でもなく、もっとも強力にそのトランス誘起効果が発揮される場所に音源を設置したことを意味する。実際に自分でバロンの獅子頭を被り振ってみると、そこで覚える強烈な鈴音のインパクトはたしかに只事ではない。
【０１００】
この点に注目して、本発明者らは、バロンの体腔内にある演者が受容する音響の周波数分布を実際に測定することを試みた。バリ島で実際に使われているバロン・ケッ面（内部に鈴がとりつけられたもの）を、通常おこなわれる振りの所作で振り、計測用マイクロフォンを振り手の頭面位置において音を収録して、その信号を広帯域ＦＦＴアナライザーで分析した。この測定の結果、可聴域上限の２０ｋＨｚを大きくこえ８０ｋＨｚにおよぶ超高周波がきわめて豊富に含まれていることがわかった。さらに、バロンの演技の中でしばしば行われる上下の歯を打ち合わせる所作を実行した場合には、鈴音と木を打ち合わせる音とが加算されて、スペクトルの上限は１００ｋＨｚに近づいている。
【０１０１】
これらは、振り手が顔前の至近距離から超高周波含有衝撃音の直撃を浴びていることを実証している。この音の導くハイパーソニックエフェクトは、振り手の生理的心理的状態をトランス側に誘導する大きな要因になっているに違いない。このような生命科学的メカニズムを日常の体験の中から発見し合理的に活用してきたバリ島民の直観知、洞察知とその背後にある非言語脳機能の活性は、すさまじい水準に及んでいるのではないだろうか。
【０１０２】
４．人類社会は、科学技術の明示的な所産として、エッフェル塔から宇宙ロケットに及ぶさまざまな実績を認知し、社会の通念に盛り込み、制度的教育で周知するなどの対応をとっている。ところで、それらとは限りなく隔たっているけれども、たとえば水系制御に機能する祭りとその快感の体系を築いたバリ島の村人たちの業績は、現代科学技術文明のあらゆる明示的な偉業に勝るとも劣らない人類の暗黙の叡智が築いた金字塔であるに違いない。というよりは科学技術文明の明示的な稔りを導いた言語脳モジュールの思考メカニズムとは次元を超えて複雑高度に働く非言語脳の思考メカニズムの存在を示すよい指標として、今こそ注目に値する。このようなことがらについて、現代文明は、すでに喪った解読力を甦らせ、ふさわしい評価と対応を捧げうる水準にまで、それらを復活させるべきだろう。
【０１０３】
バリ島のガムラン音が見せたＦＦＴパワースペクトルや日本の尺八のひびきが示したＭＥスペクトルアレイは、複雑な次元と巨大な密度そして迅速な変容を本質とする情報構造を人工物としての音空間の中に浮かび上がらせた。それは、人類の遺伝子を育んだ熱帯雨林の環境音の高密度と複雑性を彷彿とさせずにはおかない。ガムランや尺八を育むそれぞれの伝統文化の中では、そうした情報構造をつくり、伝え、受容し、感応する非言語脳の働きがごく自然に育っていた。しかもそれらは専門分化のような特化した手続きを必ずしも要せず社会全体に体質として浸透し、幅ひろく実現している。
【０１０４】
尺八とガムランというただふたつの実例から本発明者らが垣間見たものは、非言語脳機能全体からするとおそらく限られたものに違いない。しかし、仮にそうであったとしても、それに対する目醒めを今、迎えたばかりの本発明者らにとっては、それはすでに捉えきれないほど高く大きく聳えて見える。この活性に対する認識をどのように蘇らせ、どのように復権させたらよいのかについて、上質で強力な道筋を探らなければならない。
【０１０５】
＜１−１−３＞仮説を理論へと飛翔させる〈二次元知覚モデル〉．
１．本発明者らが進めてきた実験は、知覚圏外にあるために現存の音響学の対象外に置かれていた可聴域を超える超高周波成分を含む音が人間の躰の活性に無視できない影響を及ぼすことを明らかにした。しかし、この問題の発端は、ＬＰとＣＤとの音質の違いや超高周波成分を排除したスタジオ用デジタル機器の音質の悪さなど、いわば感覚感性（心理）反応の領域から始まっている。そして、大橋力自身の出発も、まさにそうした音質の違いの認識を起点としている。この原点をなおざりにすることはできない。この問題を攻略する機会と武器は、本発明者らの生理学的研究を軌道に乗せる最大の基盤となった脳波α波活性の計測データからもたらされた（図５）。
【０１０６】
音質の評価についてこれまで権威の砦となってきたのは音の短期記憶を対比する一対比較法である。その鉄壁の守りに致命的な欠陥があるかもしれないことを、本発明者らは脳波α波活性の変遷の中に現れた時間的な非対称性―ハイパーソニックサウンドに対する応答の遅延と残留─―という現象から覚った。本発明者らの実験で観測した脳波α波のパワーは、超高周波を含む音の呈示を始めてから数秒ないし十数秒間にわたって徐々に増加して〈高い水準〉に達し、可聴域だけの音に切り換えた後はそのレベルをある程度保ちながら百秒間程度推移した後、急激に低下して〈低い水準〉に至る。これは、α波パワーに反映される何らかの神経活動の活性水準が、超高周波を含む音によって単純ではない機構の関与のもとに画期的に高められたのち、音の呈示が終わった後も強く長く残留していることを示唆している。
【０１０７】
α波パワーは、刻々変遷する脳活性の包括的な状況を優れた時間解像度でリアルタイムに描き出す。そのレベル差に反映された神経活動の著しい変容が音質の違いを感じとる脳活動に何の関連も持たないことを支持する材料は見当らない。つまり超高周波を含むハイパーソニックサウンド・モードのときと可聴域だけのハイカットサウンド・モードのときとで脳の内部状態が変化していることは確実であり、その相違に基づいて同じ音が違う音質に聴こえたり、違う音が同じ音に聴こえたりすることがないとはいえないのである。同時に、そうした脳活性変化が遅延し残留することによって次の音刺戟の認知や評価に影響し、混乱をあたえる可能性も否定できない。
【０１０８】
従来の音響心理学実験では、音の短期記憶に高度に依存する方式の一対比較法がとられている。これは、ふたつの刺戟を〈対〉にして続けて聴き較べ、同じか違うかを答えるもので、継続時間の短い刺戟を時間的に密に連続して呈示した方が微妙な音質差を判断しやすいとされている。そのため、かつて電子通信の国際規格をとりまとめる役割を担った国際無線通信諮問委員会（ＣＣＩＲ）とその後身にあたる現在の国際電気通信連合−無線通信部門（ＩＴＵ−Ｒ）は、ヒトの短期記憶の限界を根拠に、比較に用いられる音試料は１５から２０秒以上続くべきではなく、音試料間隔は０．５〜１秒程度であるべきこと２５を推奨している。そしてこれまでの有力な実験でも、音楽で１０秒くらい、また合成音では１秒以内といったごく短い音をできるだけ時間的に接近させて呈示している。
【０１０９】
たしかに、ふたつの事象を比較する場合に、長さや距離を短くし、互いを近づけて並べることは判定をより単純明解にする有効な方法だろう。しかし、私たちの脳波の観測結果は、超高周波を含む音の呈示が脳の内部状態すなわちモードを切り換えるうえ、そのモードが入力がなくなったあと百秒間も残留することを明らかにした。そこで仮にこの脳のモードの変化が音の感じ方に影響を及ぼすとしよう。そうした仕組の中で数秒とか十数秒くらいの短い音を切り換えながら聴いていると、前に聴いた音の導く反応の蓄積の上に新しい音の反応が時差を伴って積み重なり、現在感じている心理的応答がそれ以前に呈示されたさまざまな音に対する反応と混り合ってしまう。この前歴（ヒステリシス）をキャンセルするためには、個々の刺戟の継続時間を超高周波が導く活性モードの最大残留時間百秒を超える長さにすればよい。ところが、この条件では脳の短期記憶に依存できないため検出感度や精度はずっと低下する。従って短期記憶のレベルを超えるかなり大きな音質差があって始めて、その違いが検出可能になる。本発明者らはこうした前提に立って、あえて通念を破り約二百秒間の長さをもつガンバンクタ全曲を一対にした音質評価実験を試みた。このとき、少数回の呈示のくり返しで音質差の比較を行うことが可能な〈シェッフェの一対比較法〉をモデファイして使うことにした。
【０１１０】
この方法では、短い音刺戟をもちいた従来の一対比較法に較べてよほど大きな音質の差が認識されないと明瞭な結果は出ない。ところが、実際にやってみると、十個の音質評価尺度のうち五つの評価尺度で、超高周波を含む音と可聴域だけの音との評点の差の有意性が示された（図８）。同時に、可聴域をこえる超高周波成分を含む音は、それを含まない音にくらべてより快く、興趣豊かな味わいをもって受容されることが示された。つまり、超高周波成分の有無は音質差として検出できることが、アカデミックに正統とされる手続きによって示されたといえる。これによって、それまでの音響心理学の限界を攻略する突破口を開くことができた。
【０１１１】
この実験の結果は、これまで定式化され、国際標準（たとえば前記のＩＴＵ−Ｒ）として使われている短時間の音呈示による一対比較法が無視できない不適合性を潜在させていたことを暴露する効果をもつものだった。なぜなら、それは、刺戟音の短期記憶を損なわないことにもっぱら関心を集中する一方、刺戟音の効果がその呈示時間をこえて残留する場合についてはほとんど無防備なものだからである。
【０１１２】
そこで、国際標準として広く採用されている短時間の音呈示による一対比較法を材料にして、その限界を探る実験を考えた。音試料として他の実験と同じガムラン楽曲を使い、その中の典型的な１２秒のフレーズを切り出して呈示間隔３秒を挿んで同じ音がくり返し呈示される〈試料対〉をつくる。その２０対の呈示音シークェンスを、公定法が推奨する休憩を挿んで十対ずつふたつに区分したセッションを構成した。その一方では超高周波を含む音が３対１の割合で多く出現し、もう一方では可聴域だけの音が同じく３対１の割合で多く出現する組み合わせにしてから、それぞれのサブセッション内で順序をシャッフルして公式どおり実験を行った。
【０１１３】
その結果は実に興味深い。まず、実験全体では、実際に見られた正解数の分布と偶然に起こるであろう正解の分布との間に有意差は認められず、超高周波成分の有無による音質差が知覚されていないという過去の権威ある研究と同じ結果が示された。ところが、これをサブセッション別に調べると、可聴域だけの音の出現頻度が高いサブセッションでは、音質差が聴き分けられていることが統計的に有意（ｐ＞０．０５）に示された。一方、超高周波を含む音の多いサブセッションでは、間違った回答の比率が統計的に有意に多い（ｐ＞０．００５）という非常に特異な成績が見られた。この互いに逆の傾向をもった統計的有意性のあるデータが加算によって相殺されて、実験全体では音質差が識別されないという結果を導いていた。
【０１１４】
さらに、超高周波を含む音の多いセッションで誤った回答数の分布を吟味すると、「超高周波を含む音を可聴域だけの音であると誤認した」ケースでは有意性が認められなかったのに対して、「可聴域だけの音を超高周波を含む音であると誤認した」ケースでは、その誤認の数の分布が偶然よりも有意に高い方へ偏っていた（ｐ＞０．０５）。これは、超高周波を含む音が高い頻度で呈示されている中に可聴域だけの音が呈示されると、可聴域だけの音が超高周波を含む音として知覚されやすいことを統計的に支持している。これらの結果は、ハイパーソニックエフェクトが音の呈示が終わったあとも残留持続するという本発明者らの作業仮説が的中していたことを裏付けている。可聴域をこえる高周波成分の効果が従来の正統的な方法によって検出されなかったのは、そこで採用された心理実験のモデルが実際の脳機能の複雑性、特に時間的な非対称性に対してあまりにも素朴でありすぎたことによるのではないだろうか。
【０１１５】
２．ハイパーソニックエフェクトの検出は一筋縄ではいかない。なぜなら、それをより正確に捉えようとして切り口を細かにし、耳を近づければ近づけるほど逃げ水のように遠ざかり、消えていってしまう。それはまさに、暗黙知の提唱者マイケル・ポラニーの「手放しの明晰さが複雑な事象についての本発明者らの理解をいかほど破壊できるかがわかる。包括的存在について諸細目をこまかくしらべるならば、その意味がぬぐいさられ、その存在についての本発明者らの概念は破壊されてしまう」という指摘があてはまる典型例といえよう。ところが細部に拘泥せず自然にゆったりと接していると、超高周波を切りすてた音との間に歴然たる印象の違いが浮き出てくる。その傾向は、実に不思議なことながら、実験条件の統制をゆるやかにし、呈示時間を長くするほど鮮明になる傾向を示す。
【０１１６】
ここで、本発明者らを知覚圏外の音に目醒めさせた「ＬＰとＣＤとの音の違い」に立ち還ってみよう。これを検討する絶好の材料として、本発明者らは知覚圏外の音への問題意識の発端になった作品、芸能山城組『輪廻交響楽』の同じアナログマスターから造られたＬＰとＣＤとをもち合わせている。これをできるだけ活かすことを工夫した。
【０１１７】
まず、ＬＰ、ＣＤそれぞれに含まれる信号を比較した。ＰＣＭで符号化されたＣＤの信号は、規定通り２２．０５ｋＨｚ以下の周波数領域に収まっている。ところが、ＬＰの再生信号はそのように単純にはいかない。溝をトレースして電気信号に変換するカートリッジの周波数応答が悪ければ再生信号は２０ｋＨｚにも達しない一方、優秀なカートリッジの中には１００ｋＨｚをこえる応答を示すものさえある。針先となるダイアモンドチップを植え込んだカンチレバーとそれにとりつけられた極微のコイルやマグネットそしてダンパーなどから構成された振動体は、それ自体が固有の振動特性をもち、できるだけ美しいひびきを発するよう秘技を尽くしてつくられた「楽器」以外の何物でもない。実際、カートリッジを交換して体験する再生音の変化の大きさは、ヴァイオリンに例えるならばストラディヴァリとグアルネリとの音色の差よりもはるかに大きなものになりうる。このカートリッジの機種の違いによる再生信号の違いを、『輪廻交響楽』が発売された１９８０年代を代表する三種のカートリッジについて、ＬＰの同一箇所を再生しＦＦＴスペクトルで示してみよう（図１４）。いずれも、同一箇所のＣＤの再生周波数上限を大きく上廻る超高周波領域にまで応答帯域を拡げており、そこにカートリッジの機種の違いによる応答の大きな差を顕わしている。次に、これらの中でもっとも高い周波数域まで応答を示したカートリッジを使って、『輪廻交響楽』二楽章の中でバリ島のガムランで使われる〈ゲントラック〉と呼ぶ鈴を使った部分のＦＦＴをとってみると、それは１００ｋＨｚをこえていた（図１５）。
【０１１８】
続いて、同じＬＰの中から民族楽器音や熱帯雨林の環境音を含む部分をもっとも優秀なカートリッジで再生して得たアナログ信号を高速標本化一ビット量子化によりデジタル変換して実験用の音源を造り、その同一箇所１６０秒間について、超高周波を含む音、超高周波を除外した可聴域だけの音（パワースペクトルはほとんどＣＤと同じ）、そして同じマスターからつくられた同一箇所のＣＤ音の三者を材料にして、脳波α波を指標にした生理的実験と、シェッフェの一対比較法による心理実験とを行った。
【０１１９】
まず生理的実験の結果を見ると、脳波α波のパワーがＬＰの超高周波を含む音を聴いたあと大きく上昇し、ＬＰの可聴域だけの音とＣＤ音とでは、反対に低下していた。次に、心理実験では、ＬＰの超高周波を含む音とＬＰの可聴域だけの音との間では１４項目の評価語対で有意の印象の差を示し、超高周波を含む音の方がより快く美しく感じることを示した。ＬＰの超高周波を含む音とＣＤ音との間では、７項目で有意差が認められ、そのうち６項目でＣＤ音はＬＰの可聴域だけの音と共通していた。そして、ＬＰの可聴域だけの音とＣＤ音との間には有意の音質差は検出されなかった。
【０１２０】
この生理実験と心理実験とはどちらにおいても、ＬＰの超高周波を含む音に対するＬＰの可聴域だけの音およびＣＤ音という組み合わせで、つまり超高周波成分の有無に対応して、明瞭な差異を見せる。その一方で、信号処理方式の間の違いを問うＬＰの可聴域だけの音とＣＤ音という対比の中では、明瞭な差は現れてこない。
【０１２１】
この実験は、ＬＰの音とＣＤの音との間に生理的にも心理的にも本質的な差というにふさわしい隔たりがあることを示すとともに、その違いを導く主たる原因が、可聴域をこえる超高周波成分があるか、ないかという知覚圏外の情報に支配されたものであることをかなりわかりやすく示していると思う。
【０１２２】
３．これまで見てきたように、可聴域上限をこえ音としては聴こえない超高周波成分が、それにもかかわらずすこぶる雄弁なメッセージとして私たちに語りかけてくる。それならば、このようなメッセージをうけとった人間たちは、そこに導かれる生理・心理反応を行動的な応答に反映させて然るべきなのではないだろうか。それを次のような実験で掘り起こした。
【０１２３】
これまで使ってきたガムラン音楽に加えて、この実験で新たに、超高周波を豊かに含む音を発生させるハイパーソニック・オルゴールを設計し、世界に類いないオルゴール開発技術をもつ（株）三協精機製作所と共同してプロトタイプを試作し、その音をもうひとつの音源とした。これらの録音から超高周波を含む音と可聴域だけの音とをつくり、どちらかわからないように再生しながら、被験者自身にリモートコントローラーを使ってアンプのボリュームを目盛が見えない状態で動かしちょうどよい大きさと感じられる音量に調節してもらった。（なお、予備実験によって、可聴域のパワーを同じにしたフルレンジ音とハイカット音との音量差は、誤差範囲［プラスマイナス０．１ｄＢ］以内であることが確かめられている）
【０１２４】
こうして再生される音量を積分型騒音計を使って等価騒音レベル（ｄＢＬＡｅｑ）として計量し、多数の被験者について平均して統計処理にかけた。その結果、音源がガムランであってもオルゴールであっても、被験者たちは超高周波を含む音を可聴域だけの音に較べて平均して０．５〜２ｄＢくらい大きな音量で聴こえるよう無意識ながら自発的に音量を調節していることが、統計的有意性のもとに見出された。そのうえに、超高周波成分だけを適度に（たとえばプラス６ｄＢ）増強すると、聴取レベルがそれに伴ってさらに１ｄＢ以上も、より大きくなるとともに、こうした超高周波成分の強度に並行して脳波α波が増減することが見出された（図９）。
【０１２５】
〈最適聴取レベル〉を検出し比較するこの実験は、知覚圏外にあるけれども無意識の裡に求められている要因を確保した音環境とそれを切り棄てた音環境とに対して人間が示す行動的応答の違いの予測を、実験室内でモデル化して検証できる点に重要な意味をもっている。特に、ここでより好感度を示した超高周波成分の優勢な音の構造が人類本来の熱帯雨林型の環境音に近いタイプであり、好感度の低い可聴域だけの音が、近現代文明の病理の温床になっている都市型の環境音に近いタイプであることに、注意を喚起したい。
【０１２６】
４．ハイパーソニックエフェクトは、これまでの音響学や聴覚生理学の枠組で捉えようのない特異な性格をいくつももっている。まず、人間には音としてまったく聴こえていない超高周波空気振動を含む音が、それを含まない音よりも快く美しく感じられる。本発明者らは念のため、実験に使っているガムラン音から１４ｋＨｚ以上、１８ｋＨｚ以上および２２ｋＨｚ以上の高周波成分を取り出し、それぞれを知覚することができるかどうかを２５人の被験者について調べた。すると、１４ｋＨｚ以上の高周波は２５人中２２人、１８ｋＨｚ以上の高周波は同じく２５人中１５人が存在を感知したものの、本発明者らが実験で呈示した２２ｋＨｚ以上の高周波の存在を感知しえた人は１人もいなかった。
【０１２７】
それなのに、この成分を含んでいるか除くかで音の質が違って聴こえてくる。そのとき脳波α波のパワーが増強されるけれども、それらの反応はすべて時間的な遅延や残留を伴う。さらに、そうした効果は超高周波成分単独では発生せず、可聴域の音と共存する時にだけ現れ出てくる。この時、並行して、脳深部の脳幹と視床に属する聴覚に関係のない領域の活性が高まる一方で、聴覚に直接かかわる神経領域には特に変化が認められない。このような現象はいまだかつて報告されたこともなく、音響学や聴覚生理学を含むこれまでの学問の中にそれを合理的に説明できる知識も理論もない。こうしたハイパーソニックエフェクトの全体を矛盾なく説明するためには、これまでとは大きく異なるモデルを構築しなければならない。
【０１２８】
実は、問題を心理反応に限定すると、類似の現象として、高周波成分の有無をフィルターを通過した回路と直通回路とを切り換える方法で構成した場合については、周波数成分の構成の違いとは無関係の非線形ひずみの差で音が違って聴こえるかも知れないことを指摘する「非線形ひずみ説」がある。それは、音響学の枠組の中でそうした現象を説明する有力な説として存在理由をもっている。しかし、本発明者らの使っているバイチャンネル再生系はそうした現象が発生する余地がないように設定されたものだから、この説の対象にはなりえない。さらに、ハイパーソニックサウンドへの生理的な応答に見られる神経伝達としては稀なほど大きな時間的遅延・残留を、非線形ひずみ説をはじめ過去に試みられた考え方で説明する何の手がかりもない。
【０１２９】
本発明者らの見出した現象全体を包括的に矛盾なく説明することは、既存の知識や理論の枠組に依存するだけではきわめて難しい。そうした枠組を外し、思考の素材や発想の展開方向を広く確保したうえで、改めて強力なモデルを構築する必要がある。
【０１３０】
私たちは、ハイパーソニックエフェクトの機構を説明するために、知識構造を極力、柔軟に組み換えながらモデル化を進めた。この歩みの中で、「空気振動に対する人類の応答は二次元の構造をもつ」というまったく新しい着想に基づき、この特異な現象を大きな矛盾なく説明することのできる〈二次元知覚モデル〉の構想を得ることができた。
【０１３１】
このモデルを構成する第一の次元は明示的で、可聴周波数帯域２０Ｈｚ〜２０ｋＨｚの空気振動成分に対するすでに知られているとおりの聴覚反応である。この第一の次元を構成する可聴周波数成分は古典的な聴覚神経系で処理され、〈メッセージ・キャリアー〉として作用しているものと考える。第二の次元は暗黙的で、恐らく２０ｋＨｚ付近を下限とし、上限は１００ｋＨｚあるいはそれ以上にも及ぶかもしれない非可聴域の超高周波成分に対する反応である。この成分が直接人体に導く初期の反応は何らかの経路で中枢神経系に伝達され、報酬系を含む脳幹、視床、視床下部といった脳基幹部を活性化する。つまり、第二の次元を構成する超高周波成分はこのように脳の内部状態を変化させ、その応答を快感の誘起および／または負の刺戟の緩和の方向に変調させる〈モジュレーター〉の機能を果たすと考える。
【０１３２】
ただし、超高周波成分だけが単独で入力された場合にはハイパーソニックエフェクトは発生しない。従って、報酬系の回路が単純に超高周波成分の入力によって活性化されるのではなく、何らかの可聴域音との相互作用によって機能するというメカニズムを考えなければならない。その背景として、本発明者らは、ＰＥＴ実験において発見した、脳血流が脳波β波活性と有意な正の相関を示す脳内領域に注目した。その部位は、音楽として聴こえる音を含まない超高周波成分だけ、またはベースラインとなる暗騒音条件下では前頭葉運動前野を中心とする領域に限られるのに対して、連続性の信号構造をもち音楽として聴こえる音が呈示された条件下では、超高周波を含むか含まないかにかかわらず、これに頭頂葉楔前部が加わる。この知見は、音の環境学が提案している音楽や熱帯雨林の環境音が時間的に連続して変容する情報構造を共通してもつことに特別な意味があるという考え方とよく調和する。これに基づいて、音楽や森の音のように時間的に連続して変容する情報構造をもった音が脳に入力されている時、頭頂葉楔前部の関与のもとに脳内情報処理のモードが変化し、超高周波によるモジュレーション信号を脳深部に伝達する回路のゲートが開かれ、そこを通過した超高周波成分の作用が報酬系を含む脳基幹部ネットワークに到達しそれを活性化すると考えた。これによりハイパーソニックエフェクトが導かれる仕組を大きな矛盾なく説明できる（図１９）。
【０１３３】
脳基幹部には、報酬反応すなわち快感や美の反応の発生に重要な役割を果たすモノアミン作働性神経投射系やオピオイド作働性神経系の細胞が高密度に分布している。音質評価実験の結果は、これらの部位の活性化が音知覚に対してポジティブな情動作用を惹き起こし、その暗黙の応答を明示的な音の応答のうえにかけ合わせたという解釈を可能にする。
【０１３４】
モノアミン系やオピオイドペプチド系の神経伝達物質が関与する脳の報酬系神経回路では、シナプス間隙からの伝達物質の消去が、運動神経系や聴覚神経系のように酵素反応によって瞬時に行われるわけではない。むしろ、再吸収や自然流出などを主とするために、伝達物質のシナプス間隙内の滞在時間が長くなる。そのうえ、後シナプス細胞では第二メッセンジャーと関連酵素群によるカスケード増幅で伝達物質の集積量が増大し、その作用時間がいっそう長引く。入力信号を増幅し持続させるこのような分子生物学的メカニズムの累積的な効果は、神経活動の顕著な時間的残留を導き、長い遅延を伴う過渡応答を実現することになる。こうした分子神経生理学的な解釈は、超高周波を含む音によるα波の増強作用が顕著な遅延と残留を示す事実とよく調和する。
【０１３５】
このモデルは、私たちの常用するフォン・ノイマン型デジタルコンピューターのプロトタイプとなったアラン・テューリングによる想像上の情報装置〈テューリング・マシン〉に内部構造をもたせ、アナログ系として表現したような姿をもっている。テューリング・マシンは、現在の内部状態とそこに入力される情報とによって定まる有限複数個の内部状態の間を遷移し続ける性質をもっており、それぞれの内部状態ごとに、固有の出力特性を示すよう設計されている。
【０１３６】
このテューリング・マシンとのアナロジーで私たちの二次元知覚モデルを眺めると、まず、このマシンの内部では、明示的に知覚可能な第一の次元の入力すなわち可聴域の音が連続して変容しつつ持続する情報構造をとるとき、その成分はそれ自体がメッセージとして作用すると同時に、系の内部状態を変換させ、第二の次元をなす知覚できない超高周波の作用を報酬系に伝える回路中に挿入されたゲートのモードを、閉状態から開状態に切り換える。次に、このゲートが開いた内部状態に転じた系に第二の次元を構成する超高周波成分によって励起された信号が入ってくると、それは開放されたゲートを通過して報酬系を含む脳基幹部に達し、これを活性化する。それは第一の知覚可能な次元を構成する音の印象に変調を加え、快感と美の位相を強調した状態で出力するだろう。
【０１３７】
この二次元知覚モデルは、現在までに本発明者らが見出した実験事実のすべてを、大きな矛盾なく包括的に説明することを可能にしている。
【０１３８】
６．二次元知覚モデルの回路図（図１９）は、人類の遺伝子に書かれた脳の設計図の一枚として観ることができる。これを〈脳領域間機能連関（ｉｎｔｅｒ−ａｒｅａｌ  ｆｕｎｃｔｉｏｎａｌ  ｃｏｕｐｌｉｎｇ  ｏｆ  ｂｒａｉｎ）〉の観点に立って読み解くと、それは、音の環境学の基礎にある情報環境学の骨格をなすいくつかの重要なモデル、そして音の環境学の核心となるモデルを一括して、単なる仮説から事実に基づく理論へと転じる強力な効果を顕わす。これらのモデルを生み育ててきた本発明者らにとって、それは、感動を覚えずにはいられない発見だった。
【０１３９】
まず、主成分分析法によって第１主成分として抽出された可聴音に反応する領域群―左右の聴覚野―の活性は二次元知覚モデルの第１の次元、〈メッセージ・キャリアー〉にまさしく対応し、同じく第２主成分として抽出された超高周波成分に反応する領域群―脳基幹部ネットワーク―の活性は第２の次元、〈モジュレーター〉にまさしく対応する。しかもこのふたつの群の活性は、それぞれの内部では連関しながら群相互間では互いに独立した動きをみせ、この点でもモデルとよく調和する。
【０１４０】
次に、〈モジュレーター〉である超高周波成分によって第二主成分として励起された第二次元の領域群すなわち〈脳基幹部ネットワーク〉の構成を機能面から詳しく観ていくと、それはさらに三つのユニットに類別できる。その第一は脳幹上部（中脳）、前頭前野、そして大脳辺縁系に属する視床と前帯状回から構成される〈報酬系〉ユニットで、すなわち情動と感性による〈行動制御系〉に該当する。そして第２のユニットは、同じく脳幹、視床下部に属する領域から構成される群で、その一部は第１のユニットと重複し、生命活動の根幹となる自律神経系、内分泌系、免疫系などの調節にあたる〈生体制御系〉に該当する。そして第３のユニットとして、これらのいずれにも属さない頭頂葉楔前部がある。
【０１４１】
本発明者らはこの第３の領域が音楽の存在によって脳波β波との相関を顕すことを見出しており、その点からみると、超高周波成分によって励起された信号が報酬系に向かう途上に置かれた〈ゲート制御系〉の候補としてこの部位を挙げることが可能ではないかと考える。以上の類別は、その第１ユニット〈報酬系〉と第３ユニット〈ゲート制御系〉との機能連関を通じて〈ハイパーソニックエフェクトの二次元知覚モデル〉に裏付けを与える。
【０１４２】
では、第２ユニット、〈生体制御系〉のかかわりはどう捉えたらよいのだろうか。実はここにはきわめて重要な意義が顕われている。なぜなら、それは、私たち人類の生存にとって必須の情報が、〈必須音〉として、あたかも必須栄養さながらに存在することを、史上初めて実証的に告げるものだからである。
【０１４３】
詳しく述べよう。第２ユニットを構成する生体制御メカニズムの核心は、視床下部が決定的に支配する自律神経系、内分泌系、免疫系の活動にあり、まさに〈恒常性（ホメオスタシス）〉すなわち、環境変動に対処して体内の生理活性を調節する中心的な役割を果たしている。それを具体的にいえば、まず、遺伝子に約束された本来の環境の中で、その環境に対して最適化された本来の活性を正常に稼働させる。そして、環境が本来からずれた時、しかるべき適応の活性を立ち上げてそれを乗り切る働きを発揮する主力となる。さらにそれは、適応限界をこえた状況に遭遇した時、生命の活性のベクトルを逆行させ脱制御に暴走させる自己解体プログラムを起動して、生活習慣病、心身症、精神と行動の障害、発達障害などを惹き起こす部位ともなる。まさに、この第二ユニットこそ、本来・適応・自己解体メカニズムの制御中枢なのである。ここで〈音〉の作用について注目を払うと、この〈生体制御系〉の本来の活性は、可聴域をこえる超高周波成分の存在によって、成り立っていることがわかる。それは直ちに、物質における〈必須栄養〉の概念に結びつき〈必須音〉の概念を導くのではないだろうか。
【０１４４】
このような働きをもつ第２ユニットすなわち生体制御系と第１ユニットすなわち行動制御系とが脳領域間機能連関で結ばれ一体化して活動するという事実は、まさしく、本来―適応モデル、プログラムされた自己解体モデルそして情動と感性による行動制御モデルを統合した〈生理・心理・行動の制御モデル〉が実在していることの証に他ならない（図１９および図２０）。
【０１４５】
この行動制御系と生体制御系とが連関した本来から適応そして自己解体に向かう生理活性のベクトルと、情報環境構造にみられる超高密度高複雑性から低密度単純性に向かうベクトルとが緊密に一体化し平行して働いていることに注意を喚起しなければならない（図２０）。なぜならそれは、私たちの遺伝子と脳がきわめて高密度で複雑な情報環境を本来とし、その密度や複雑性が低下する側に向かって適応そして自己解体に向かう生命活動のベクトルを構成していることを物語るからである。これを言い換えれば、熱帯雨林から疎開林、草原、砂漠または極地、あるいは都市へと向かって低下していく地球情報環境の密度と複雑性のスペクトルの中で、私たちの遺伝子と脳に約束された情報環境が、きわだって熱帯雨林型の超高密度高複雑性側にシフトして設定されていることを裏付けているからである。
【０１４６】
このようにしてみると、〈ハイパーソニックエフェクトの二次元知覚モデル〉とそこに含まれるサブシステム間の機能連関は、情報環境学の黎明期１９８０年代から現在まで本発明者らが育んできた〈本来―適応モデル〉〈プログラムされた自己解体モデル〉そして〈情動と感性による行動制御モデル〉に加えて、音の環境学の根幹をなす〈現生人類の熱帯雨林本来モデル〉を一括して、単なる仮説から実証に裏付けられた理論へと飛翔させる絶妙の材料となっている。それは、〈ハイパーソニックエフェクト〉の発見が、すなわち史上初めての〈必須情報〉の発見であり、その具体的な顕れとしての〈必須音〉の発見に他ならないことを実験事実に基づいて告げるのである。このような稔りを導いた二次元知覚モデルの構築とそれを裏付ける脳領域間機能連関の発見のもつ意義は、量り知れない。
【０１４７】
＜１−２＞遺伝子に約束された環境のデザイン．
＜１−２−１＞音楽は音環境をどこまで改善できるか．
１．音と人と環境との不調和の歴史は、熱帯雨林での狩猟採集生活という人類本来のライフスタイルを放棄して文明の曙となる第一次産業に走った祖先たちの登場に遡ることだろう。農耕のために森を焼き、牧畜のために野をさすらう。そうした生活への転向は、現生人類（現代型ホモ・サピエンス）の遺伝子と脳に約束された森の環境音との訣別を意味するものに他ならない。やがて第二次産業とともに始まった侵害性をもつ強大な機械騒音の氾濫は、本発明者らの忍容限界を大きくこえる音環境を産み出した。とりわけ１９世紀のイギリスから暴威を振るい始めた動力機械の轟音と２０世紀後半に陸海空に蔓延した交通機関の騒音は、地球生命が進化史上出逢ったことのない構造をもつ音響・振動で環境を塗りつぶしてきた。
【０１４８】
機械騒音への対抗策は、十九世紀イギリスの富裕階級における近隣工場の騒音からの移住による逃避にその初めての動きを見る。２０世紀後半からは、あらゆる居住、非居住地域に浸透し逃避を許さなくなった交通騒音を始めとする多種多様の機械騒音と人の住む生活空間とを遮断する役割を担って、環境音響学（ｅｎｖｉｒｏｎｍｅｎｔａｌ  ａｃｏｕｓｔｉｃｓ）が大きな領域を形づくっている。そこでは常に、時代の最先端を行く遮音材料や遮音構造とそれらを駆使する技術が開発・実用化されてきた。あわせて、音源自体の振動を抑制する技術からアクティブ・サーボ・コントロール（その場の騒音と逆相の構造をもつ音信号を発生させて騒音をうち消す手法）に至る幅広い技術体系が築かれつつ現在に至っている。この領域は、音の存在をひたすら抑制することを目標にして発達してきたため、環境の中の音は存在しなければしないほどよいという価値構造となお一体化した状態にある。つまり、生存上必要な音という概念を念頭におく枠組をもってはいない。ただし、近年では、サウンドスケープを視野に入れた音環境デザイン領域との連携が育ち始めている。
【０１４９】
第二次世界大戦後本格化した環境と人間との調和を捉える新しい概念のひとつ「環境衛生」の枠組の中でも、音の環境については決して軽視されてはいない。ことに世界保健機構（ＷＨＯ）では、幅広い視点から長期にわたって環境騒音への検討が重ねられ、その侵害作用について生理的、心理的な切り口からの研究をふまえて積極的に提言を続けている。それらは、各国や地域社会が音の環境にかかわる法・制度を整備するうえでのガイドラインとして貢献すると同時に環境音響学に対しても研究開発上の目標値を供給するなど、重要な使命を果たしてきた。さらに、２０世紀末からは、今後の課題の中でサウンドスケープについても言及するに至っている。
【０１５０】
２．ここで目を転じて近現代文明が築いている人類と物質的環境との調和についての姿勢をみると、まず、人類が生存上不可欠とする栄養素について、ミネラル、ビタミン、必須アミノ酸類など膨大な種目にわたり詳細に必要量を明示している。その背景は、大航海時代以後、長期の航海の中で船員たちを脅かした壊血病が柑橘類の摂取で防止される経験への注目に遡る。やがて十九世紀以後、現代科学の手続きにのっとって見出され確立された〈必須栄養〉の概念と、いまだ未知のものを含むそれらを常に人体に供給し続けるための包括的な規範が〈栄養学〉として体系化されている。これに並行して、おそらく原初の狩猟採集時代から受け継がれてきた有害物質や毒物などの概念と、それらの摂取を防止するための個別的な基準、たとえば最大許容摂取量や致死量（ＬＤ５０）なども体系化されている。一方、音については、２１世紀初頭現在、不適切な音についてはその環境からの排除が計られる反面、現生人類という生物の生存に何らかの環境音の存在が不可欠であることを明瞭に掲げた科学的な認識はいまだ見られない。
【０１５１】
つまり、私たちの科学技術文明は、物質（摂取化学物質）に対しては「ない方がよいもの」と「あってはならないもの」との双方についてきわめて精緻な基準を提供しているのに一方、情報（この場合には音）に対しては、「あってはならないもの」には素朴な基準を用意して排除を計っているけれども、「なければならないもの」を念頭に置くに至らない状態にある点において、鮮やかな対比を見せる。
【０１５２】
３．科学技術文明の中で一貫して排除が計られてきた環境音とは対照的に、芸術文化という観点からその存在が重視され、充実が計られてきた音の領域が、〈音楽〉に他ならない。興味深いことに、音楽は、近世以降近代そして現代と時を経るのに伴い「芸術化」の名のもとに非環境化を著しくしてきたのち、２０世紀後半、電子メディアと結合してあらゆる環境への流出と氾濫を捲き起こした。中でも、公共空間に放出されたそれらは、他の環境騒音同様に不快や嫌悪を導きつつ規制の対象に転落するという奇妙な道を辿っている。
【０１５３】
人類史的に見れば、空間に音を補完し環境の感性情報質を向上させる人工物として、音楽は卓越した効果を発揮してきた。その中でも、古代からすでに着目されていた病気に対する抑止や回復の効果については、現代に入って〈受動的音楽療法〉として発展を遂げ、大きな体系を築いている。この領域は、患者の固有性の詳細な事前調査に基づく個別的な処方という枠組の中にあるため、きわだって高度な普遍性を求める環境という公的な空間へ直接それをあてはめることは難しい。
【０１５４】
もう一方では、「環境情報の補完物としての音楽」という人類史的な素地のうえに、２０世紀の高度な都市化と産業化を背景にしていっそう巨大化する音の空白を埋める目的で、バックグラウンド・ミュージック（ＢＧＭ）あるいは環境音楽と呼ばれるジャンルが大きく発達した。これは、その名のとおり、元来は人間の知覚の前面に展開される音楽を背景化し環境化することを意味する。その起源は、恐らく１９１０年代のアメリカ合衆国に始まった音楽のもつ勤労能率向上効果に着目した生理学・心理学的なアプローチに遡る。あわせて、当時軌道に乗り始めたトーマス・エディソンの発明による〈蓄音機〉を利用した録音・再生による音楽の低廉で簡易な実現に大きく支えられている。ＢＧＭの最初のターゲットは各種の工場で、企業の経営者側にとっては効率の上昇、労働者側にとっては負担感や疲労感の軽減が期待され、実際にもその有効性が評価されて、事業化への道が大きく開かれた。
【０１５５】
こうした状況の中で、一九三四年、アメリカにＢＧＭ専門の音楽ソフト供給会社ミューザック（Ｍｕｚａｋ）社が登場する。この会社の事業形態は電話線を使って音楽を配信するもので、いわゆる有線放送の祖型ということができる。ミューザック社の事業は軌道に乗り、追随する企業も活躍して、さまざまな曲折はあるものの、この分野は音楽配信マーケットの中に大きな領域を確立しつつ現在に至っている。そして、ミューザック社は、アメリカにおいてＢＧＭ＝環境音楽それ自体が〈ミューザック〉と呼ばれることからもわかるように、この領域でなお圧倒的な地位をゆるぎなく維持している。
【０１５６】
ＢＧＭを考えるに当って、その先導企業となったミューザック社のみせた独特の活性に注目すべきだろう。この企業は「音楽を心理学的・生理学的に応用するスペシャリスト」であることを標榜し、生理学・心理学を駆使した鋭いマーケティングと商品開発を発足当初からおし進めた。その基本姿勢は、ＢＧＭに〈自律音楽〉としての性格をまったく認めず、完全な〈機能音楽〉として効果することに焦点をしぼっている。当然、「演奏と鑑賞」という枠組は放棄され、ユーザーの目的に合わせた実用的な効果が徹底的に追求され、それに見合った成果を稔らせている。
【０１５７】
具体的に見ると、曲目の選択、その送信シークェンスの設計、大休止時間を含むインターバルの設定といったプログラミングはいうまでもなく、音源の選択（たとえば器楽とりわけストリングスを主体にして木管、金管をより従属させ声をできるだけ抑制する）、編曲の単純化（楽器編成、和声進行、リズム構造などの簡素化）、ダイナミックレンジの圧縮（めりはりのない演奏と電子的なコンプレッサー・リミターの多用）、サウンドスペクトルの平坦化と変化の単調化（特徴的なピークやディップのない周波数幅の狭いスペクトルの持続）などが綿密に行われ、「イージーリスニング」化が計られている。これらによって、音楽のようでありながら音楽としての応答を喚起することが強く抑制された独特の音の流れが効果的に造り出される。ちなみに、のちにＬＰレコードの規格となる当時もっとも収録効率が高かった３３と３分の１回転ディスク方式も、ミューザック社に源を発している。
【０１５８】
このミューザック社の戦術は成功し、特に１９５０年代からは、爆発的といえるほどＢＧＭ市場が成長した。この間ミューザック社はヨーロッパ、中南米、オセアニア、極東などにブランチを拡げている。その結果、ほとんど世界規模で、工場やオフィスはもとより、デパートから小売店舗までの商空間、ホテル、レストランや美容院などのサービス業、病院、駅や庁舎を含む公共空間など、巷のいたるところに〈ミューザック〉つまりミューザック社風のＢＧＭがあふれる状態が導かれた。
【０１５９】
これを契機に、西欧芸術音楽の作曲家マリ・シェーファーをして〈サウンドスケープ〉の発想に向けて蹶起させる新しい性質の音環境問題が浮上する。それは、ＢＧＭの環境化に伴ってその聴取が不特定多数の人びとに強制されるという状況の発生である。１９６０年代後半、この問題が顕在化することに合わせて国際的に大きな抗議の動きが現れた。一九六九年には、パリで開催されたユネスコ国際音楽評議会総会で、ＢＧＭの乱用を個人の自由およびすべての人の静寂に対する権利の侵害として告発し、この問題を医学、法学などあらゆる角度から研究することを要請する決議を、満場一致で採択している。
【０１６０】
シェーファーは、こうした状況にもっとも鋭敏に反応したひとりであり、彼の〈サウンドスケープ〉提唱への決定的な契機のひとつがここにあることは疑いない。彼はこうしたミューザック社風のＢＧＭを〈ムーザック（ｍｏｏｚａｋ、あるいはムーズ＝ｍｏｏｚｅ）〉と名付け、特に公共空間におけるそれを「あらゆる分裂病（統合失調症）的音楽のたれ流し」とし、「それは聖なる芸術を音のよだれにまで貶める。ムーザックは、聴かれるべきでない音楽である」と告発している。こうした中でミューザック社は、自らＢＧＭという呼称を廃し、〈オーディオ・アーキテクチュアー〉を目標とするに至っている。
【０１６１】
このような状況を背景にしながら、シェーファーは〈サウンドスケープ〉の理念を提唱するとともに、それを実践に結びつける枠組を構想した。シェーファー自身、それをドイツのバウハウス（１９１９〜１９３３年）から興ったインダストリアル・デザインになぞらえ、「アコースティック・デザイン（１９８６年刊行された日本語訳では著者の要請によりサウンドスケープ・デザインと訳出されたが、１９９４年のデスニティ・ブック版（Ｄｅｓｔｉｎｙ  Ｂｏｏｋｓ版）では原著同様アコースティック・デザイン（Ａｃｏｕｓｔｉｃ  ｄｅｓｉｇｎ）となっている）と名付けている。その内容について、シェーファーは「この研究は、（音の）重要なさまざまの特徴を記録すること、さまざまの相違、相似、傾向を書き留めること、絶滅に瀕している音たちを収集すること、新しい音たちが環境の中に見境なく解き放たれる前にそれらの影響を調べること、さまざまな音が具えている人間に対する豊かな象徴性を研究すること、そして互いに異なる音環境の中で現れる人間の諸行動パターンを研究することなどから成り立っており、これらの識見を人類の将来の環境設計に用いることを目的としている」とそれまでの西欧の音の文化と一線を画する革命的な見解を述べている。
【０１６２】
サウンドスケープ研究とは何かについて、シェーファーは、「音楽というものを、私たちのまわりの世界の中にさまざまな音たちの影響の調和を追求していく営みとして再確認すること」であるという。また、サウンドスケープ（アコースティック）・デザインは「環境のモデルを作ることを含みうる。この観点に立てば、それは現代音楽の作曲に連続している」とする。さらに、シェーファーの思想の日本における伝道者のひとり鳥越けい子は「〈サウンドスケープ・デザイン〉は従来の『音楽』を排除しているのではけっしてなく、むしろその中心に西洋近代音楽を据えつつ、その枠組みを拡張・変換しているということである」（『世界の調律』訳者解説）という。こうしたスタンスはサウンドスケープによる音環境のデザイン（シェーファーのいうアコースティック・デザイン）に、西欧音楽のパラダイムにのっとった芸術的営為としての枠組を与える。この枠組の下では、近代芸術の基本理念に含まれる芸術の自律性、純粋性、至上性、作者の自我強調性、そして創造の自由など１９〜２０世紀的な西欧文明の「遺伝子」による支配を断ち切ることが原理的に難しい。シェーファー自身、「アコースティック・デザインは、決して、上からコントロールするデザインになってはならない」として、その至上不可侵性を主張している。
【０１６３】
科学技術文明の中でもすでに高度に熟した〈物質文明のステージ〉上では、往時の製造業におけるアダム・スミスらに導かれた「自由放任主義」が人と環境との調和と両立できないことはすでに通念となり、大気、水、廃棄物などの規制が発達する中で、それは過去のものとなりつつある。しかし、物質文明に較べるとまだ著しく素朴な段階にある〈情報文明のステージ〉上では、たとえば「創造の自由」はなお不可侵の座に君臨し続けている。これを脳科学や情報環境学を背景にした「物質と情報との等価性モデル」によって「物質」から「情報」の領域に読みかえると、芸術の至上性に基づく「創造」という名の情報操作の非拘束性は、「モノつくり」の分野でかつて見られた野放しの技術開発と区別できない意味をもってくる。
【０１６４】
生命科学的に観れば、「音」という〈情報環境〉の保全や改善を目的にした場合にも、〈物質環境〉の保全や改善の場合と同様、地球生態系と地球生命を尊重する立場から、人為に対するアセスメントとコントロールとが何よりも優先されなければならない。それは、自然科学的な安全性と有効性の裏付けが高度に確立され、それによる規制を拒むことなく、ゆるされる範囲内で環境操作が行われることを要請する。こうした枠組の中では、芸術の至上性を無条件に優先することは難しい。
【０１６５】
この点からみると、サウンドスケープ（アコースティック）・デザインのもつ「聖なる芸術」という側面は、「西洋の音楽概念の拡大と芸術音楽の社会的機能の拡張」（鳥越けい子『世界の調律』訳者解説）というサウンドスケープの目標設定それ自体を二律背反の矛盾に導く恐れがある。
【０１６６】
そもそも、環境の保全と人為の非拘束性とは時として絶妙の協調を稔らせることはあるものの、基本的には不倶戴天の関係に陥ることを遮る仕組をもたない。また、人類史上、人為の恣意性が思想的にもっとも合理化され、整備され、それ自体がアイデンティティーとなって驀進してきたのが、西欧近代芸術に他ならない。その中でも、「音楽はそれ自体のもつ法則性以外の何物にも拘束されないこと、同時に創造行為が社会的に何らの掣肘を被ることなく完全に自由であること」を標榜しつつ十九世紀を風靡した〈絶対音楽〉の理念は、あまたの芸術至上主義的な思想の中でも、もっとも過激なもののひとつに数えるべきだろう。それに合わせて、芸術至上主義への反作用として１９３０年代旧ソ連邦から登場した〈社会主義レアリズム〉による芸術の統制が導いた惨憺たる結果も、芸術の脱制御化の必然の落とし子として近現代文明の限界を浮彫にし、見逃すことはできない。このような出自をもつ西洋近代音楽を拡張し、変換することで環境の保全や改善に機能させようとするサウンドスケープ・デザインの戦略は、もちろん実現不可能ではないだろう。しかしそれをもって最善の、あるいは高度に優先されるべき選択とするべきかについては、慎重を期さざるをえない。
【０１６７】
シェーファーは、このように深刻な問題を抱えた「音楽から学ぶもの」以外の原理として、「１．耳と声の尊重―耳が許容限界をこえる変位（ｔｈｒｅｓｈｏｌｄ  ｓｈｉｆｔ）を被ったり声が聞きとれないとき、その環境は有害である。２．音の象徴性の自覚―それは常に機能としての信号作用以上のものである。３．天然のサウンドスケープのリズムとテンポ類についての知識。４．逸脱したサウンドスケープが自ら元に戻るバランス機構についての理解。この最後の点は中国の哲学や芸術に立ち戻ることでもっとも容易に理解できる」と述べている。たしかに、これらの指針には効果的な発展の契機が宿されている。実際にも、伝統的な西欧芸術音楽の素材や手法の外側からのこうしたアプローチによって、それが歴史も伝統も大きくはなく、体系化も検証も素朴な段階にあるにもかかわらず、サウンドスケープ（アコースティック）・デザインの主たる稔りが産み出されているように見受けられる。
【０１６８】
サウンドスケープ・デザインに向けての指針として、シェーファーは「どのような音を私たちは護り、助け、殖やしたいのか。これを知ったとき、退屈なあるいは破壊的な音たちが十分はっきり見えるようになり、それを排除しなければならない理由も明らかになるだろう。音環境への総合的な識別力のみが、サウンドスケープのオーケストレーションを改善する資産を私たちに与える」と強調している。つまり、環境の中の音の理想的なありようをまず明らかにし、「かくあるべし」という〈規範〉を確立することを通じて、サウンドスケープの「オーケストレーション」を改善することが可能になるという道筋を指し示しているのである。これはまさに正鵠を得た指針といえる。〈環境衛生〉における騒音規制のような本質的には根拠がなお稀薄な数量的基準とか、市場経済に支配されたＢＧＭの規格とは明らかに一線を画しているからである。
【０１６９】
ここで決定的な意味をもつのが〈規範〉となる理想的な音環境としていかなるものを選択し、または設定するかであることはいうまでもない。これについては、ちょうど人間の〈必須栄養〉の概念を設定するときのような難しさが伴ってくる。というのは、必須栄養素のすべてをリストアップすることは、現在および未来の私たちのもつ分析力や還元力の限界を原理的にこえた行為に他ならないからである。このような場合、本発明者らは、「進化史的尺度で観て人類との適合性が実績で示されている自然食品の集合」といった概念を設定することで実質的な効力を発生させることになる。つまり、ここで〈規範〉を指示するものとして機能しうる文言は、「未知でありながら必須の要素や構造」を排除せず包含することができる高度に有機的かつ包括的な概念を顕すものとならざるをえない。そのためには、すくなからぬ未知の要素や構造を潜在的に含むことが当然のこととして許される「ある実在を指示する具象的な概念」の形式を採ることがひとつの有効な解決になるわけである。
【０１７０】
これについてシェーファーは、サウンドスケープ・デザインの規範となる音を明示的に示してはいない。ただし文脈の上では、この点においてもシェーファーの論理構築は形式的にぬかりなく、非のうちどころのない設定を実現している。彼が『世界の調律』の中で「永遠の完全性を表象するもの」として浮かび上がらせたのは、秘教主義（ｅｓｏｔｅｒｉｓｍ）的な人びとに関心の高いかの「天球の音楽」（ｍｕｓｉｃ  ｏｆ  ｔｈｅ  ｓｐｈｅｒｅｓ、ただし『世界の調律』の日本語訳では「天体の音楽」）に他ならない。特に彼は、この概念を、その起源となるピュタゴラスのそれに遡って設定している（なおシェーファーは、天球の音楽に触れるに当たって、しばしばインド音楽の「アナーハタ」の概念をとり上げ、同質のものとして言及している）。
【０１７１】
大著『世界の調律』を終結する短い「エピローグ」の主題は「天球の音楽」であり、ここでシェーファーは、「それは合理的秩序としての音楽であり、起源をギリシア人たち、特にピュタゴラス学派に遡る。音を出している弦の倍音比率の間に数学的対応を発見し、惑星と恒星たちがやはり完璧な規則性のもとに動くらしいことに注目したピュタゴラスは、その発見を直観によって統合し、二つの形式の運動はともに完全な普遍則の現れであると推測して、音楽と数学を結びつけた」と述べている。それに先立ってシェーファーは、サウンドスケープ・デザインをアポロン的な音楽観に結びつけ、この音楽観の顕れの例として「インド音楽のアナーハタ」「ピュタゴラスの思想」「中世の理論家たちの考え方」（おそらくギリシア起源の〈運動する数の学としての音楽〉の概念）、そしてシェーンベルクの十二音技法を挙げ、「その説示の方法は数の理論である」としている。たしかに、そこにはピュタゴラス的な数の神秘主義のニュアンスが濃厚に漂う。
【０１７２】
音の環境学が明らかにした「連続的量的な構造を本質とする音楽」を、もっぱら「離散的数的な現象」として認識する西欧芸術音楽の思想の最大の起点をつくったのがピュタゴラス学派であろうことはかなり確実視される。しかし、ピュタゴラスの他の知的遺産と同様に、その原典となる「天球の音楽」とは何かについても、本発明者らはそれを後世の記録から間接的に知るほかはない。これについてアリストテレスは彼の『天体論』の中でそれを次のように紹介した上で批判し、退けている。なお文中「在るひとたち」とあるのはピュタゴラス学派を指す。
【０１７３】
「在るひとたちの考えによれば、われわれの地上においてそれと同じくらいの大きさをもたず、またそれほどの速さで動きもしないものが音を発するのだから、まして非常に大きな物体が運動すれば、必然的に音を発しなければならない、また太陽や月やさらにその数と大きさとが莫大な星たちが、そんなに速い速度で運動しながら、しかもなにか巨大な音を発しないというようなことはありえないというのである。で、これらのことやまた速さは距離に応じて階音の比をもつということを仮定しておいて、かれらは円運動する星たちの音は調和的だと主張する。しかし、われわれがこの音楽を現に一緒に聞いていないのは理屈に合わないと考えられるので、かれらはその理由をつぎのように述べる。われわれが生まれ落ちると、すぐ、そのときからこの音は存在している、それで、われわれはこれと反対の無音とを判別できない、なぜなら、音と無音とは互いに並置されてはじめて弁別されるものだから、したがって、ちょうど銅鍛冶にとって習慣のためにどちらの音も区別がないと思われるように、一般のひとたちにとってもまたこれと同じことが起こるのだと言う。」（村治能就訳）
【０１７４】
この文脈はほぼ完全にシェーファーにうけつがれ、「人間たちが完全性を求めて奮闘するように、すべての音は無音の状態を、〈天球の音楽〉の永遠の生命を切望する」として、結局、無音（ｓｉｌｅｎｃｅ）に至上の存在理由を捧げ音環境のデザインという理念との間に一種の自己矛盾を宿しつつ大著『世界の調律』は結ばれている。
【０１７５】
このような天球の音楽は、たしかに「永遠の完全性」の表象にはなりうるけれども、それが無音であることによって、この規範から現実の環境音を構成するための具体的な〈指標〉や〈基準〉を合理的に導くことを困難に陥れている。この状態は、サウンドスケープ・デザインの体系を現実の音環境の制御に起用するに当って目標となる音の物理構造や信号構造の内容を空洞化させる。それはこの体系に有効性や信頼性を導く動向を麻痺させ、あるいは大きく恣意性に委ねる道を開く。
【０１７６】
サウンドスケープ（アコースティック）・デザインの名のもとに導かれてきた成果は、その枠組の深部に横たわるさまざまな矛盾や限界をこえて豊かな稔りをもたらし続けており、それは今後も維持されるべきだろう。とはいえそれは、この枠組のもつさまざまの矛盾や限界が無視できることを支持するものではなく、この枠組の唯一性や高度の優先性の主張に結びつくものともなりえない。深刻な矛盾や限界に妨げられることなく長期的展望に耐えうるより新しい枠組を準備することが、歴史的課題として、私たちに求められているのではないだろうか。
【０１７７】
＜１−２−２＞脳にやさしい音環境のデザイン．
１．音と人と環境との調和を計る実践に踏み出すうえで、これまで築かれてきたさまざまなアプローチの枠組はそれぞれ、貴い遺産を私たちにもたらしてくれる。しかし、それらのうえに、本発明者らの前途を委ねるに足る展望をなお見出すに至らないことも、否定することができない。とりわけ、次世代の生命の健やかな成長や社会の病理の克服にかかわる事業、あるいは公共性の機会、公共の空間そして公的資金などを費やす事業などに対応しようとするとき、信念と責任をもって事に当るに足る既成の路線を見出し得ないことは、忍びがたいところである。
【０１７８】
そこで、本発明者らは、そうした限界の著しい在来の枠組に直線的に依存することを留保し、それらに学びつつも、自らの信念と責任のもとにためらうところなく実践に当るに足る新しい音環境デザインの枠組を、音の環境学（サウンド・エコロジー）にのっとって改めて構想することにした。それを要約してひとことでいえば、〈人類の遺伝子に約束された脳にやさしい音環境のデザイン〉である。
【０１７９】
このパラダイムの構築作業の第一歩は、〈規範〉すなわち到達目標となる理想の音環境とは何かを包括的な概念として設定するとり組みに始まる。しかしより忠実にいえば、音環境のデザインに実効性をもった規範を設定すべきであるという判断を導いた思考過程自体が、すでにこのとり組みを他と区別する要因の一部を構成しているというべきだろう。
【０１８０】
これまで、マリ・シェーファーが注目した〈天球の音楽〉ないしその同義性の存在としての〈アナーハタ〉を除いて、音を排除するのではなく、音を造成する役割を担った音環境デザインに対して手がかりや目標を与える規範となるものは存在しなかった。また、天球の音楽やアナーハタは、形而上学的あるいは秘教的な概念道具として機能できるかもしれないが、現実の音を制御する基準、すなわち音そのものの備えるべき信号構造や情報構造を具体的に示しうるものではない。あえてそれを求めるならば、音環境の造成と矛盾する〈無音〉が規範の座に就き、デザインという行為自体を空洞化する。このような実態に見られる実効性をもったレファレンスの不在こそ、これまでの音環境デザインを羅針盤がない状態で漂流に委ねた元兇といえる。
【０１８１】
たしかに、現在本発明者らが立つ科学技術文明という地盤上で実効を発揮できる科学的概念として音環境のレファレンスを設定することは容易ではなく、これまでの知識水準では、それは不可能だったかもしれない。しかし、ごく最近に至って本発明者らは、新しい科学知識の中にさまざまな材料が登場するという幸運に浴している。その中には、歴史的な転換を促すものがないとはいえない。本発明者らは、それらを活用することによって、遺伝子に約束された音環境を都市空間に復活させる組織的な戦略を構想し、それを育てながら逐次実現に移してきた。以下にその概要を述べる。
【０１８２】
２．本発明者らはまず、新しく人類が獲得した知的資産のもっとも価値あるひとつとして、分子遺伝学を背景にした〈遺伝子決定論〉に注目した。これを基礎において、本発明者らは、「人類には、その遺伝子に約束された理想の音環境が生得的かつ普遍的に定められている」という大きな前提を設定することができた。
【０１８３】
ここで情報環境学から〈本来―適応モデル〉を導入して、私たちに約束された音の構造とは、人類の進化の揺籃となり、ＤＮＡシークェンスの組換えを通じてその遺伝子を誕生させた生態系のもつ環境の音構造に等しいというモデルを得た。それがいかなる環境であるかについては、最新の進化生物学、生態人類学そして脳科学などの知識や手法と、それらを活用して音の環境学が構築した〈ハイパーソニックエフェクトの二次元知覚モデル〉およびその〈脳領域間機能連関〉の発見に基づいて、画期的な認識を導くところとなった。それを要約すれば、まず、私たちの遺伝子は、まだ人類になる遥か以前からの悠久の時を、熱帯雨林を中心拠点にして組換えを続ける中で形成された可能性が高い。それは、私たちの遺伝子に約束された本来の環境が熱帯雨林型であり、そこにひびく音の世界をもって遺伝子に約束された音環境のもっとも有力な候補とすることを支持する。これらを背景にして、本発明者らは、熱帯雨林に張りめぐらされた音の空間を現代型ホモ・サピエンスの遺伝子に約束された音環境の規範のもっとも有力な候補とし、そこにみなぎる音の信号構造、情報構造を環境音のレファレンスとするという基本戦略を築いた。
【０１８４】
次の段階として、このレファレンスの有効性を検証し、実際に音環境の解析、設計、構築、評価などに結びつけ、適切に機能させる新しい枠組を設定しなければならない。これについては、まず、情報環境学からの〈地球生命における物質と情報との等価性モデル〉を援用して、私たちの摂取する物質に生存上なければならない〈必須栄養〉とあってはならない〈毒物〉とが存在するように、本発明者らの受容する音情報にも、生存上なければならない〈必須情報〉としての音と、あってはならない〈侵害情報〉としての音とが存在するという考え方を導いた。ここで必須情報となる音のもつ構造こそ、〈脳にやさしい音環境〉の規範に他ならない。
【０１８５】
以上の認識のもとに、本発明者らは、環境の中に存在する音を、
１、〈必須音（Ｅｓｓｅｎｔｉａｌ  ｓｏｕｎｄｓ）〉すなわち「なければならない音（ｓｏｕｎｄｓ  ｔｈａｔ  ａｒｅ  ｉｎｄｉｓｐｅｎｓａｂｌｅ  ｆｏｒ  ｈｕｍａｎ  ｗｅｌｌ−ｂｅｉｎｇ）」
２、〈効果音（Ｆｕｎｃｔｉｏｎａｌ  ｓｏｕｎｄｓ）〉すなわち「何らかのポジティブな効果を発揮しうる音（ｓｏｕｎｄｓ  ｔｈａｔ  ｈａｖｅ  ａ  ｐｏｓｉｔｉｖｅ  ｅｆｆｅｃｔ  ｏｎ  ｈｕｍａｎ  ｂｅｉｎｇｓ）」
３、〈侵害音（Ｎｏｘｉｏｕｓ  ｓｏｕｎｄｓ）すなわち〉「あってはならない音（ｓｏｕｎｄｓ  ｔｈａｔ  ａｒｅ  ｉｎｊｕｒｉｏｕｓ  ｔｏ  ｈｕｍａｎ  ｂｅｉｎｇｓ）」
の三つのカテゴリーに類別して捉える枠組を設定した。
【０１８６】
物質文明のステージから出発した私たちの文明は、人間生存に欠くことのできない物質の存在については黎明期から強い認識をもち、早い段階でビタミンなど〈必須栄養〉の概念を確立している。一方、きわめて後発の情報文明のステージでは、いまだ本格的な〈必須情報〉の概念も存在も明らかには示されず、ここで、本発明者らが提唱する〈必須音〉が、その魁（さきがけ）となる可能性もなしとしない。
【０１８７】
環境音を三群に類別した本発明者らの設定、とりわけ必須音のそれにかかわる有効性は、音の構造と機能との両面について検証されなければならない。まず音の構造について、科学技術文明の拠点となり音と人との不調和が忍びがたい水準に達している人工空間、とりわけ都市の音環境と熱帯雨林のそれとの区別が客観的な指標上で明瞭に認められ、レファレンスとして意味をもつかどうかを確かめる必要がある。
【０１８８】
そのために、本発明者らは、目的に添った記録と分析の方法を開発し、熱帯雨林の音と都市の音との信号構造をくわしく調べた。その結果、人類本来の音環境のモデルとした熱帯雨林の環境音の周波数上限が都市の環境音における約５−１５ｋＨｚを一桁上廻る１００−１３０ｋＨｚ以上にまで達することを見出したのをはじめ、熱帯雨林の音の構造が超高密度、高複雑性、変容性が著しいのと対照的に、都市の環境音が低密度、単純性、単調性がはなはだしいことを明らかにした。この検証結果は、熱帯雨林の環境音を人類にもっとも適合した音環境の規範とし、そこに適切な指標を見出して基準（レファレンス）を設定することにより、都市環境音の本来あるべき音環境からの乖離度合、あるいはその修復の度合などを音の信号構造、情報構造という客観的指標の上で高度に精密に比較できる可能性を裏付けた。
【０１８９】
次の課題として、人類の音知覚の限界を大きくこえるところをもつ熱帯雨林型の音の構造上の特徴が、その音が人間に働きかける機能に果たして反映するものであるかどうかについて検証されていなければならない。そのためには、本発明者らが長期にわたって蓄積してきた、厳密なモデル実験の結果が効果を発揮する。すなわち、本発明者らは、熱帯雨林型の超高密度の情報構造をもつ自然環境音や音楽を超広帯域録音し、それらと、そこから可聴域をこえる超高周波成分を除去して低密度な都市型の音に近づけたものとの双方を高い忠実度で再生可能にしたうえで、この両者を同等の条件下で切り換えながらブラインドホールド下で聴くときの人間の反応を、生理、心理、行動にかかわる複数の指標上で比較している。そうした実験は、都市型の低密度で単純な音を聴くときには、熱帯雨林型の超高密度で複雑な音を聴くときに較べて脳基幹部ネットワークの活性が低下することをはじめ、生理、心理、行動すべての指標上で、都市型の音が熱帯雨林型の音よりも人間の心身の活性を低下させ、あるいは音との不適合性を著しくすることを、いずれも統計的有意性をもって明らかにした。
【０１９０】
ここで都市型の音のもとで活性の低下が見出された脳基幹部ネットワークの中で、私たちの〈二次元知覚モデル〉における〈生体制御ユニット〉を構成する脳幹と視床下部は、都市という文明の容器内で多発する遺伝子決定性の躰の病理、すなわち生活習慣病、心身症などに深くかかわる。一方、中脳、視床、帯状回、前頭前野を含む〈行動制御ユニット〉は〈報酬系〉領域であり、その活性の低下は、不快感による都市からの逃避行動とともに精神と行動の障害や発達障害を導く恐れがある。そのうえ、行動制御モードの正負の倒錯は、拒食やリストカット（自傷）などきわめて文明的な病理に結びつくことが警戒されるのである。
【０１９１】
しかし、これを翻って観ると、新たに構成した〈必須音〉という規範にのっとって音環境を構築することにより、これら現代文明の病理から解放される展望を本発明者らが獲得したことを意味する。
【０１９２】
３．以上のような規範や基準の設定およびその実験による検証を通じて、本発明者らは、音環境デザインの新しい原理をうち建てた。それが〈脳にやさしい音環境デザイン〉のパラダイムである。その骨子は、まず熱帯雨林の環境音に特徴的な情報構造を〈必須音〉のレファレンスとするところから出発する。次に、このレファレンスと、改善あるいは構築の対象となる特定空間の音の情報構造とを比較してその違いを精密に測る。さらにここで見出された落差を適切に補完し、熱帯雨林型の情報構造をもった必須音のベースラインを構築するのである。もちろん、この基礎のうえに、必要な場合にはさらに〈効果音〉を導入しつつ目的に合致した音空間の設計を行うことも視野から外さない。そして、これらの有効性や安全性の評価を、脳の活性を中心指標として生理、心理、行動にわたる複合的な指標体系を使って総合的に行うのである。
【０１９３】
ただし、ここで望ましい音環境のベースラインをもっとも完成度が高い状態で構築するデザインとは、原理的には、熱帯雨林そのものを造成することに他ならない。しかしこれは、ほとんどの場合、短期的・中期的には現実性に欠ける。そこで、そうした圧倒的多数の場合の次善の策として、一方で可能な限り本来の生態系への近似を図るとともに、他方ではその限界をおぎなうために、電子メディアを含む人工物によって音の補完を適切に行うのである。この点では、リアル／ヴァーチュアル・リアリティーを融合するオーグメンテッド・リアリティーあるいはミクスド・リアリティーの手法が注目すべきものとなる。
【０１９４】
次に、これらを実行に移すための材料、方法、手段を整えることが必要になる。とりわけ、電子メディアを活用する場合には、熱帯雨林型の情報構造をもつ音源の収集や生成そしてコンテンツの編集などソフトウェアの開発がきわめて優先性の高い根源的な課題となる。これによって得られた超高密度かつ複雑性の高い音信号を記録・編集・配信・再生・呈示する従来よりも画期的に性能を向上させたハードウェアの開発と製作の重要性も、いうまでもない。続いて、それらを現実の対象空間に展開するための空間構成や実施設計とその施工などが必要となる。これについて、本発明者らは、研究用に開発したシステムをプロトタイプにして、これまでになかった高度の仕様を満たすさまざまな実践用のシステムを開発してきた。
【０１９５】
このアプローチでは、これまでの音環境デザインすなわち音響設計、ＢＧＭ＝環境音楽、サウンドスケープ（アコースティック）・デザイン、音楽療法などの知識・技術の枠内におさまらない面が圧倒的に多い。そのことを念頭に置きながら、このアプローチから導かれた〈脳にやさしい音環境デザイン〉の実際についてより詳しく述べる。
【０１９６】
４．まず、ソフトウェアとしてもっとも重要な音のベースラインとなる脳にやさしい〈必須音〉の具えるべき音響構造の諸細目について述べる。〈効果音〉の選択肢が事実上無際限に近いのに対して、必須音のそれは、人類の遺伝子を育んだ熱帯雨林のもつ限りなく細密複雑かつ変容きわまりない環境音そのものまたはそれと同じ質の情報構造をもつ音響・振動であることを厳に要請する。それらの音の周波数上限は、可聴周波数上限２０ｋＨｚを遥かにこえて１００ｋＨｚ前後、理想的には１３０−１５０ｋＨｚにまでおよび、しかも常にスペクトルの形が変容を続ける非定常なゆらぎに満ちた熱帯雨林型の〈ハイパーソニックサウンド〉でなければならない。それは同時に、音圧レベルとしても現在の音環境デザインの諸手法や現行の騒音規制と大きな隔たりをもち、それらが示す値をかなり上廻る５０ｄＢＡから７０ｄＢＡ程度を標準とする。こうした音のベースラインは感性的には静寂快適ではあるけれども情報構造としてみると豊饒きわまりない。これを必須のベースラインとしたさまざまな音の構築物を、人の生きる空間に実現するのである。
【０１９７】
ここに示した脳にやさしいハイパーソニックサウンドの基準は、従来の環境衛生、環境音響学、ＢＧＭ＝環境音楽、サウンドスケープなどすべての音環境の再構築を裏付けてきた発想法や設計手法そして技術仕様を包含しはするけれども、仕様全体としてはそれを遥かにこえている。そのため、既成の方法論、既存のハードウェア、ソフトウェア、それらを駆使する感覚感性に至るまでほぼ全面的に在来のままでは使用に耐えず、それらのほとんどすべてを一新し必要なものを改めて調え直さなければならない。
【０１９８】
具体的にいえば、ハードウェア、ソフトウェアは両者とも、まず、１００ｋＨｚをこえる周波数領域まですぐれた応答性能や情報内容をもたせることが要請される。このような仕様を満たす装置系として、本発明者らは、山崎芳男博士の開発した高速標本化一ビット量子化信号処理システムを中核にして、標本化周波数５．６４４８ＭＨｚ、３．０７２ＭＨｚ、２．８２２４ＭＨｚなどの超広帯域マルチチャンネル・Ａ／Ｄ変換・記録系を構築した。これに合わせて、基礎研究を離れた再生のための光ディスク再生系、増幅系、そして呈示用スピーカーシステム、中でも非常に開発困難な超高周波応答性の優秀なスーパートゥイーターなどを、すべて、１３０ｋＨｚ以上にまで応答周波数上限を確保した仕様のもとで開発してきた。
【０１９９】
この場合、再生音場の空間構成としては、１チャンネル・モノーラルや２チャンネル・ステレオでもそれぞれ一定の有効性を示すけれども、理想的には前後、左右、上下に展開する全方位的な立体音場の構成が望まれる。なお、この全方位性を現実的に容易に実現するひとつの方策として、本発明者らは、〈フロント左〉〈フロント右〉〈リアー左〉〈リアー右〉〈センター上〉という五チャンネルで録音を行い、フロントとリアーのＬＲを二重らせん状に反転させながら縦横に連鎖させていく〈ダブル・ヘリカル・マトリックス方式〉と名付けた効果的な空間配位方法を開発している。
【０２００】
さらに、必須音となるハイパーソニックサウンドを現場に展開するに当っては、もっとも重要な因子となる超高周波成分の射程距離や放射指向性の広がりが可聴域成分に較べて大幅に制約されるため、発音源からの距離を制限した設置密度を高め、距離を近づけ、死角を除くなど綿密な設計を行うことも欠かせない。本発明者らはこれらの条件を満たすシステム全体を構築するとともに、屋外での使用のために、これらに音質を劣化させることなく耐候性をもたせたユニットを開発してきた。
【０２０１】
５．ここで、従来考慮された例が恐らくみられない新しい問題を指摘しなければならない。人類本来の音環境のモデルとする熱帯雨林の音空間には環境音を遮り別の独立した音空間の構成を許す壁と扉が存在しない。つまり、音空間全体がほぼ完全な連続性の中にあり不連続な断層をもたないことである。これを無視しうる根拠を見出せないばかりでなく、音の断絶が脳の警告系を刺戟する懸念も否定できない現状からすると、築こうとする音空間には連続性を確保することがすくなくとも安全である。そこで、都市の音空間を細断しているさまざまな壁面の両側で共通した環境音が併存し、扉を通過しても一定の音の連続性が確保できるような構造的および電子メディア的対応技術を開発し適用することが要請される。
【０２０２】
さらに、熱帯雨林にひびく環境音には、永劫にわたる時間を通じて〈無音〉つまり音の空白というものがありえない。この性質に対応する人間の反応を観ると、熱帯雨林型のハイパーソニックサウンドが導く効果の持続力は音が消えた後１３０べき秒程度しか保たれず脳機能が低下を始める。つまり脳にやさしい音は「聴きだめ」ができず、二六時中身近に流し続けていなければならないのである。加えて、森林の響きには録音物のような同じ音の反覆がありえない。従って、高密度で複雑性に富んだコンテンツを再生時間１１２時間程度の１枚のディスクにして反覆再生し音環境の造成を計ることは、すこぶる有効であるとはいえ、それをもって本来あるべき音と本質的に変わりないものと断定することはできない。私たちの脳がもっている音環境についての量り知れない感受性や記憶容量からすると、供給される音情報は、理想的には、実際の森の音と同じく受容者にとって生涯を通じて一期一会である方がより望ましいに違いない。
【０２０３】
このことへの対策として本発明者らが開発した方法の一例として、次のものがある。まず、それらをどう組み合わせても表現および機能上の破綻を生じないように造られた互いに独立する複数の音の流れからなる音源を構成し、それらを別個の再生用パッケージメディアに記録する。この際、１パッケージ当りの時間長がたとえば秒単位で互いに素数関係になるように記録したうえで、互いのズレが１／１０秒以下に制限された精度の下でこれらを反覆同期再生するのである。仮にその１枚目を３１８１秒、２枚目を３６６７秒とすると、これらを冒頭から同時スタートさせたのち同じ組み合わせが再回帰してくるまでに１１１６万４７２７秒すなわち１３５日かかる。実際に本発明者らは、３枚の光ディスクをメモリーとして、同じ音の組み合わせが反覆して現れるまでの時間をこの手法によって一千年以上に拡張している。
【０２０４】
私たちの遺伝子に約束された「脳にやさしい音環境」を都市の人工空間に本格的に実現することは、これまでの技術発想からすると至難の目標以外の何物でもない。仮にそれを理想的かつ厳密に行うためには、たとえば熱帯雨林型の超高密度多次元の音情報を電子メディア化し、数十年以上反覆しない状態で間断なく供給し続けるといった非常に厳しい課題に直面しなければならないからである。このきわめて難度の高い問題に対して十分な効果を期待しうる解答はあるのだろうか。そのひとつとして、本発明者らは、音環境の構築対象となる地域と時差のすくない経度上の赤道周辺の地点に熱帯雨林あるいは同様に質の高い音をもつ自然生態系を探索し、その生態系内の適切な場所に環境情報を電子化して発信する地球局を設置するとともに、そのデータを超高速通信衛星や大容量ネットワークを使って常時伝送し、その音環境の「写像」を対象空間に展開し続けることを構想している。また、最大１２時間をこえる超大容量データストレージの開発によって時差を克服し、優れた環境音をもつあらゆる地点から情報を導くことについても構想している。さらに、自然性の高いハイパーソニックサウンド発生源として、水の運動による音発生系を活用している。本発明者らは、流水や落水が１３０ｋＨｚを超えるゆらぎにみちた超高周波を発生させうることを見出した。これを直接、環境に補完するだけでなく、その振動を空中または水中から電子信号に変換してとり出し、リアルタイム又は録音物として、単独に、または他の音と合わせて供給するのである。あわせて、後に述べるように、電子的な信号処理ぬきに現場でハイパーソニックサウンドを発生させるオルゴールを開発している（図２６）。
【０２０５】
６．このような方法論に基づく音環境の構築は、恐らく当分の間は圧倒的に電子メディアを含む人工的な音の比重が高いものとならざるをえないだろう。そうした環境の造成手法によって人類本来の熱帯雨林型音環境への接近を計ろうとするとき、その安全性と効果のアセスメントは、人工物の比重が高いことに見合った高度に厳格なものにならなければならない。この場合まず主軸となるのは、必然的に生理的評価となるけれども、その対極にある感性的評価にもそれに劣らない比重をおき、決してゆずってはならない。
【０２０６】
〈生理評価〉は、なによりも非侵襲脳機能解析を目的に合わせてカスタマイズすることが課題となる。それも複数の手法を立体的に駆使できる体制が望ましい。これに対して、本発明者らは、データのＦＭ多重通信を伴う非拘束性の脳波テレメトリー、体液中の神経活性物質・免疫物質の濃度測定、そしてＰＥＴのような大規模な非侵襲脳機能解析など複数の指標を有機的に連関させて分析と評価を行っている。
【０２０７】
〈心理・感性評価〉は、厳密にいえば感性脳の反応という生理反応の一領域についての評価に他ならない。そこでこの評価を成功させるためには、さきの生理評価実験の知見を十分に参照して実験計画を構成することが有効となる。特に、ハイパーソニックエフェクトのもつ独特の時間的非対称性に対する対処は必須といえよう。さらに、生理反応と心理反応の総合出力となる人間のふるまいを指標とする〈行動評価〉は、その実験方法や条件の設計が適切に行われると、優れて鋭敏性を発揮するうえに再現性の高い結果を与え、実験室レベルのパイロット実験を通じて応用現場における最終的な効果を予測できる点でもきわめて価値ある知見を与える。もちろん、こうした新しくオリジナリティーの高い手法とともに、人びとの挙動の観測に基づく動態調査など伝統的な手法もきわめて有効で、適切な設定と入念な試行によって貴重な知見をもたらす。
【０２０８】
なお、ここで心身の健やかさと快適性による街の健康と魅力の向上を実現する都市情報環境再生計画の骨子となる電子技術を軸にした脳にやさしい音の補完という手法は、区画整理や建物の建造などに較べると技術的にも経済的にも心理的にもはるかに負担がすくない。それにもかかわらず、これまでの脳機能解析などから推定されるその効果は、いま都市をむしばんでいる現代病や行動障害、発達障害そして快適性の喪失などの核心にある脳基幹部の活性低下を改善することを通じて、革命的なレベルに達することが期待できる。
【０２０９】
〈脳にやさしい音環境デザイン〉を実際に推進するに当って最後の決め手となるのは、言語性の情報で表す「仕様」としては表現できないにもかかわらず事の成否を決定的に左右するプロジェクトの統括者、たとえば、総合デザイナーやプロデューサーなどの人材にかかわる。それは、単に科学技術を駆使する能力にとどまらず、その諸細目を快さ、美しさといった感覚感性的事象と統合し形象化するクリエイターつまり音の料理人としての手腕が必須となる。加えて、制度、予算、組織、体制の構築と運用といった世俗的な問題からエコロジカルなコスモロジーにかかわる哲学的諸問題に至るまでを存分に料理できるような人格と識見の所有者であるかどうかも、大規模なプロジェクトであるほど、大きく結果を左右するだろう。これはまさに人材の選択に極まるものであり、ことのほか優先される、というよりは多くの場合、最大の課題であることを承知すべきだろう。なお、この人選という課題に触れるうえでは、人間の能力を、いま標準的な〈明示的競争〉で評価することは危険である。これには、「非言語脳本体とそこに芽生えた言語脳」という新しい脳機能モデルの認識に立った人材識別の眼力が有効性を発揮するに違いない。
【０２１０】
７．音と人と環境とを調和させようとする音の環境学の戦略戦術と、これまでの他のさまざまなアプローチのそれとを比較すると、基本的なところに非常に大きな、そして本質的な隔たりがさまざま横たわっている。もっとも根本的なその違いは、音と人との関係について、音の環境学が遺伝子決定論の立場にたっているのに対して、他のすべては、そうした知識や思想の登場以前に形成され、それらと無縁な立場にあるところにみられる。遺伝子決定論は、音の情報処理にあたる装置すなわち脳・神経系というものが、生命のあらゆる活性と同様、遺伝子設計に基づいて造られ、その構造・機能には人類に普遍的な有限の生得的枠組があり、その相当部分は変更不可能であることを教える。この認識と一体化して、情報環境学、分子生物学、進化生物学、脳科学、感性科学などの新しい知識と情報を活用することが効果を発揮する。
【０２１１】
このような背景から、脳は、「環境からの究極の使者である音」に対する感受性や応答性について、生理的なレベルでとりわけ厳格な枠組に支配されざるをえないという認識が導かれる。それによれば、脳とりわけその基幹部ネットワークを構成する〈行動制御ユニット〉は、環境から到来する音と振動を通じて、そこが人類の遺伝子に約束された本来の環境であるか、もしくは適応努力によって生命を維持できる環境か、あるいは適応不能であって自己解体が避けがたい環境であるかを判別し、その判断結果を心身に指令して然るべく反応させる契機をつくり続けている可能性が高い。音の環境学はこの点に注目して、脳活性を手がかりに遺伝子に約束された本来の音環境への接近を計るとともに、重大な適応努力が必要なほど適性の乏しい音の構造や、とりわけ自己解体が起動されるような不適合な音の構造を極力回避しつつ人類の遺伝子に約束された音環境を造りあげていく〈脳にやさしい音環境のデザイン〉の戦略を構想し、実行してきた。
【０２１２】
この戦略に立つ音の環境学では、音環境デザインの実際において、音と人との調和や協調をめざすこれまで知られる主要なアプローチとの間できわめて明瞭な、そして決してすくなくない隔たりを随所にみせるものとならざるをえなかった。それはまず、「なければならない音」すなわち〈必須音〉という初めての〈必須情報概念〉を構成し、その規範を設定し、いくつかの指標上で基準となる情報構造を具体的に明示するとともに、その基準が満たされなかった場合に心身に導かれる負の効果を明らかにした点で、これまでの音環境デザインにかかわるどの枠組とも一線を画している。また、音が存在しない環境を、異常性が高く人類の遺伝子と脳に不適合なものとし、従って無音状態が人と音とのかかわりを究める上での標準や基準として適格とはいえないとする立場をとっている点でも、他の体系や思想とのかなり鋭い不一致を生んでいる。
【０２１３】
このような大きな隔たりから必然的に、音の環境学の〈脳にやさしい音環境〉パラダイムによる音環境のデザインから生み出される音空間は、これまでのあらゆる音環境デザインの手法が造りだしたものとさまざまの大きな違いを随所にみせることになった。それらの中でも特に著しいのは、まず音圧レベルである。熱帯雨林を規範に設計される環境音のベースラインは、低くて５０ｄＢＬＡｅｑ前後、高い場合には７０ｄＢＬＡｅｑをこえ、ほとんどが現行の騒音規制の対象となるほど高い音圧領域に設定されなければならない。それにもかかわらず、適切に設計されたこれらの音は静寂感、快適感を発生させ、騒々しさを感じさせることがない。
【０２１４】
従来の音環境デザインとのもうひとつの本質的な差は、ベースラインとなる〈必須音〉の存在、そしてその広大な周波数レンジと高複雑性にみられる。これまでの音のデザインはあくまでも聴覚で捉えられる可聴音の範囲内で行われ、それをこえる領域については対象にのぼっていない。それに対して〈脳にやさしい音環境のデザイン〉では、可聴周波数上限２０ｋＨｚを五倍も上廻る１００ｋＨｚを基本的な目途とし、できればそれをこえる１５０ｋＨｚくらいの成分までを視野から外さないように努めている。
【０２１５】
従来の通念とは大きく異なるこうした側面こそ、〈脳にやさしい音環境デザイン〉の真髄を示すところである。その裏付けは、新しい切り口からの地球規模にわたる音環境の調査、さまざまなモデル実験、そして脳機能解析を主軸にした複数の指標による評価を通じてその妥当性と有効性が検証されているところにある。そうして導かれた確実性と信頼性の向上も、現行の諸手法と一線を画すところがすくなくない。
【０２１６】
この〈脳にやさしい音環境デザイン〉は、応用の拡がりを導くうえでもこれまでにない特徴をもつ。それは、第一段階として、〈必須音〉の条件を満たす音のベースラインを構成し、これを持続させて音環境を脳に適合させることによって基本的な条件をまず整える。これだけで最終目標を達成できる場合はもちろんすくなくない。さらにこのベースライン上に〈効果音〉としてさまざまなオブジェやシークェンスを含む音のシステムを導入するならば、きわめて多様な目的に対応し、しかも脳にやさしい音の構築物を造ることが射程に入ってくる。ここで参入させる効果音のシステムの中には音楽を含ませることができる。それは、音楽のみを音環境の補完物として起用した場合に発生する受容者の嗜好の個別性や受容の状況依存性を大幅に緩和する働きを示す点でも興味深い。さらに、音楽のもつ強制力を伴った情動感性効果や嗜好の個別性、そして状況依存性などの負の側面を回避しつつ魅力的な「音のオブジェ」を導入する手法として、人間に音楽としての作用を喚起し難い音のシステムを構成する手法としての〈１２音技法〉や〈チャンス・オペレーション〉を応用した〈効果音〉の構成手法は合理性をもつ。
【０２１７】
８．ここで〈脳にやさしい音環境デザイン〉のいくつかの応用例について、その具体的な仕組を紹介してみよう（図２７）。
【０２１８】
まず、都市のオフィスで働く人びとに、短時間の間に深く快い睡眠を提供する『快眠スタジオα』の例（図２１）。ここでは、目的に合わせて設計され内装されたスタジオ内に、視覚的には１／ｆゆらぎ構造をもつ壁面や間接照明の中にビデオ映像を流し、空気は温湿度とともに芳香性化学物質の導入と制御によって森林環境に近づけた。そして超高性能の再生装置から脳の働きをストレスフリー状態に導くハイパーソニックサウンドを必須音、そして効果音として流す。聴く人は、特別に設計された少し傾斜のある椅子にゆったりと寝そべり、ビデオ映像を眺めながら音を聴く。このシステムは不特定多数の人びとに至極たやすく快眠を提供し話題を呼んだ。ここで使われるのは、映像に同期した「音楽」で、それは熱帯雨林型の超高周波とゆらぎに満ちたバリ島のガムラン音楽、ブルガリアの民族唱法による女声合唱などを高速標本化１ビット量子化によって現場録音した素材を、目的に合わせて編集している。ここで眠りを誘うポイントは、通念からするとかなり高い音圧レベルで音を再生することで、その音圧レベルとは聴く人の位置で頻繁に６０ないし７０ｄＢＡ程度に達し、瞬間的には８０ｄＢＡを超えるくらいの状態でよい効果を発揮する。この手法は音がない状態の方が眠りに入りやすいという通念に反するが、ここではその通念との大きな隔たりが〈脳にやさしい音環境デザイン〉の有効性を裏付けている点においても興味深い。実際、人類の遺伝子に約束された音環境、熱帯雨林の夜は、ベースラインが５０から６０ｄＢＡ周辺にあり、瞬間値ではしばしば７０ｄＢＡをこえる驚くほど豊かなひびきに満ちた音の殿堂であることからすると、この事実は決して不可解なものではない。
【０２１９】
大規模な祝祭空間での快感誘起にハイパーソニックエフェクトを応用したものとして、「国際花と緑の博覧会」（ＥＸＰＯ’９０）の野外パビリオンとして出展された巨大な水のオブジェ『アレフ』の例がある。「いのちの海」と名付けられた四万平方メートルの人工池の中にコンピューターとＳＭＰＴＥタイムコードで一元的に制御された数十基（ノズルが百数十本）の噴水と一基の裂水装置を設けて、変容する水の造形と照明と音楽とを同期して演技させた。この水演出装置は、脳基幹部の活性を高めるハイパーソニックサウンドの必須の要素であるゆらぎに満ちた超高周波の発生装置として威力を発揮する。ここではそれを、必須音と効果音とを兼ねた状態で活用した。特に、オリジナルに開発された〈アイスフロー〉という噴水は、荒々しく水を噴き上げて高さ約十五メートル、太さ五メートル以上に達する巨大な水柱を形成し、そこから流下する大量の水は飛沫とともに激しい落下音を轟かせる。これをもっとも観客に肉薄した地点に並立させ稼働・停止と水量とをアレンジすることで、強力なハイパーソニックサウンドのシャワーが観客を包み込むようにした。その音圧は、観客の位置によっては７０ｄＢＡをこえるほどのレベルに達する。また、長さ約４０メートル、高さ２．３メートルの瀑布が対面する構造の裂水装置は、その間に「モーゼの道」のような溝状通路を形成し、ここを通過する人びと（パフォーマンスの出演者など）は、落下音によるすさまじいハイパーソニックサウンドの包囲攻撃を浴びる（図２２）。これらの自然音と、熱帯雨林で録音した環境音、ガムランやジェゴグといった民族楽器音、電子楽器群そして声を素材にオリジナルに作曲された音楽『翠星交響楽』の六チャンネルマルチトラックサウンドの融合体が、多くの観衆に強烈なハイパーソニックエフェクトを誘起する作用を発揮する。この表現戦略は観客を誘引するうえで卓越した効果を発揮し、ＥＸＰＯ’９０全パビリオン中最大数の観客６７０万人を動員して成功を収めた。
【０２２０】
ハイパーソニックエフェクトによって脳基幹部を活性化するうえで、発音源としての水の活用はもっとも効果的な方法のひとつといえる。ただし、水音単独の活用ではその効果は環境の快適性の向上という範囲を大きくこえることはない。それに対して、音楽を含む他の音のオブジェを始め、光演出などのマクロな時間的変容を含む感性情報の総合的な演出の中に水の運動とその発する音とを顕著なレベルで組み込んで構成すると、情報環境は劇変し、祝祭化あるいは祝祭性トランス化などを効果的に射程に収めることができるはずである。この仮説は『アレフ』の非常に大きな成功によって裏付けられた。この水の造形『アレフ』とその制御を兼ねたオリジナル音楽『翠星交響楽』を基礎に、祝祭性の感性反応を不特定多数の群衆レベルで実現することを計ったものとして、国際花と緑の博覧会最大のイベントとして実施されたランドスケープオペラ『ガイア』の例がある（図２３）。広大なＥＸＰＯ’９０会場の中心部分数ヘクタールを舞台と客席とが融合した表現空間として再構築し、出演者延べ約千五百人、観客１回当り約５万人、上演時間約２時間を要するスペクタクルである。音はプリレコーディングされた音楽と環境音、ライブ音楽、水演出システムの発生するゆらぎと超高周波に富んだ水音、特効音（花火と爆薬）で構成された。これにレーザーを含む光演出が加わり、中心となる水演出と同時多発性を含む群衆劇により景観総体が演技する新しい音楽劇の形式を〈ランドスケープオペラ〉として提案したものである。
【０２２１】
テーマは、『ガイア』のタイトルが象徴するように、地球という天体の誕生から人類の導く自然と文明との相剋、地球環境の破壊そして人類の覚醒と地球への讃歌を描くものになっている。それを反映して、音の表現も視覚表現に同調し、噴火や地殻変動など天文学的なイメージ、原初の熱帯雨林と狩猟採集生活、古典的および現代的な戦争などを描写するものとした。象徴性が強くしばしば巨大な音圧に達する現実音が電子的な再生音と組み合わされて呈示され、虚実が不可分に一体化した壮大なオーグメンテッド・リアリティ空間がきわめて具象的に出現している。これらの中でも、水演出装置からの超高周波振動や火薬の爆発が生みだすインパルス性の衝撃波が強調する現実音と、ライブ演奏および録音物による音楽とが融け合ったハイパーソニックサウンドの包囲攻撃は強力な感性刺戟を導き、この作品の演出効果を非言語的無意識的次元から支え、出演者および観客を陶酔に導く作戦を稔らせる基礎となっている。
【０２２２】
有力な美術館で催された視覚刺戟が主役となる美術展という空間に、癒しと安らぎの音環境を構築した『天然曼陀羅』の例について述べる。芳香性の天然素材を多用した超高密度・高複雑性の環境アートの展示に、熱帯雨林の環境音や水音の超広帯域録音物をやや強調して必須音のベースラインとし、さまざまな音楽や音のオブジェを効果音として遠景にかすかに交錯させる形式で構成したハイパーソニックサウンドを呈示した。この音の流れはＳＭＰＴＥタイムコードで規定され、コンピューター制御下に光演出をそれに同期した状態で誘導する。光演出は照度の空間分布とその変容、ハイライト・エリアの空間移動、色温度の時間変化という指標上で進行する。これらを統合した演出によって、癒しと安らぎを生理と感性の両面で実現することを照準している。このねらいは的中して、美術作品を鑑賞する人びとの足はこの展示室で長く滞留するという傾向を歴然と示し、動態計測データによると、他の展示室の約３倍の時間、この展示室に留まっていることがわかった。
【０２２３】
『天然曼陀羅』のコンセプトを高密度視聴覚電子メディアに移植してヒーリング効果を発生させるメディアアートを構成した『ウィアンタ・ヒーリング』の例。天然曼陀羅のためにハイパーソニックサウンドとして創られた音楽作品をそのまま必須音、効果音として作用するメディア全体のベースラインとし、その音の表現と同期させて、ヒーリング効果をできるだけ高めるよう撮影編集された『天然曼陀羅』展示美術品のハイ・ディフィニション映像を編集し構成した１５分間の作品。これを、ゆったりした座位をとる視聴者に呈示し、脳基幹部ネットワーク活性およびストレスフリー度合の指標脳波α波の活性の推移を見た一例を図示する。当初ハイストレス下にありα波の活性がまったく認められない状態から出発して、約五分試聴した時、α波が圧倒的に優位に現れ、十分経過後には最大水準にパワーが増強されて、以後この状態が維持されている（図２４）。
【０２２４】
総合的な商業ビルの中核となる巨大なアトリウムの音環境を造成した『ソニー・メディアージュ・アトリウム』の例について。空間規模は、床面積約７００平方メートル、高さ約４０メートルで、ギャラリーは６層からなり、内装の意匠水準はきわめて高い。この空間は来客の送迎と滞留の拠点となる。そこで、この空間の造型構成に芸術的文脈を一致させたハイパーソニックサウンド空間を展開し、シンボル機能にあわせてハイパーソニックエフェクトを発揮させつつ多様な嗜好をもつ不特定多数の来場者に意識、無意識の両面から働きかける。こうして快適と快感の印象を形成することで、新設のこのビルへの客の招致を計ることが構想された。音空間は前後、左右、上下に向かってそれぞれ独立したステレオイメージを形成できるよう、二チャンネルステレオ×３系統の六チャンネル立体音場とした。音源構成は、複数の熱帯雨林の環境音に中欧および東欧の現実音を加えて編集した自然環境音を必須音として構成し、これにそれぞれ２チャンネルステレオによる東方教会（オーソドックス教会）の典礼合唱、およびアナログ処理で合成された電子音を効果音として加えて６次元の構成とした。これらを超高周波数領域の特性を強化したハイパーソニックＳＡＣＤプレイヤー３台で再生し、その出力信号をマトリックス・シグナル・コントローラーによって個別的に制御し、４系統１４６個のスピーカーシステム一セットずつについて固有の信号ミクシング状態で駆動した。これによって、通路、エスカレーター、休憩用ベンチなどあらゆる箇所で全方位性のステレオイメージが享受でき、リアリティを高めている。
【０２２５】
このシステムは電子回路やスピーカーはもとより、ケーブルなどの部材までよく吟味されたものが使われ、ソフトウェアのもつ超高密度、複雑性、変容性をかなり高い水準で実際の空気振動に変換している（図２５）。そのため、すくなからぬ人びとにとって、その音空間はかつて体験したことのない美しく快いリアリティを感じさせている。なお、この商業ビルは開設年度の来場者目標を六百万人と設定したが、実際の来場者は一千万人をこえ目標を大きく上廻っている。その背景のひとつとして、この音環境の構築はすくなからぬ貢献を果たしたと推定される。
【０２２６】
電子系を介さない直接音の発生装置として開発した『ハイパーソニック・オルゴール』について。ディスク型オルゴールの金属製発音機構に注目し、世界に比類ない技術力をもつオルゴールメーカーである（株）三協精機製作所と協同して、古典方式とは全く異なる振動発生メカニズムおよびアコースティック・プロセッサーを開発し、実在機械として作動する音源を創造した。このシステムは、１２０ｋＨｚを超える高周波成分を豊かに含みきわめて複雑なゆらぎを伴うすこぶる魅力的なハイパーソニックサウンドを発生する。ヴィジュアル・デザインも練成されたもので、開発早々ながら幅広い活用が期待されている（図２６）。
【０２２７】
９．以上、音の環境学による〈脳にやさしい音環境のデザイン〉のそれぞれ傾向を異にするいくつかの例を示した。これらは、必須音として人間の脳深部を活性化する超高密度、高複雑性、変容性の音のベースラインを確保することを共通原則としている他は、形式内容ともにきわめて柔軟な枠組のもと自在な展開を進め、効果をあげている。それを従来の音と人とをむすぶアプローチの枠組と照らし合わせてみると、『快眠スタジオα』、『ウィアンタ・ヒーリング』、『ハイパーソニック・オルゴール』は受動的音楽療法、『天然曼陀羅』はＢＧＭ／環境音楽、『メディアージュ・アトリウム』はアコースティック（サウンドスケープ）・デザインと重なりあう役割を果たしている。しかしその内容、効果などの面では、すくなからぬ隔たりを示す傾向が認められるのではないかと思う。多くの場合、その成果は何らかの指標上で計測、分析、評価が可能であり、同じような目的を指向して従来の手法で行われた例との間で、しばしば歴然たる有効性の差を示す。
【０２２８】
ただし、ここで注意を喚起しなければならない重要な問題がある。それは、〈脳にやさしい音環境デザイン〉の原理に基づき〈必須音〉として熱帯雨林型の超高密度、複雑性、変容性に富む音のベースラインを存在させることがかくも有効性を発揮するということは、厳密にいえば「向上」や「改善」の概念にあてはまらないのかもしれないのである。遺伝子に適合した本来の音環境の存在を念頭におくと、〈脳にやさしい音環境デザイン〉のもたらした収穫は、私たちが今棲む環境が、本来あるべき〈必須音〉となる空気振動を殲滅状態下においていることの証左に他ならないのではないだろうか。つまり、音のベースラインとしてのハイパーソニックサウンドの効果は、「向上」や「改善」というよりは本来性の「回復」ないし現代病の「治療」に貢献しているにすぎないものと心得るべきだろう。それは、ハイパーソニックエフェクトを応用した脳にやさしい音環境デザインの有効性の陰画として、在来の音環境改善策がその稔りを結んだのちなお未解決に残す可能性が高い都市の音がもつ「必須情報の欠乏」という病理の存在を浮かび上がらせずにはおかない。            
【０２２９】
＜１−２−３＞遺伝子の求める環境のグランド・デザイン．
１．音の環境学（サウンド・エコロジー）が生み出した〈脳にやさしい音環境デザイン〉は、人類の遺伝子を育んだ熱帯雨林型の情報構造をもつ〈必須音〉をベースラインとして音環境の構築を計る戦略によって、音と人との調和を導くこれまでにない効果を現した。では、音環境問題とはこの方向を究めていくことで究極の解決に接近できるものなのだろうか。これについて本発明者らは一連の実験を試みた。
【０２３０】
まず、バリ島のガムラン音楽の可聴域成分を聴いてもらいながら、熱帯雨林を写した写真のスライド（静止画）を画像密度を変えて呈示し、視る人の脳波α波を計測する。そうすると、画像密度が高まるのに伴ってα波のパワーが増大する。驚くべきことに、この傾向は、被験者のランドルト環による視力の上限をこえた「視えないはず」の密度にまで及ぶのである。また、画像内容を単純な幾何学模様から複雑性の高いフラクタル模様へと変化させていくと、それに従ってα波パワーが増大する。つまり、ちょうど音の場合と同様、視覚を刺戟する光情報の場合にも、低密度で単純な都市型の情報構造から超高密度で複雑な熱帯雨林型の情報構造に向かうに従って、脳の活性が高まっている。このように、音に限らず知覚限界を超える高密度と複雑性をもつ環境情報によって脳が活性化される現象を、本発明者らは〈ハイパーリアル・エフェクト〉と名付けた。
【０２３１】
次に、通常のＮＴＳＣフォーマットのビデオ映像を視ながら可聴域だけの音を聴くときの脳波α波パワーを計測する。続いて、同じビデオ映像を視ながら同じ音を超高周波を含んだハイパーソニックサウンドの状態で聴くときの脳波を測定すると、予想どおり可聴域だけの音のときよりもα波のパワーが強く現れ、動画を視ているときでも「脳にやさしい」音として作用することを示している。そこで、この超高周波を含む音を聴く状態で、呈示する映像を通常のＮＴＳＣフォーマットではなく、より高精細度のハイ・ディフィニション（ＨＤ）フォーマットに切り替えるとどうなるだろうか。実は、画像密度を上げると、α波のパワーはさらに増強される。つまり、音と光との双方がともに高密度化して熱帯雨林型により近づいたとき、より強いα波パワーが現れて脳との最高の適合性を示すのに対して、音または光の一方だけだとそれに及ばないのである（図２８）。
【０２３２】
この実験が示唆するように、私たちの脳の活性は、音、光、あるいは温度、湿度、香りなど単一純粋な個別回路からの情報によってすべてを律しきれるものではなく、あらゆる環境認識回路から入力される情報について包括的、総合的に反応していることを否定できない。「究極的に脳にやさしい音環境」であるためには、音以外のあらゆる環境情報についても人類の脳と遺伝子に約束された熱帯雨林型の構造をもたなければならないだろう。ちなみに、音の環境学が現時点で音環境再構築に効果的な手法としている〈オーグメンテッド・リアリティー〉の応用に当っても、できるだけ幅広い切り口を設定して総合的に情報環境総体のデザインを行うことが望ましいはずである。特に、環境からの遠隔性の使者の双璧となる音情報と光情報については、先に述べた知見が示すとおり、両者を連動させることによらずして良い結果を導くことは難しい。
【０２３３】
この音環境と光環境その他とを一体化して「脳にやさしい」情報環境の総合的なデザインを行おうとすること、すなわち〈脳にやさしい環境のグランド・デザイン〉は、〈脳にやさしい音環境デザイン〉の場合とよく似た状態で、近現代環境デザイン総体に劇的な変革の引き金を引くことを意味する。そこでは、これまでの都市計画や居住設計の相当部分が脳機能適正化の上で効果のないもの、あるいは阻害性のものとして見直されたり、退場を余儀なくされる可能性もなしとしない。あわせて、現在の都市計画や居住設計のどの学説や流儀とも次元を異にする新しい設計原理を導き、必須のものとしてその実行を迫ることもあるだろう。
【０２３４】
ここで最大の問題になるのが、熱帯雨林型の情報環境に固有の情報の高密度性、複雑性に他ならない。それは、音については、可聴周波数帯域を数倍上廻る周波数帯域の広さと豊かなスペクトルのゆらぎ構造であり、光については、視力限界を果てしなく上廻る空間密度と多彩なフラクタル構造である。しかも本発明者ら自身の実験から見出されたところからすると、驚くべきことに、音、光のどちらについても、その情報密度を人間に知覚可能な範囲にまで低下させると、知覚をこえる高密度状態におけるよりも受容者の脳の活性を歴然と低下させるのである。
【０２３５】
これらの事実は、私たちの脳機能の健常性が、意識と知覚によって認知できる範囲内の情報をもってしては保持しえないという驚くべき真相を告げる。つまり私たちの脳の活性は、意識とはるかに隔たり知覚さえも超えてその彼方に拡がる超高密度で複雑な、すなわちほとんど完全に非言語的な情報世界の存在によって初めて、健常に維持されることになる。この超高速大容量で代謝する情報世界には、すくなくとも直接的に、低速少容量の〈言語脳モジュール〉の活性が追随する余地はない。いい換えれば、このように知覚を超えて心身に強く働きかける〈ハイパーリアル・エフェクト〉は、ほぼ完全に非言語脳本体によって職掌されつつ、デカルト的言語脳機能の圏外にある。都市計画を含む西欧近現代の居住文化コードにとって、この認識は、きわめて深刻な空白領域の存在が発覚したことを意味する。それを裏付けるごとく、文明化が進行した生活空間とりわけ都市での音および光情報の低密度化は、本発明者らの研究知見からするとすでに危険な水準にまで進行しているといわなければならない。
【０２３６】
音と光とが連動する脳の反応は、「脳にやさしい音環境」を最高水準で実現する条件として、その延長線上に展望される「脳にやさしい情報環境トータル」の包括的な設計と構築が必要であることを示唆し、それを要請する。そこでは、すくなくとも環境からの遠隔性の使者となる音情報および光情報の双方について、熱帯雨林同様に知覚限界を大きく上廻る時間空間密度をもった、複雑性の高い情報構造が環境化した状態になければならない。あわせて、密接性の環境情報を担う使者たち、たとえば温湿度、芳香性化学物質を含む大気成分、イオン組成などについても、熱帯雨林にできるだけ近いメッセージをもたらすことが望まれる。
【０２３７】
このような要請に応える種子を宿した生活情報環境の設計思想というものは、日本の屋敷林、坪庭、茶庵などに伝統知として見出すことができる。一方、近現代文明あるいはその母胎となった西欧文明の中に尋ねることが難しい。このことについて、ここでは主に遠隔性の光（視覚）情報に注目して検討しよう。
【０２３８】
２．狩猟採集生活を放棄して熱帯雨林をあとにした人類のもっとも素朴な定住拠点となった〈村〉や、その自然な進化形態である〈田舎町〉では、それぞれを形成する道程もその設計も自然発生的であり、本来性の遺伝子の支配をより反映しやすいことは、私たち自身の目で確かめることができる。このような居住環境では、遺伝子に約束された「脳にやさしい本来の情報環境」からの限度をこえた乖離は抑制されやすい。あわせて、本来性から離れた方向への傾きやゆらぎが自律的に復元に向かう生物学的な〈情動と感性による行動制御〉が有効性を発揮するという性質も保たれている場合が多い。それに対して、文明が育ち都市型の居住の枠組に踏み込んだのちには、そうした制御機構は著しく効果を喪い、遺伝子に約束された環境に対する求心力を大きく減じながら、情報環境が本来性を離れて漂流するのにまかせる傾向が顕著になる。
【０２３９】
人間の居住に高い関心をもつ文明史家ルイス・マンフォードが「複合的な文明の容器としての都市」と呼んだように、都市とはまさに文明を具現する拠点となる人工化の坩堝（るつぼ）に他ならない。その歩みはほとんど例外なく、人類の生命活性のすべてを記述したプログラム・システムであるＤＮＡおよび情報処理の中枢装置である脳の本来の仕組や働きとの乖離を大きくし、物心両面での人間生存との不調和を導く。このメカニズムを背景にして、都市と人間の本来性との相剋は、ほとんどすべての文明を通底する属性のような姿を人類史上に刻印してきた。この問題に対して本発明者らは、情報環境学の枠組を導入することによって、新しい切り口を開いている。
【０２４０】
この問題の大きな背景は、遺伝子に約束された本来の環境への復元力を上回る都市固有のバイアス作用にかかわる。そのひとつはトップダウン性のもので、権威や権力あるいは経済価値のような圧力装置を通じて、本来性から乖離する方向へ力を振るう。もうひとつは個人が生きるためにやむを得ず起動するボトムアップ性のもので、高度に適応的な、あるいはその限界をこえて自己解体的な思考や行動のプログラムをしばしば発現させる。この両者は、互いに対立したり、一方が優勢、一方が劣勢になったり、協調したりするものの、本格的な都市型情報環境下では、ほとんどの場合、遺伝子に約束された本来の環境に向かう流れを遮り、それに逆行する病理のベクトルを増大させる効果を現わす。この図式には、文明とその容器としての都市の宿命が浮彫にされている。
【０２４１】
３．西欧文明の中の都市情報環境デザインの主導権の推移を歴史的に見ると、古代、中世、近世までは、形式の別はさておき、もっぱら時の権力によって一元的に制御されるあり方が一般的だった。その内容は、居住に加える統治、防御、祭祀、交易、娯楽などの機能の他、権力や権威の表象あるいは富や民度の指標として、威厳、神秘、絢爛、華麗といった感性的なデザインが相当に重視されている。つまり、機能や用途に対して規範や象徴としての側面が比較的優先される傾向がみられ、それらは時として、感性的な情報環境質の劣化防止に貢献している。なお、これらはほとんど視覚に訴える光情報として環境化されており、音情報がそうした役割を果たす場面は、〈教会の鐘〉のように時間空間的にかなり局限されている。
【０２４２】
このような都市情報環境デザインの原理は、市民革命と産業革命に導かれた近代に入って大きく変貌する。それは、発展する文明活動の容器として都市を捉え、その機能や用途の優先性を容認した都市環境デザインの台頭である。「基本的人権を認められた自由・平等な個人の集合体として構成される社会」という新しい認識のもと、都市のデザインについても個人の所有物レベルではその自由意志による設計が当然のこととして優先され、都市全体についてもそれが反映される状況に転じた。これによって、かつての絶対的権力による一元的な制御が崩壊し、感性情報環境質の優先性やデザインの統一性が喪われるとともに、部分と全体とのデザイン上の連関や調和が危機に陥れられた。
【０２４３】
その典型例として、アダム・スミスらに導かれて新興の産業ブルジョワジーたちが獲得した商工業経済の〈自由放任主義〉が、工業都市という新しい環境のデザイン―というよりは用途と機能に隷属する状態下での脱デザイン的構築―によって生み落とした煤煙と轟音の蹂躙する環境がある。近代固有の所産として現れたこの種の環境質の下落は、イギリスに勃発した「コークス都市」の惨状などを契機に都市のデザインを自由放任から奪還する社会運動を導き出し、近代都市計画の嚆矢となった。
【０２４４】
市民革命が獲得した個人の自由意志の不可侵性、デザインを含む表現の非拘束性、あるいは利益追求の任意性といった原理原則に対する恐らく歴史的に最初の自律的ブレーキとして登場したのが、環境制御の発想を核心とする〈都市計画〉という概念であったことは注目に値する。それは、大気や水の汚染が導く呼吸器疾患や感染症の蔓延抑止といった物質的環境問題、そして人口過密や工業労働者の劣悪な処遇の改善といった社会問題として注目され、その解決へのアプローチにつながった。
【０２４５】
都市計画への離陸という街づくりの歴史的な転換後は、さまざまな思想や美学あるいは価値観の枠組―広義のイデオロギー―にのっとった計画設計の原理と手法が提案され、その一部が実行に移されつつ現在に至っている。ただし、現時点までのほとんどすべての都市設計の原理は、遺伝子決定論の確立や脳科学の展開を見る前に構想されており、既存の音環境デザインの場合と同じく、新しい知見に支援された生命科学的合理性のうえに立つ枠組を準備していない。その点では、本発明者らの求める「遺伝子に約束された脳にやさしい環境のグランド・デザイン」を構成する拠りどころとすることが難しいが、いうまでもなくそれらの中には、学ばなければならない知識や発想、そして経験が満ち満ちている。
【０２４６】
西欧近代の都市計画の歩みでは、イギリスにおけるコークス都市に充満した煤煙および動力音と生活空間とを分離するとり組みや、フランスのパリにおける屎尿と生活空間とを分離する事業といった主に人間の健常な生存に直結する物質レベルでの緊急性の高い問題の個別的解決が先行した。それらが軌道に乗るのに並行して、都市の全体構造を包括的に構想する近代的な都市計画の発想体系が浮上し、その一部をなす「都市の美観」といった枠組の中に本発明者らのいう〈情報環境のデザイン〉が包含される状態を見るに至っている。
【０２４７】
こうした近現代の都市計画は、しばしば、何らかの発想法や手法体系などをスローガンとして掲げ、固有の作業仮説に立って、一種のユートピア志向を漂わせた提案を行う傾向をもっている。その中でももっとも古典的ながら今なお評価の高いものとして、近代都市計画の祖とされる二人、エベネザー・ハワードによる〈明日の田園都市〉とパトリック・ゲデスによる〈進化する都市〉が知られている。とりわけハワードのモデルは、人間のもつ生物としての自然性に対する配慮が厚く、太陽の輝き、新鮮な空気、清純で豊富な水、自然の美しさなどを強調している。ただし音については、その理念を窺うに足る規範や材料が見出されない。
【０２４８】
ハワードの田園都市に並んで世界の都市計画の思潮に大きな影響を残したものとして、ル・コルビュジェの〈機能主義都市計画〉のモデルがある。彼はハワードと対照的に科学技術文明に対してきわめて肯定的・楽天的な立場をとり、家を「住むための機械」と表現したり、機械にイメージを求める造形形式〈ピュリスム〉を提案したりしている。その活動は、党派性をもってイデオロギッシュかつ能弁に行われる傾向が著しく、その思想の伝道拠点として近代建築国際会議（Ｃｏｎｇｒｅｓ  Ｉｎｔｅｒｎａｔｉｏｎａｕｘ  ｄ’Ａｒｃｈｉｔｅｃｔｕｒｅ  Ｍｏｄｅｒｎｅ＝ＣＩＡＭ）を自ら設立し主導した。それは、２０世紀後半西欧建築を風靡した機能性を主張し装飾性を廃絶させる単純な形状をとった無機的なデザインのひとつの震源地ともなった。そこでは情報環境質を含む生命情報科学的作用はほぼ完全に考慮外におかれ、純粋に物質的用途的活性の面からデザインを捉える姿勢が徹底している。
【０２４９】
その都市の機能は、ＣＩＡＭの『アテネ憲章』によれば、居住、労働、娯楽、交通の四項目で定義され、これらの機能が十分に満たされることを都市計画の目的とした。この枠組は優れた居住環境の条件として太陽、空気、緑を挙げて概念のうえではハワードの田園都市との共通性を示している。ところがデザインの実際については、古代ギリシアを意識した幾何学的パターンを機械文明にふさわしい形状の規範とし、直線や直角を強調するコンセプトを提唱して、ピロティと屋上庭園そして幾何学的な形態を定番とする灰色の箱が並んだ画一的なパターンの多発を導いている。そして音については、特別な関心が払われ指針が吟味された跡を定かに見ることができない。ハワードやゲデスらのモデルと同様に…。
【０２５０】
機能主義都市計画のもつ単純明快な機能の設定は、ル・コルビュジェ自身の代表的な提案『三百万人の現代都市』に典型的に見られるように、都市空間が機能別に分割されそれぞれの区画が単機能化する傾向を歴史的国際的規模で促し、近現代文明の固有性を反映している。こうした都市機能の単機能化を伴う空間的な「割拠」は、そこに環境情報の構造の分極化を反映させる場合が多い。それは近代都市計画以前から兆しを見せ、とりわけ、森林性公園を大型少数に集約し拠点化する傾向が顕著になっている。その典型を、パリのブーローニュの森やニューヨークのセントラル・パークなどに見ることができよう。
【０２５１】
４．森林性公園を大きくまとめて少数に拠点化する都市の構造は、近現代においてしごくあたりまえなものになっている。しかしそれをハイパーリアル・エフェクトを視野に入れた本発明者らの観点からみると、すこぶる深刻な問題を孕むものとしなければならない。なぜなら、それは、脳にやさしい超高密度高複雑性情報の優れた発信源となる森を、それが生理的有効性を発揮しうる至近の生活空間から大きく引き離して偏在と割拠に導くからである。「脳にやさしい環境のデザイン」にとってそれは良質の情報資源を無効化することを意味し、見過ごすわけにいかない。
【０２５２】
都市計画黎明期のバロック・スタイルから現在の前衛的なデザイン理論に至るまで、またフィンランドのタピオラ市のように〈森林都市〉を標榜するような計画においてさえも、樹木や昆虫など森林性環境情報の発信源となるものと受容者となる人間との間の情報の授受について明示的な規範や科学的な基準が存在せず、事実上設計者の任意性に委ねられていることに注意が必要である。もちろん昨今では都市の地表がコンクリートやアスファルトに覆われることに基づく〈ヒートアイランド現象〉を抑止するために、敷地あたりの緑化区域面積の確保が制度的に計られつつある。しかしそこにも、情報環境と脳との適合という生命科学的観点はなお見出せない。
【０２５３】
これらは、健常な生存のため脳にとって必須な超高密度高複雑性環境情報を生活空間内に確保するという本発明者らの考え方が誕生する以前の限界としてやむをえないものではある。しかし、このように問題意識が空白の段階にある既存の有力な都市計画の発想は、そのままの状態で私たちの〈脳にやさしい環境のグランド・デザイン〉に機能させることが難しい。なぜなら、そこでは情報源と生活者との時間空間的乖離を抑止するという発想がなお欠落した状態に止まっているからである。本発明者らが実験的につきとめつつあるところからすると、遠隔受信性の音情報と光情報が脳にやさしいメッセージでありうるためには、その密度は、人類の聴覚・視覚がもつ知覚密度上限をすくなくとも数倍上廻り、しかも特別な複雑性の構造を必須のものとして具えなければならない。そうした情報を発信する理想的な情報源はいうまでもなく熱帯雨林になるけれども、そうではない森林であっても、それは他の何物よりも適合性の高い情報源であるに違いない。
【０２５４】
ここで従来まったく意識されていなかったにもかかわらずきわめて重要な問題になるのが、生態系が発信し、本発明者らの脳が求める超高密度高複雑性光情報および音情報の有効射程距離が都市のサイズに比較してきわめて微小でしかない、という深刻な事実である。たとえば「脳にやさしい」音情報として有効な１００ｋＨｚをこえる複雑な空気振動では、高い周波成分ほど空気中を伝播する途上でそのパワーが減衰しやすいという自然の法則によって、数メートルを飛ぶ間に無視できないレベルで肝心の超高周波成分が減弱し、効果を衰えさせる恐れがある。
【０２５５】
一方、光情報は、森林を構成する植物体を中心とする生体構築物が数十ミクロン程度の寸法をもつ細胞を構造の単位にしており、その内部構造としてサブミクロン・サイズの〈オルガネラ〉をもち、それらはよりミクロな生体高分子から構成されるという階層をもっているので、事実上無限に微細な構造をとっている。光信号は、理論的には伝達距離に応じた減衰は音とは比較にならないほどすくない。しかし、微細な構造とその複雑性がきわだって高いパターンでは、至近距離から送られたものでないと感覚的に刺戟となりうる信号構造を維持できない。ちなみに、日本や中国の伝統的な絵画の技法の中で重要な地位を占める〈空気遠近法〉が教えるとおり、対象との間に広がる空気層は、その厚さに比例して光情報の精細度、明度、彩度を低下させる。従って遠方に所在する森の姿は、光情報としての超高密度性、高複雑性を大きく喪失しており、眼前の植栽の与える視覚像のように脳の活性を高める効果を期待することが難しい。
【０２５６】
さらに、熱帯雨林型の超高密度高複雑性の光・音情報によって導かれる〈高い水準〉の脳の活性状態は、脳波α波パワーの推移から見ると、入力刺戟が途絶えたあとそれほど長時間維持できるものではなく、約二―三百秒間のちには、〈低い水準〉にまで低下し終わってしまう可能性が高い。そのため、優れた森林公園を訪れてその環境情報で脳を活性化できたとしても、森自体が遠方であった場合には、帰路の始まりでその効果は雲散霧消してしまうことだろう。
【０２５７】
このようなメカニズムが存在する以上、私たちは、厳密にいえば常に森の中にあり続け超高密度高複雑性情報の発信源と渾然一体となり続けることによってのみ、脳の健常な活性状態を維持できることになる。遥かに見える眺めや彼方からひびく音にはその効果を期待できない。この点において、都市環境の情報構造を時間的空間的分化と割拠に委ねるこれまでの都市計画は、本発明者らの「脳にやさしい環境」の構築原理ときわめて調和し難い。パリのブーローニュの森、ベルリンのグリエーネワルト、ウィーンの森、ニューヨークのセントラル・パークなどこれまで評価の高い森林性公園であっても、生活空間から遠く乖離した状態で分離独立し割拠している点において、その有効性に大きな限界があるとしなければならないのである。
【０２５８】
このように、超高密度環境情報を必須とする「脳にやさしい環境のグランド・デザイン」では、光・音情報ともに、それが天然物か人工物かを問わず、その発信源を至近距離に確保することを求める。この情報環境の構成条件を導入したとき、その情報源のすべてが自然生態系であるか、相当部分を人工物で補完したシステムであるかにかかわらず、都市と居住の設計の相当部分を、現行とは根本的に異なるものに築き直さざるをえないことが理解されるだろう。
【０２５９】
その解答となるひとつの方法は、部分の構造の中に全体の構造が埋めこまれた位相空間原理にのっとる情報環境の構築である。これを具体的にいえば、完成度の高い理想的な都市を構成する公園を含む、超高密度高複雑性情報環境要素のすべてが、都市のどの小領域をとっても欠けることなく含まれ、高度に分散分布する形をとる。それは最終的には、個人の居室の中にも森林型の超高密度高複雑性の情報環境を実現することを意味する。
【０２６０】
５．ここであらためて〈脳にやさしい環境のグランド・デザイン〉とは具体的にどのようなものになるかについて、音環境デザインと重複するところがすくなくないけれども、現在考えられるその骨子について、位相空間原理にのっとって概説してみよう。
【０２６１】
第一に、限りなく細密複雑で変幻きわまりない熱帯雨林の環境情報にできるだけ近づける。そのためにもっとも望ましくは熱帯雨林型の森林生態系それ自体を造成することになるけれども、現実的解決としてそれを人工物で補完する場合には、暫定的な基準ながら、現在の都市環境の中に、すくなくとも音情報として実際の熱帯雨林の音に準拠して受容者の位置において１００ｋＨｚまたはそれ以上に達する豊かなゆらぎ構造をもった超広帯域空気振動を供給する。これは人間の可聴周波数上限２０ｋＨｚの５倍以上に相当する。
【０２６２】
光情報については、森の実態は限りない細密性の中にあるけれども、人工的手段で補完する場合には、仮に、音情報の場合に準じて、人間の標準的な視覚弁別閾をこえる細かさである０．０１度の空間密度の５倍に相当する視野角０．００２度以下の超高密度居住壁面を想定した場合、現行ハイ・ディフィニションＴＶ規格をおよそ１桁上回る密度をもつフラクタル構造性の情報とその変容を供給することを目標とし、さらに検討を続けることを暫定的現実的な対応としたい。
【０２６３】
ここで、光情報をビデオ画像として供給する場合に注意しなければならない問題がある。天然には、動物の網膜には空間的にも時間的にも連続した光入力が与えられるのを通例とする。それに対して、ビデオ画像では、まず、〈走査（スキャニング）〉手続きによって左から右へ向かう線状の描画が上段から下段へと逐次進められて１枚の〈フレーム〉が描かれ、次いでこのフレームが約３０分の１秒ごとに書き換えられるという不連続なスライド・ショウ形式をとっている。人の眼のもつ残像という性質が、知覚上これを連続した入力と誤って認識しているにすぎない。従って、厳密にいえば、走査やフレームによる不連続化を伴わない時間空間的に連続した画像の記録、伝送、再生の方法を開発することが求められるのである。
【０２６４】
先に述べたとおり、超高密度高複雑変容性の情報は、空気中を伝播する間にたやすくその特質のいろいろを喪ってしまう。そこで、音、光ともに、できれば受容者から十メートル以内くらい、本格的には約５メートル以下くらいの至近な地点に所在する情報源から発信される情報で環境化された空間を実現することが望ましい。これらの課題を現実的に解決するうえで、至近にトランスデューサーを展開した再生系によって都市情報環境を補完する超高密度メディア技術の開発が有効となる。
【０２６５】
第二に、補完または構築する人工性の情報空間を全方位性の熱帯雨林の情報空間に合わせ、その内部および隣接する空間相互間で、情報の時間・空間的連続性を確保する。そのために、環境知覚の中でもっとも高度な全方向感受性をもつ音環境の人工的補完部分については、左右、前後、上下の全方向にわたるフル・サラウンド環境を構成することが望ましい。また熱帯雨林には壁も扉もなく、環境音や景観を遮断する聴覚的・視覚的障壁が存在しない連続した情報空間を成すという特徴がある。視覚情報については、目を閉じることによって視覚情報の不連続性が生じることなどを考慮すると、この点での脳との適合性についての要求性はそれほど高度ではないかもしれない。それに対して、聴覚は常に全方向に開放された状態で稼動している。従って、扉を通過しても断絶しない音空間の構築が視覚よりも優先的に望まれる。どこかにつながりのある視空間の構成もそれに次いで重要といえる。それらを実現するためには、現行の街区・建物・屋内構造・付帯設備などの設計手法や経験だけでは対応が難しい。発想の転換とそれに基づく設計技法を新たに開発する必要がある。
【０２６６】
第三に、熱帯雨林特有の「決して途切れずくり返されることがない環境情報の流れ」を実現する必要がある。熱帯雨林の情報環境では、同じ構造をもつ情報の時間空間的パターンが反覆をもって現れることはありえない。私たちの脳がそうした熱帯雨林で進化してきたということは、一定時間ごとに正確に反覆されるような情報構造に進化の歩みの中で出合っていないことを意味する。そうした情報構造は回避した方が安全であるに違いない。この環境情報トータルの非反覆性を都市の高密度生活空間内に高度に有効確実に実現するには、先に述べた音環境についてのやり方を拡張して、実在する熱帯雨林型環境情報を電気信号に変換し、時差のすくない地点であればリアルタイムに、または時差が無視できない場合にはデータストレージに一時ストックすることによって時差を克服して、都市環境に配信し続ける方法がひとつの高度な解答となる。より簡略には、音再生系について開発した同期して運転される複数のデータメモリーの個々の再生時間を互いに素数関係に組み合わせたシステムを応用する方法と同じ原理を応用して、パッケージメディアを含む環境情報発生系において反覆性情報の発生を避けた〈非反覆メディア技術〉の開発も効果を発揮するだろう。
【０２６７】
第四に、電子メディアを活用する人工的情報空間総体を包括的に最適化する方途を開発する。これについては、先の第三項で述べた原理にのっとって、時差の小さい実在の理想的な熱帯雨林型環境のもつ温度、湿度、風、大気成分、イオン濃度など物理的化学的事象にかかわる情報から聴覚、視覚、嗅覚などの刺激となる感覚感性情報におよぶ環境情報トータルを高忠実度で電気信号化し、それらを高速通信衛星や大容量ネットワークを利用してリアルタイムで都市環境に伝送し情報環境として再現することによって、課題をきわめて高度な水準で達成することができる。もちろん、超高速超大容量多次元データストレージの開発による時差の解消はここでも有効だろう。
【０２６８】
第五に、いかに高度につくられた人工物であっても、熱帯雨林の自然と完全に置換できる保証がないという現実への対処が必要となる。この場合、都市環境の中に熱帯雨林型環境を実現させることはきわめて難度が高いうえに短期的、中期的には現実性が稀薄といわざるをえない。そこで、一方では人工的に造成された情報による補完に高度に依存しつつ同時に天然との共生をも計った脳にやさしい環境を実現することが現実の解答となる。この場合、熱帯雨林の情報的特質を何分か具えた生きた自然物を対象空間内に実在させることが恐らくは必須でありすくなくとも安全である。都市環境に固有の脳に不適合な人工性を抑制するための自然物と人工物との共生技術の創造を進めることを欠くことができない。この問題は、食品でいえば、一方で合成食品が増えるほど、他方で自然食品の確保と摂取が求められることにあい通じる。
【０２６９】
そのために、対象空間でリアルタイムに振動する天然性高密度音源の開発や、電子化した環境情報の符号化を経由しない編集・配信・再生技術の開発などが有効となるだろう。具体的には、ゆらぎに満ちた超高周波を直接発信するハイパーソニック・オルゴールや水音のような、物質でいえば無農薬有機栽培野菜に相当する「生音源」の開発や、離散的符号体系への変換を伴わない超アナログ通信技術、たとえば現行の電子映像のもつフィールドやフレームによる時間空間的分断とデジタル化による不連続を克服した映像伝送法の開発などが期待される。
【０２７０】
また、至近距離に実在の自然生命系（植栽や昆虫を含む小動物）が有機的に組み込まれた生活空間を構築する技術を開発することも新規性の高い課題だろう。その技術資源として、先に述べたように、日本の特色ある伝統知に含まれる屋敷林や茶室、坪庭などが注目される。それらのもつ環境デザインの原理と、高性能メディア情報技術とを融合させた街区、建物および屋内を設計する原理とを結ぶ手法を開発して、本格的な稔りに結び付けるのである。
【０２７１】
こうした構想のもとに、本発明者らは、「遺伝子に約束された脳にやさしい環境のグランド・デザイン」を練り上げ、新しい環境デザインのパラダイムとして音を、広めていくのである。
【０２７２】
６．ふりかえってみると、近現代文明の容器として生み育てられてきた都市型の居住形式には、「物質文明」としては爛熟しながら「情報文明」としては著しく素朴な段階にある現在の科学技術文明のもつ非対称性、完成途上性が強く反映されている。それは、デカルト的二元論に基づいて物質世界と精神世界とをまず二分したことに無縁ではない。そのうえで、物質世界に基礎をおくハードウェアについては、対象となる立地、材料、構造などとその手段となる理工学や工業技術などを通して基本的に科学的、合理的な対応をとり、有効性とともに安全性、信頼性も高度に錬磨しつつ確保している。しかしそこでは、二元論にのっとって、精神世界にかかわる認識が排除されていなければならないのである。
【０２７３】
一方、デカルト的精神世界に基礎をおくソフトウェアについては、その対象になる街区や建物の外部および内部にわたる意匠、景観、音環境（ただし騒音の規制を除く）などのあらゆる設計について、同じく二元論にのっとって物質科学とは独立した「芸術的営為」と「創造の自由」の原理が適用され、とりわけ生命情報科学が示す人のいのちの切実な要求や安全保障の発想とはほとんどかかわりのない状態で現在に至っている。それは生命科学的概念としての「情報環境」とそのアセスメントについての認識が構成される以前の発想段階にあり、力学的構造機能的要請を除くと、生命情報科学上の有効性、安全性、信頼性、いいかえれば「遺伝子と脳に対するやさしさ」を問いかけられることはない。そこでは意識とその原材となる知覚・認知機能で捉えうる低密度で単純な言語性情報が偏重される一方、知覚を超える高密度で複雑な非言語性情報は捨象と忘却に委ねられてきた。このような近現代のデザイン思想が都市計画や建築物レベルに適用されている限り、環境情報の密度と複雑性を脳機能からみて危険なレベルにまで低下させることを遮る作用は、メカニズムとして期待することが困難だろう。
【０２７４】
こうしたデカルトの負の遺産が現代都市を「遺伝子に約束された脳にやさしい環境」から乖離させてきた道程を、光環境情報の低密度化という切り口でふりかえってみよう。その嚆矢は、ロンドンの第１回万国博覧会（１８５１年）のためにジョセフ・バクストンが設計した鉄とガラスの構築体〈クリスタル・パレス〉あたりにまで遡りうるかもしれない。思想的には、２０世紀前半、ドイツ・ワイマールの国立造形美術学校〈バウハウス〉がひとつの拠点となり、ヴァルター・グロビウスらを中心に、機能と素材を強調し装飾性を排した幾何学的、抽象的なデザインが主張され、それは実践に結びついて大きな影響を及ぼした。バウハウス末期の校長となったミース・ファン・デル・ローエは、”Ｌｅｓｓ  ｉｓ  ｍｏｒｅ”（よりすくないほどより良い）という有名なスローガンを唱え、光情報環境の低密度化を指向する思想を鮮明にしている。このバウハウスの方向性は、ル・コルビュジェが拠点とした〈ＣＩＡＭ〉にいっそう過激な状態で後継され、第二次世界大戦後、西欧文明圏の都市空間に画一的な「灰色の四角いコンクリートの箱」が林立する景観を生みだした。ここで機能主義が指向した装飾性を排し幾何学的形状に徹する単純で無機的なデザインは、人間の視覚に訴える光情報環境の密度を激減させ、脳との不調和を拡大する効果を伴っているであろうことを否定できない。
【０２７５】
「四角いコンクリートの箱」に象徴される機能主義への必然的な反作用として登場した〈ポスト・モダニズム〉のデザインは、ファン・デル・ローエの”Ｌｅｓｓ  ｉｓ  ｍｏｒｅ”をあてこすった建築家ロバート・ベンチュリーの”Ｌｅｓｓ  ｉｓ  ｂｏｒｅ”（よりすくないほど退屈）という皮肉に見られるように、情報量の乏しい幾何学的無機的デザインからの脱却を掲げている。それらは建物や街区の単純な幾何学的形態との訣別や装飾性の復活を含む歴史的様式の導入などを指向した。おりしも１９７０年代後半から本格的に実用化されたＣＡＤ（ｃｏｍｐｕｔｅｒ  ａｉｄｅｄ  ｄｅｓｉｇｎ）によって複雑な構造を至極容易に設計できる条件が整ったこととあいまって、この潮流は多彩で豊かな展開を見せた。とはいえ、その実際の姿は、ポスト・モダニズムの記念碑的作品に数えられるロバート・ベンチュリー邸（ロバート・ベンチュリー設計）が入り組んだ屋根の形態によって、またニューヨークのＡＴ＆Ｔビル（フィリップ・ジョンソン設計）がギリシア神殿風の破風によって機能主義デザインとの違いを主張していることに見られるように、主として建物の外観や内装のもつマクロな形状に関心が集中している。一方、知覚の限界を超えるミクロな空間領域については従来どおり関心対象外にあり、それによってポスト・モダニズムは、近現代都市計画および建築に固有の「脳機能を高める超高密度光情報の都市環境からの喪失」という限界から一歩を脱することなく、もちろんそれを回復させる作用とは無縁のパラダイムにとどまっているのである。
【０２７６】
７．あらためて整理すると、近現代の都市計画や環境対策の中では、現在排除対象になっている環境騒音を除くすべての音環境の構築（サウンドスケープによるアコースティック・デザインを含む）、および、景観や造型そして装飾を含むすべての光環境のデザインにかかわるパラダイムは、科学とは別の体系に属するソフトウェアとしてその生理的な有効性や安全性が問われることはなかった。しかし、新しい脳科学や情報環境学などの知見、たとえば〈物質と情報との等価性モデル〉や〈プログラムされた自己解体モデル〉などからすると、ソフトウェアといえども、芸術的、美学的任意性にすべてを委ね続けることは脳活性の病理的変容を通じて心身の障害、生命の危機に結びつく場合がありうることをもはや否定できない。都市のソフトウェアは、いま、都市のハードウェアに優るとも劣らない科学的、合理的な手続きによって設計、構築され、その効果や安全性が同じく科学的に予測、評価されうる体制へと速やかに移行すべき時を迎えている。
【０２７７】
しかし、一方でこれは、現代社会をすみずみまで強固に支配しているデカルト的二元論に始まる近現代の知識構造およびそれを反映させた社会構造にきわめて鋭く抵触することも否定できない。いま、この厳しいハードルをできるだけ円滑に越えることを支援する発想と概念道具の開発が必須である。そのひとつとして、〈遺伝子に約束された脳にやさしい環境のグランド・デザイン〉というパラダイムは、優先的に検討するに値するのではないかと信じる。
【０２７８】
なぜなら、このパラダイムの特徴である〈遺伝子決定論〉というステージ上で〈脳〉という具体的な生命の装置を関心対象の中心に据える仕方が、デカルト的二元論を克服するうえで、あるいは強制的に失効させるうえで、特異的な有効性を発揮するからである。精神世界の側から見て、経験的に、脳が情動、理性、感性を含む心の働きの実質を担う器官となっていることを否定するのは、通念においてもはや不可能である。これを覆すことは、〈意識〉のみを信奉しようとする現象学者エドムント・フッサールの思想を慕う人びとや、断固として心身二元論を掲げ続ける脳科学者ジョン・エックルスに共感を覚える人びとにとっても、事実上すでに困難な段階にあるといってよいだろう。同時に本発明者らは、史上初めて脳科学が実効を発揮する状況を迎えている。２０世紀を通じて、精緻な解剖学をはじめとする強固な基礎のもとに、脳損傷を材料にした経験的な研究や電気生理学的な手法による分析的な研究が進展してきた。これらのうえに神経の分子生物学と非侵襲脳機能解析の躍進がもたらされたことによって、これまで究極のブラックボックスの座にあった脳は、情報処理にあたる物質機械として十分に科学のアプローチ対象になりうるところとなった。その結果、脳の仕組や働きを合理的に理解する材料がきわめて急速に蓄積しつつある。この脳科学の発展は、電子情報科学技術の発展と相まって、〈物質文明〉という姿で頂上を極めた近現代科学技術文明を〈情報文明〉の側に大きく転換させつつある。このような背景の上に〈遺伝子の求める脳にやさしい環境のグランド・デザイン〉を新しい歴史的課題として登場させることは、その時を得ているといえるのではないだろうか。
【０２７９】
文明の容器としての都市のハードウェアそしてソフトウェアを究極的にむしばむ病理に理論と応用の両面からアプローチし、都市型に転じつつ崩壊を重ねる情報環境を再生する、というよりは蘇生させていくことは、それ自体が近現代の学術・芸術・技術体系を見直し、それらの限界を克服した新しい道を拓くことを意味する。それは、分析知、論理知、通信知、などで構成される明示的な近現代の文明の知と、体験知、包括知、直観知、洞察知などで構成される暗黙的な伝統知との均衡を回復し、それらを融合し、人類の遺伝子と地球環境に最適化された活性を再構築することへの接近となるだろう。総じていえば、それは、近現代を支配してきた言語脳機能への排他的な信奉や崇拝を脱して、この間埋没状態下にあった非言語脳機能、というよりは脳本体の機能を本来あるべき地位に復権させ、その活性を復活させることに他ならない。
【０２８０】
音の環境を美しく快い本来の姿に甦らせようとする本発明者らの志は、このようにして、近現代文明そのものの限界を克服し、新しい文明の地平を拓くことと同一化していくのである。
【実施例１】
【０２８１】
実施例１に係る「”ハイパーソニックエフェクト”の行動学的評価方法」について、以下に説明する。
【０２８２】
１．はじめに．
人間の可聴域を超え非定常なゆらぎを伴う高周波成分を豊富に含む音（ＨＦＣ）は、自発脳波のα周波数成分（α−ＥＥＧ）を増強するとともに、脳構造の深部の局所脳血流を増大させ、音をより耳に快適に知覚させる。本発明者らは、この現象を“ハイパーソニックエフェクト”又はＨＳＥと呼んでいる。この現象の調査をより容易にするために、本発明者らは、ＨＳＥの誘発を保証する音源と再生システムを開発した。このシステムが、ＨＳＥの研究を志す誰もとってもより利用しやすいものとなり、関心を持つ者がこの現象について更なる研究を行うことを支援するために、本発明者らは、１５年より長くにわたる本発明者らの研究で発展させてきた、しばしば独自のものである実験手法の詳細について、継続的に報告を行っている。この論文では、快適な聴取音量（ＣＬＬ）をパラメータとして用いた、ＨＳＥの行動学的評価方法について報告する。
【０２８３】
ＨＳＥの調査にあたっては、ＨＳＥの発現メカニズムのような多くの未知の要因が存在し、従来の聴覚生理学や音響心理学の知識又は技術によっては捉えきれない多くの面をもっていることに留意することが重要である。たとえば、α波をパラメータとして用いた実験では、ＨＦＣを含む音の呈示下では、α波が、音の呈示後、数十秒間の間にゆるやかな増大を示し、音を呈示し終えた後、約１００秒にわたって残留した。この時間的な非対称性を無視した場合、ほとんどの実験において明瞭な結果を得ることができない。従って、ＨＳＥの実験手順を設計する際には、この現象の時間的な遅延および残留を考慮する必要がある。
【０２８４】
２．行動反応をパラメータとして用いた評価方法．
２２ｋＨｚを超える非定常なＨＦＣを含む音（フルレンジ・サウンド：ＦＲＳ）と、上記ＨＦＣが除去された以外はそれと同一の音（ハイカット・サウンド：ＨＣＳ）との間の知覚上での音質差は、わずかなものにすぎない。この差は、聴取者が一定時間だけ所定の音にさらされるうちに、それらの音に対して無意識的に行われる好ましさの選択において潜在的に反映される。いくつかの場合には、意識と無意識との境界領域に属する微妙な音質差を検出するうえで、非言語的な行動的反応を用いた方法を適用することが有効性を発揮する場合がある。本発明者らは、そうした手法をＨＳＥについての本発明者らの研究に適用してきた。
【０２８５】
聴取者自身の能動的な行動を観測することによって音に対する人間の感受性を評価する方法がいくつか存在する。たとえば、（１）音響メニュー、（２）音源遮断法、（３）聴取レベルの計測がある。前者の２つの方法は、音の呈示を被験者自身が任意の時点で自発的に切り換えたりあるいは終了させたりする手順を含む。このため、実験結果においてＨＳＥの遅延および残留の影響を無視することはできない。
【０２８６】
これに対して、聴取レベルを用いた評価方法には上記のような問題が存在しないので、ＨＳＥの研究に適当であると考えられる。聴取レベルを用いた評価方法に係る先行した研究によれば、聴取レベルは、入力される情報のリアリティや、音響信号の物理的構造や、快適と不快に関わる聴取者の感覚のような、いくつかの要因の影響を受けることが示されている。加えて、調整の方法として聴取レベルを用いる実験は、生理学的手法を用いた実験に較べて容易に実行可能である。聴取レベルは、ＨＳＥに関する先行する研究において用いられたものとほぼ同じ条件下で評価されうるので、聴取レベルを用いた評価は、生理的な評価および心理的な評価と平行して実行することも可能である。
【０２８７】
上記の事柄を考慮したうえで、本発明者らは、ＦＲＳおよびＨＣＳの条件の下で音量を調整するときの行動反応から結果として得られる聴取レベルを計測することに基づいた実験手法を設計した。
【０２８８】
３．ＨＳＥ検出のために有効な行動学的評価方法．
３．１．システム構成．
ＨＳＥの研究で用いられる音呈示システムは、１００ｋＨｚを超える良好な周波数特性を有する必要がある。このため、山崎によって導入された高速標本化１ビット符号化信号処理方式に基づく音呈示システム（オーセンティック・ハイパーソニック・オーディオシステム、株式会社アクション・リサーチ、東京都、日本）が使用された（図２９）。このシステムは、音質を比較する際のさまざまな混乱を回避するようなバイチャンネル再生システムとして構成されている。
【０２８９】
被験者１１５は、アップ・ダウンスイッチが付いた自作のリモートコントローラ１１６を使ってボリュームを調整するよう要請された。このリモートコントローラ１１６は、スーパーオーディオ・コンパクトディスク（ＳＡＣＤ）プレーヤ１０２と前置増幅器１０４との間に挿入されたモータ駆動型フェーダ１０３（ＰＧＦＭ３０００，ペニー・アンド・ジャイルズ、グウェント、イギリス）を制御するものであり、これを用いることにより、増幅器のボリュームに対する視覚的又は触覚的手がかりなどが、被験者１１５が聴取レベルを調整する行動に影響を及ぼすことのないようにした。
【０２９０】
積分型騒音計（ＬＡ−５１１１、小野測器、横浜市、日本）を用いて、等価な連続的なＡ特性補正音圧レベル（等価騒音レベル：ＬＡｅｑ）が計測された。２０ｋＨｚを超える高周波成分は、このＡ特性で補正された計測器のレンジ外であるため、２２ｋＨｚを超えるＨＦＣの存在は計測値に影響を及ぼさない。実際、同一の音量が設定されているときにこのシステムによって再生されるＦＲＳとＨＣＳは、本発明者らの計測によれば０．１ｄＢ（ＬＡｅｑ）より小さい誤差内で同じ計測値になった。
【０２９１】
３．２．音素材．
この実験のための音素材には、インドネシア・バリ島のガムラン音楽が使用された。この音源は、オーセンティック・ハイパーソニックサウンドシステムとあわせて開発されたオーセンティック信号ディスク１０１（ＡＲＨＳ−９００２、株式会社アクション・リサーチ）のトラック４３に収録されている。音源は、遮断周波数２２ｋＨｚと遮断減衰量（減衰傾度）８０ｄＢ／オクターブを有するハイパスフィルタ１０８およびローパスフィルタ１０９（ＣＦ−６ＦＬ／ＣＦ−６ＦＨ、エヌエフ回路設計ブロック、東京、日本）を用いて、２２ｋＨｚより高いＨＦＣと、２２ｋＨｚより低い低周波（可聴域）成分（ＬＦＣ）とに分割された。この実験では、ＦＲＳとＨＣＳとの二種類の音が呈示された。ＦＲＳは、同時に呈示されるＨＦＣとＬＦＣから構成され、これに対して、ＨＣＳは、ＬＦＣのみを提示することから構成される。トラック４３の最後の６０秒間は、続けて６回繰り返された。図３０および図３１は、２種類の音の６０秒間分の平均パワースペクトルを示す。
【０２９２】
３．３．被験者．
８名の健常な被験者が、この実験に参加した。微妙な生物学的反応を、被験者の行動から高い精度で測定するために、十分な覚醒水準を確保する目的で、被験者は、実験の前日には少なくとも７時間の睡眠をとり、かつ、実験開始の少なくとも２時間前に起床するように要請された。
【０２９３】
３．４．手順．
実験中、被験者は、椅子で安楽に座位をとった。スピーカ前面から被験者の耳までの距離は、約２ｍであった。ＨＳＥの発現と消退にともなう時間的な非対称性を考慮し［１］、呈示時間の長さは以下のとおりに決定された（図３２）。
【０２９４】
６０秒間の音刺激が一回呈示されることを１試行と呼んだ。１つのセッションは、６つの試行（３６０秒）から構成され、これらの試行は、３つのプロセス（プロセス１、２および３）の段階に分割された。１つのセッションの中では、同一のタイプの音刺激のみ（すなわち、ＦＲＳ又はＨＣＳのいずれか）が呈示され、被験者は、自分自身で聴取レベルを調整するよう要請された。ＦＲＳおよびＨＣＳのセッションはそれぞれ３回ずつ反復され、順序の影響を相殺する目的で、呈示のシーケンスは被験者間でランダム化された。実験は被験者にブラインド・フォールドをして実行され、被験者には実験目的が知らされていなかった。
【０２９５】
プロセス１（事前呈示）：最初の１２０秒間、被験者は、聴取位置で７８．０ｄＢ（ＬＡｅｑ）に調整されて固定された音量で、音素材を聴いた。
プロセス２（調整）：つづく１８０秒間、被験者は、リモートコントローラ１１６を用いて、自分で快適と感じられる大きさに音量を調整した。
プロセス３（聴取）：つづく最後の６０秒間、被験者は自身がプロセス２の最終段階に選択した音量で音を聴いた。
【０２９６】
プロセス３（聴取試行）における聴取レベルを、ＣＬＬ（快適な聴取音量）とみなし、ＦＲＳとＨＣＳの下で別個にその平均値を算出した。
【０２９７】
被験者を実験手順に慣らし、ＣＬＬについての感覚を取得させるために、実験前に、１セッション分の練習を行った。
【０２９８】
気温と、調度品と、特に視覚環境とは、被験者の反応を安定させ、被験者の快適性を保つよう配慮のうえ構成された。実験が適切に行われたかどうかを確認するために、被験者は、実験終了後に、その分析のための簡単な質問紙に回答するよう要請された。
【０２９９】
４．結果．
図３３は、実験中のＦＲＳおよびＨＣＳの聴取レベルの平均値の変化を示す。実験の進行に従って、ＦＲＳがＨＣＳよりもより高いレベルで受容されているということに対応する反応がより明瞭になる。この結果は、本発明者らが報告してきた他のすべてのことに一致する。プロセス３（聴取試行）におけるＦＲＳとＨＣＳとのＣＬＬの平均値を、図３４に示す。このプロセス３の間に、被験者は、彼ら自身によって最終的に選択された音量で音楽を聴いていた。ＦＲＳのＣＬＬは７７．１ｄＢ（ＬＡｅｑ）であり、ＨＣＳのＣＬＬは７６．５ｄＢ（ＬＡｅｑ）である。前者は後者よりも平均０．６ｄＢ（ＬＡｅｑ）高く、この差は統計的に有意であった（ｐ＜０．０５）。
【０３００】
５．結論．
本発明者らは、ＣＬＬを計測することによって、知覚することのできないＨＦＣが人間に及ぼす影響を調査した。２２ｋＨｚを超えるＨＦＣを含む音の平均ＣＬＬは、２２ｋＨｚを超える成分が除去された音のそれよりも有意に高くなった。この結果は、ＣＬＬをパラメータとして用いた行動学的実験が、ＨＳＥの検出と計測に有効であることを示唆している。ＣＬＬを用いたＨＳＥの行動学的研究は、過去２０年を超えて行われた生理学的および心理学的研究に較べて、現在萌芽的段階にあり、更なるデータの蓄積や、実験手順の高度化が必要である。しかしながら、ＨＳＥの行動学的研究は、生理学的なアプローチに較べて被験者の負担が少なく、実験装置も簡便なため、探索的なアプローチに適しているであろう。
【実施例２】
【０３０１】
実施例２に係る「可聴域をこえる超高周波成分の信号構造が音の受容反応に及ぼす影響の複合評価指標による検討」について以下に説明する。
【０３０２】
１．背景と目的．
１．１．背景．
人間と電子的なＶＲ視聴覚情報との適合性について検討するうえで、本発明者らは、現行の電子メディアから供給される視聴覚情報の信号構造が、自然界に本来存在する構造とは異なる性格に傾きがちであることに注目している。電子映像メディアを介した視覚情報のもつ空間密度はそのメディアの解像度に依存し、自然界の視覚情報が本来具えている事実上無限に近い空間密度に較べると、決定的に低い水準にある。また、現在もっとも広く普及しているディジタル・オーディオメディア（標本化周波数４４．１ｋＨｚ、量子化ビット数１６ｂｉｔ、周波数特性ＤＣ〜５Ｈｚ−２２ｋＨｚ）を介した音響情報は、人間の可聴域上限である２０ｋＨｚを境に、それ以上の周波数成分が一挙に存在しなくなるという構造をもつ。これに対して、自然界における音響情報の周波数分布には、可聴域上限をはるかにこえるひろがりを具えているものが少なくない。たとえば、分子遺伝学によって人類の遺伝子が進化的に形成された環境とされている熱帯雨林の自然環境音や、数百年から千年を超える歴史をもつ成熟文化圏の伝統的民族楽器音の周波数特性を調べると、その上限が５０ｋＨｚから１００ｋＨｚに及んでいることが多い。これらと比べて、現行のディジタル・オーディオメディアが供給する音響情報構造は、周波数特性の面で特殊な構造をもっていることを否定できない。
【０３０３】
こうした点に着眼して本発明者らは、知覚限界を超え明示的に捉えることが難しい顕著な高密度性、複雑性、変容性をもつ視聴覚情報が脳の働きを活性化する効果“ハイパーリアル・エフェクト”を発見し、報告してきた。その例として、これまでに、可聴域上限をこえ非定常な超高周波成分を豊富に含む音（ｈｙｐｅｒｓｏｎｉｃ  ｓｏｕｎｄｓ＝ＨＳＳ）が脳機能を高める効果“ハイパーソニックエフェクト（ｈｙｐｅｒｓｏｎｉｃ  ｅｆｆｅｃｔ＝ＨＳＥ）”や、フラクタル構造をもち視力限界をこえる超高精細視覚情報が脳とより高い適合性を示す現象を見出した。また、心身の調整効果が歴史的に認められる伝統儀式空間においてこれら高密度視聴覚情報が人間の精神行動に劇的な変容をもたらす現象を報告している。
【０３０４】
以上の背景にもとづき、この研究ではＨＳＥに着目し、超高密度電子音響メディアを活用して、人間の心身との適合性の高いＶＲ音環境の造成を効果的に実現するための基礎的な検討を行うこととした。
【０３０５】
１．２．関連研究．
ＨＳＥとは、ＨＳＳが脳深部の血流を増大させ、脳波α波を増強するとともに、音の現実感、快適性を向上させ、より大きな音量で聴こうとする行動を導く多元的な効果の総称である。本発明者らはさきに、可聴域上限をこえ非定常なゆらぎをともなう超高周波成分を豊富に含む自然音源の超広帯域録音物を素材として、その２２ｋＨｚ以上の超高周波成分（ｈｉｇｈ  ｆｒｅｑｕｅｎｃｙ  ｃｏｍｐｏｎｅｎｔｓ＝ＨＦＣ）を除いた音（ｈｉｇｈ  ｃｕｔ  ｓｏｕｎｄ＝ＨＣＳ）と、２２ｋＨｚ以上の超高周波成分を含む音（ｆｕｌｌ  ｒａｎｇｅ  ｓｏｕｎｄ＝ＦＲＳ）とを呈示したときの人間の応答を調べた。その結果、自然界に実在する音のより忠実な再生音であるＦＲＳは、そのＨＦＣを除いて忠実性をより低下させたＨＣＳに比べて、生理的には脳幹・視床を含む脳深部の血流を増大させ、ストレスフリーの指標である脳波α波を増強させることが統計的有意に示された。同時に、心理的には「リアリティ」「自然性」「奥行き」など現実感や臨場感の生成に関わりの深い要因をより強く感じさせ、行動的にはより大きな音量で聴くよう受容者をふるまわせることが、いずれも有意に見出されている。この際、脳波を指標とした実験から、ＨＳＳを呈示した場合に惹き起こされる生体反応の発現消退は、数秒〜十数秒におよぶ遅延と６０〜１００秒程度にわたる残留を示すことが観察されており、ＨＳＥには固有の時間的な非対称性がともなうことが明らかになっている。このとき活性化が観察された脳幹や視床などの脳深部は、生活習慣病、心身症、精神・行動障害などの病理との関わりが深いことが注目されており、ＨＳＥは、音の現実感の生成に重要な関わりをもつと同時に、本発明者らの健康に無視できない影響を及ぼす現象と考えられる。
【０３０６】
人間の感受性に影響を及ぼしうる周波数の上限については、１９８０年前後、ディジタル・オーディオメディアの規格決定を目的に複数の研究が行われた。これらの研究はいずれも、短時間の刺激呈示に対する自覚可能な判断を指標とした音響心理学的評価手法に依拠したもので、ＨＦＣの人間への影響を検出し得なかった。これに対し、非侵襲脳機能計測を用いた生理学的評価手法や、それにより得られた生理学的知見に基づいて再構築された一対比較法等による心理学的評価手法を用いることで、従来の実験手法では見落とされていた、固有の時間的非対称性をともない、無意識領域にまたがる反応を検出することが可能となった。９０年代以降、複数機関での検討によって超高周波成分の効果の存在を支持する知見が相次いで報告されるようになり、ＳＡＣＤやＤＶＤオーディオ等、近年の音響メディアの高密度化が促進されてきた。
【０３０７】
とはいえ、ＨＦＣが人間に及ぼす作用に関する本格的な研究は萌芽的段階にある。そのため、より厳密な実験環境の構築、メカニズムの解明などの基礎的研究課題と並んで、応用のための研究も必要とされている。たとえば、ＨＳＥをＶＲ音環境の造成に応用した場合、音のリアリティの向上と同時に、人工的な情報刺戟によるストレスの緩和や、人間の心身により適合性の高いＶＲ音環境が実現することが期待される。その場合、どのようなＨＦＣの存在状態が適切かつ効果的なのか、ＨＦＣのパワーは大きければ大きいほどよいのか、あるいは何らかの最適値が存在するのか、といった問題は、欠くことのできない重要な検討課題となる。しかし、従来は、ＨＦＣを原音のままのレベルで存在させた場合と、それをほぼ完全に除いた場合とを比較するやり方でのみ検討を行ってきたため、これらの点については多くが未知の領域にある。
【０３０８】
１．３．目的．
以上の観点から、この研究では、ＨＳＥのＶＲへの応用を視野に入れ、人間にとって最適なＨＦＣの存在状態について多元的な知見を得ることをめざした。そのために、ＨＦＣの強さを変化させて呈示した場合のＨＳＳに対する受容反応への影響について、行動・心理・生理という３つの指標を連関させた検討を行った。
【０３０９】
実験で用いる計測指標の設定にあたり、行動的反応の検討には、「最も快適と感じられる聴取音量」を指標として選択した。この指標は、音響の物理構造や、受容者の快・不快の感性反応を反映して変動することが示唆されている。また、心理的反応については主観的な印象判断（カテゴリー判断）により音質の微妙な差を検出することが可能なシェッフェの一対比較法を採用し、生理的反応の計測には時間的解像度に優れた簡便な指標として脳波（ＥＥＧ）を選択した。そして、実験手続き上の制約が最も大きい行動学的評価実験をはじめに行い、各呈示条件それぞれの再生音量を被験者にとって最も快適と感じられるレベルに調整させた。ついで、心理学的評価実験、生理学的評価実験を実施した。その際の聴取音量は、行動学的評価実験で被験者自身が能動的に選択した再生レベルとした。
【０３１０】
２．呈示装置．
音呈示装置には、この研究で必要とされる１００ｋＨｚまで良好な再生周波数特性を確保するために、本発明者らが独自に開発し、ＨＳＥの有効性が複数の指標で検証されている専用再生系（Ａｕｔｈｅｎｔｉｃ  Ｈｙｐｅｒｓｏｎｉｃ  Ａｕｄｉｏ  Ｓｙｓｔｅｍ：アクション・リサーチ製）を用いた（図３５）。
【０３１１】
まず、記録媒体については、不揮発性の固体メモリ形式として高密度ディスクＤＶＤを使用し、ＳＡＣＤフォーマットによる記録を採用した。信号処理には、先行研究で実績のある山崎の高速標本化１ｂｉｔ量子化方式を使用した。ＤＳＤフォーマットに対応させた山崎のＡ／Ｄコンバータにより２．８２２４ＭＨｚ、１ｂｉｔでＡ／Ｄ変換した。このときＡ／Ｄ変換に伴う１ｂｉｔノイズの再生信号へのコンタミネーションを抑制するため、ディスク製作の過程で信号にプリエンファシスをかけた。
【０３１２】
ディスクの再生にあたっては、独自設計によるＤ／Ａ変換回路を導入することで超高域特性を大幅に向上させ、１００ｋＨｚで−６ｄＢのレスポンスをもたせたハイパーソニックＳＡＣＤプレーヤ１０２（ＨＳＣＤ−１０：アクション・リサーチ製）を使用した。これにより再生した信号を、所定のデエンファシス回路１０５（ＨＤＥＣ−１：アクション・リサーチ製）を経由させて復元し、実験用アナログ信号とした。
【０３１３】
この電気信号を、２００ｋＨｚまでフラットな特性をもたせた前置増幅器１０４（ＨＳＣＡ−４：アクション・リサーチ製）に入力した。この前置増幅器１０４は、前述のデエンファシス回路１０５を内蔵するとともに、本研究の目的にあわせて、可聴域成分（ｌｏｗ  ｆｒｅｑｕｅｎｃｙ  ｃｏｍｐｏｎｅｎｔｓ＝ＬＦＣ）とＨＦＣとをそれぞれ独立して再生できるように設計されている。ＳＡＣＤプレーヤ１０２とこの前置増幅器１０４との間に、高品位のムービングフェーダ１０３（ＰＧＦＭ３０００：ペニー・アンド・ジレス製）をリモートコントロールが可能な状態で挿入した。そのリモートコントローラ１１６を被験者１１５の手元に配置し、被験者１１５がつまみ等に対する視覚的触覚的手がかりなしにボリュームを遠隔操作できるようにした（図３６）。
【０３１４】
電力増幅段階は、ＬＦＣ用２チャンネル、ＨＦＣ用２チャンネルの計４チャンネル構成とし、少なくとも１５０ｋＨｚまでの良好な応答特性を有する電力増幅器１１０（ＨＳＰＡ−２００：アクション・リサーチ製）を使用した。これによりＬＦＣとＨＦＣとを別回路で再生する「バイ・チャンネル再生系」が実現し、フィルタの可聴域における非平坦性、回路の違いによる群遅延特性、混変調歪の違いなど、呈示系における諸問題を回避した厳密な実験が可能となっている。なお、今回の実験においては、要因の複雑化を排除し実験の一層の厳密性を期するため、モノラルで音を呈示した。
【０３１５】
スピーカシステムは、ＬＦＣ用として４０ｋＨｚ程度まで良好な応答をもたせるためにベンディングウェーブ型のフルレンジユニットを採用し、これにコーン型ウーハを組み合わせて構成したオオハシモニター（オプション３）１１４（Ｏｏｈａｓｈｉ  Ｍｏｎｉｔｏｒ  Ｏｐ．３）（アクション・リサーチ製）を用いた。ここに超可聴域用スーパートィイータ１１３（ＰＴ−Ｒ９：パイオニア製）を加えることで、１００ｋＨｚを超えるＨＳＳを再生しうる呈示系を実現した（図３７）。
【０３１６】
呈示音のパワースペクトルの計測は、フリーフィールド・コンデンサ・マイクロフォン（周波数特性４Ｈｚ〜１００ｋＨｚ±２ｄＢ、４１３５型：ブルエル・アンド・クジャエル製）を被験者位置に設置し、その出力を自動ＦＦＴアナライザ（ＣＦ−５２２０：小野測器製）を用いた高速フーリエ変換により解析して行った。
【０３１７】
３．呈示試料．
専用再生系とあわせて開発した信号ディスク（ＡＲＨＳ９００２：アクション・リサーチ製）の実験用音源トラックの中から、この研究のために特別に開発し、瞬間で７０ｋＨｚから８０ｋＨｚ、全曲の平均値として５０ｋＨｚ以上に及ぶ豊富な超高周波成分を含むディスク・オルゴールの楽曲（トラック４６）を選択し、全曲９０秒間のうち、同一箇所６０秒間分を繰り返し再生した。この音源をもとに、ＬＦＣを一定にし、ＨＦＣのみを前置増幅器によって電子的に＋６ｄＢと＋１２ｄＢとの２段階に増強した音試料呈示条件を設定し、それぞれを［超高周波成分６ｄＢ増強音］（ＨＦＣ＋６ｄＢ）、［超高周波成分１２ｄＢ増強音］（ＨＦＣ＋１２ｄＢ）と呼ぶことにした。これに対し、ＨＦＣを電子的に増強しないもとのままのレベルで呈示した音試料を［原音］とした（図３８）。
【０３１８】
すべての呈示条件音について、被験者１１５が最大レベルで聴取しても歪みが生じないことを、時間波形と周波数スペクトルとにより事前に確認した。あわせて、前置増幅器１０４におけるＬＦＣチャンネルのボリュームを一定にした状態で、［原音］、［ＨＦＣ＋６ｄＢ］、［ＨＦＣ＋１２ｄＢ］それぞれ６０秒間分の等価騒音レベルを計測し、増強されたＨＦＣが騒音計の計測値に影響を及ぼさないことを確認した。また、実験中、超高周波成分が適切なレベルで出力されていることを確認するために、被験者１１５の近辺に計測用マイクロフォンを設置し、その出力信号をＦＦＴアナライザでリアルタイムにモニタした。
【０３１９】
４．実験手順．
４．１．聴取音量を指標とした行動学的評価実験．
２〜３に述べた呈示装置および試料を用いて、これまで本発明者らが検討・整備してきた行動学的評価方法にもとづいて実験を行った（図３９）。ちなみに、以下の実験手続きは、１．２に述べたＨＳＥに固有の時間的非対称性（脳波を指標とした生体反応の発現消退にみられる数秒〜十数秒におよぶ遅延と６０〜１００秒程度にわたる残留）を考慮にいれ、生体反応の遅延残留が結果に混乱を導くことのないよう設計した。
【０３２０】
３．に述べたディスク・オルゴールの楽曲６０秒間分を１回呈示することを「１試行」とし、次に述べる（１）〜（３）の手順による６試行で１セッションを構成した。すなわち、
（１）＜事前呈示＞：最初の１２０秒間（６０秒の楽曲２回分＝２試行）、被験者１１５は呈示されるままの音量（被験者位置で８２．０ｄＢ（ＬＡｅｑ））で音を聴く。
（２）＜調整＞：続く１８０秒間（楽曲３回分＝３試行）で、聴取音量を調整する。この時、被験者１１５は全体印象として耳ざわりでなく最も快適と感じられる音量に調整する。
（３）＜聴取＞：最後に６０秒間（楽曲１回分＝１試行）、被験者１１５自身が調整した音量のまま音を聴く。
【０３２１】
以上のように構成したセッションを、［原音］、［ＨＦＣ＋６ｄＢ］、［ＨＦＣ＋１２ｄＢ］の３つの条件について、各３回ずつ実施した。いずれの実験もブラインド・ホールド下で行い、各呈示条件の順序は被験者１１５間でランダム化した。
【０３２２】
被験者１１５が受容した音量については、積分型広帯域精密騒音計（ＬＡ−５１１１：小野測器製）を用いて、各試行ごとの等価騒音レベルとしてリアルタイムに計測した。そして、被験者１１５が調整して最終的に到達した＜聴取＞試行における音量を、各条件における最も快適な聴取音量とみなして、その平均値を算出した。
【０３２３】
実験中、被験者１１５はスピーカ前面から耳までの距離が２ｍの位置で安楽に座位をとり、手元におかれたリモートコントローラ１１６のアップ・ダウンスイッチを用いて音量の調整を行った（図３６）。この際、被験者１１５が操作するボリュームコントローラは、ＳＡＣＤプレーヤからの出力信号全体を制御するため、ＬＦＣとＨＦＣとは連動して調整される。実験室内の温度は約２５°Ｃ、湿度は４０〜５０％に調整し、室内の調度についても、できるだけ被験者１１５の快適性を高めるよう配慮した。被験者１１５は、健常な成人１２名（男４、女８：平均年齢３９．６歳）である。
【０３２４】
４．２．主観的印象を指標とした心理学的評価実験．
２〜３に述べた呈示装置および試料を用いて、これまで本発明者らが確立してきた心理学的評価実験の方法にもとづいて実験を行った（図４０）。
【０３２５】
すなわち、シェッフェの一対比較法にもとづき、［原音］、［ＨＦＣ＋６ｄＢ］、［ＨＦＣ＋１２ｄＢ］の３つの条件から、ある条件の音６０秒間分を２回続けて呈示することを１試行とし、２つの異なる条件の音を１試行ずつ対にして呈示した。
【０３２６】
被験者は、浦の変法により、６つの対すべてについて、それぞれの音の印象を２０組の音質評価尺度を用いて５段階の評価軸で判断した。各条件の音量は、行動学的評価実験で被験者それぞれが設定した聴取音量で呈示した。得られたスコアについて、ヤードスティックによる検定を行い、３つの条件の間の音質差の有意性を各評価尺度ごとに調べた。行動学的評価実験同様、すべての実験をブラインド・ホールド下で行い、各呈示条件の順序は被験者間でランダム化した。被験者は、行動実験への参加者と同一の１２名の健常な成人（男４、女８、平均年齢３９．６歳）である。
【０３２７】
４．３．脳波を指標とした生理学的評価実験
同じく、２〜３に述べた呈示装置および試料を用い、これまで本発明者らが整備し、確立してきた実験方法にもとづいて実験を行った。
【０３２８】
脳波計測には、被験者の拘束感をできるだけ減じるため、テレメトリ・システム（ＷＥＥ−６１１２：日本光電製）を導入した計測システムを用い（図４１）、導出点は国際１０−２０法にもとづく頭皮上１１点（Ｆｐ１，Ｆ７，Ｆｚ，Ｆ８，Ｃ３，Ｃ４，Ｔ５，Ｐｚ，Ｔ６，Ｏ１，Ｏ２）とした。
【０３２９】
図４１において、１２０は超高周波の音の再生システムであり、１５１は解析プログラムであり、１５２はディジタルバンドパスフィルタであり、１５３はパーソナルコンピュータであり、１５４は受信機であり、１５５はアンテナである。
【０３３０】
各呈示条件の音は、行動学的評価実験で、被験者それぞれが設定した聴取音量で呈示した。［原音］、［ＨＦＣ＋６ｄＢ］、［ＨＦＣ＋１２ｄＢ］の３つの条件からいずれかの音を１８０秒間続けて呈示することを１試行とし、３０秒間のインターバルをいれて、各条件を１回ずつ呈示することを１セッションとした。実験は２セッションから構成し、第１セッションの後、休憩をいれて呈示順を逆にした第２セッションを実施した（図４２）。
【０３３１】
各条件の音の呈示下における被験者の脳波を計測し、８〜１３Ｈｚのα波帯域のポテンシャル値を呈示条件ごとに算出した。この際、ＨＳＥの時間的非対称性を考慮し、生体反応の遅延残留が結果に混乱を導くことのないよう、音の呈示開始９０秒後から１８０秒後までの値を対象に統計処理を行った。また、眼球運動の影響を避けるため、後頭部５電極を解析対象とした。実験はすべてブラインド・ホールド下で行ない、各呈示条件の順序は被験者間でランダム化した。被験者は行動実験への参加者のうち１０名の健常な成人（男４、女６：平均年齢３９．０歳）である。
【０３３２】
５．．結果．
５．１．聴取音量を指標とした行動学的評価実験．
音量調整を行う前の＜事前呈示＞、３回にわたる＜調整＞、最後の＜聴取＞の各試行における聴取音量を、全被験者について平均した値の時間推移を図４３に示す。いずれの呈示条件でも、聴取音量は３回の＜調整＞試行のうちに徐々に小さくなるという一方向性の変化傾向が見出された。これは、これまで本発明者らが行ってきたＨＦＣの存在の有無が聴取音量に及ぼす影響を評価する行動学的評価実験でえられた傾向と一致する。
【０３３３】
ただし、ＨＦＣを増強した［ＨＦＣ＋６ｄＢ］および［ＨＦＣ＋１２ｄＢ］においては、［原音］と比べて、被験者が聴取した音量に増大傾向がみられた。とくに、最終的に被験者が調節した＜聴取＞試行の音量においてその差は著しく、［ＨＦＣ＋６ｄＢ］および［ＨＦＣ＋１２ｄＢ］は［原音］よりも明らかに大きい音量で聴取されている。
【０３３４】
図４４は、＜聴取＞の試行で被験者が最終的に設定した聴取音量を、呈示条件別に平均した結果である。［原音］の聴取音量が最も小さく、それに比較して［ＨＦＣ＋６ｄＢ］および［ＨＦＣ＋１２ｄＢ］での聴取音量が増大していることがわかる。また、［ＨＦＣ＋６ｄＢ］の方が［ＨＦＣ＋１２ｄＢ］に較べ、やや大きな聴取音量を示している。
【０３３５】
こうしたＨＦＣの強度の違いが聴取音量に及ぼす影響を統計的に検討するため、反復測定分散分析を行った結果、呈示条件の主効果が有意に認められた（Ｆ（２，２２）＝８．１３３，ｐ＜０．０１）。このことはＨＦＣのポテンシャルの違いが全体として聴取音量を変化させる効果をもつことを統計的に裏付けている。
【０３３６】
次に、各呈示条件間で聴取音量に有意な差があるかどうかを検討するために、対応のあるｔ検定を行った。
【０３３７】
その結果、［ＨＦＣ＋６ｄＢ］および［ＨＦＣ＋１２ｄＢ］では［原音］に比較して聴取音量が有意に増大していた（［ＨＦＣ＋６ｄＢ］：ｐ＜０．０１，［ＨＦＣ＋１２ｄＢ］：ｐ＜０．０５）。一方、［ＨＦＣ＋６ｄＢ］と［ＨＦＣ＋１２ｄＢ］との間の聴取音量の差は統計的な有意水準には達しなかったが、［ＨＦＣ＋６ｄＢ］での聴取音量がやや高い傾向を示した。
【０３３８】
５．２．主観的印象を指標とした心理学的評価実験．
図４５は、各条件ごとの平均的な好ましさの度合いをあらわす「平均嗜好度」を、すべての音質評価尺度についてプロットしたものである。
【０３３９】
超高周波成分を増強した音は、原音にくらべて全体に好ましい印象を与える音として評価されていることがわかる。また、その傾向は、全体に＋６ｄＢにおいてもっとも著しく、＋１２ｄＢの平均嗜好度が＋６ｄＢと原音との間に位置している点で、＋６ｄＢの音が最も大きな聴取音量に調整された行動学的評価実験の結果に整合する結果となっている。
【０３４０】
実験に用いた２０組の音質評価尺度について、分散分析による統計検定を行った結果を図４６に示す。それぞれ、左から、［ＨＦＣ＋６ｄＢ］と［原音］、［ＨＦＣ＋１２ｄＢ］と［原音］、［ＨＦＣ＋６ｄＢ］と［ＨＦＣ＋１２ｄＢ］との間の、音質差の有意性を表している。［ＨＦＣ＋６ｄＢ］と［原音］との間では９組の評価尺度、［ＨＦＣ＋１２ｄＢ］と［原音］との間では８組の評価尺度上で、統計的有意に音質差が検知されていたことが裏付けられた。
【０３４１】
超高周波成分を増強した音は、原音にくらべて、より［リアリティ］があり、［情報が豊か］で［自然］で［好き］であり、［きめ］がこまかく［うるおい］があって［柔らか］く、［雰囲気が豊か］で［疲れない］、［耳当たりよく響く］［余韻型］の音として感受されていることが認められた。また、全般に［ＨＦＣ＋６ｄＢ］と［原音］との間で、［ＨＦＣ＋１２ｄＢ］と［原音］との間よりも高い有意性が認められる点で、行動学的評価実験の結果に矛盾しない。
【０３４２】
５．３．脳波を指標とした生理学的評価実験．
音呈示の後半９０秒間分のα波ポテンシャルの平均値を、［原音］、［ＨＦＣ＋６ｄＢ］、［ＨＦＣ＋１２ｄＢ］の３つの条件ごとに算出し、正規化したうえで平均値を求めた結果を図４７に示す。脳波α波パワーは、［原音］にくらべて［ＨＦＣ＋６ｄＢ］、［ＨＦＣ＋１２ｄＢ］の呈示下でやや増大するという、行動学的・心理学的評価実験と矛盾しない傾向が観察された。
【０３４３】
超高周波成分のパワーの違いが脳波α波ポテンシャル値に及ぼす影響を統計的に検討するため、分散分析を行った結果、主効果、各呈示条件間とも、統計的な有意性は認められなかった。
【０３４４】
６．考察．
本発明者らはさきに、可聴域をこえる超高周波成分（ＨＦＣ）を含む音が、それを除いた音よりもより大きな音量で聴取される行動を導く作用（刺激受容行動促進作用）を統計的有意性のもとに見出している。
【０３４５】
今回の行動学的評価実験から新たに、ＨＦＣのパワーを増強した音が、原音に較べて、受容者の聴取音量を増大させ刺激受容行動を促進することが統計的有意に見出された。同時に、心理学的評価実験から、ＨＦＣ増強音がよりリアリティに富み、情報が豊かで自然な音として感受され、音の好ましさ、快適性を高める作用をもつことが統計的有意に示された。超高周波成分の増強によるこれらの効果は、これまで見出されてきたＨＳＥの属性に一致することから、超高周波成分の増強がＨＳＳの作用全体を強化し、音に対する人間の親和性を高めている可能性が高いと考えられる。
【０３４６】
一方、脳波を指標とした生理学的評価実験の結果は、行動学的・心理学的評価に整合する傾向を示したが、統計検定の評価値はあらかじめ設定した有意水準に達しなかった。この背景のひとつは、ここで行った実験の範囲では、採用した手法に対して被験者数が少なすぎることにあるのかもしれない。また、今回設定した行動学的・心理学的評価手法が、生理学的評価手法では抽出することの困難な反応をより鋭敏にとらえていたと解釈することもできる。
【０３４７】
この実験で認められたＨＦＣの効果は、そのパワーの増強に比例して高まるのではなく、＋６ｄＢで最大の効果が現れ、＋１２ｄＢでは、頭打ちないしは＋６ｄＢより若干低下する傾向が、複数の指標を通底して観察された。この結果は、ＨＦＣの効果（すなわちＨＳＥ）が線形単調なものではなく、何らかの非線形な作用構造あるいは最適点をもつ可能性を示唆するものと考えられる。さらに、＋６ｄＢで効果が最大化した原因については、ＨＳＥの発現メカニズムとの関連を視野にいれつつ、今後、詳細な検討と考察を行っていく必要があると考える。
【０３４８】
７．結論．
可聴域をこえる超高周波成分（ＨＦＣ）の信号強度の違いが音の受容反応に及ぼす影響を複数の指標により評価した。その結果、この研究で設定した実験条件下では、ＨＦＣの増強による効果は、行動学的・心理学的評価実験において有意に認められた。一方、生理学的評価実験では、ＨＦＣ増強にともなう効果は有意に認められなかった。また、ＨＦＣの増強効果はＨＦＣ＋６ｄＢで最大に発現し、ＨＦＣ＋１２ｄＢでは頭打ちないしはＨＦＣ＋６ｄＢより若干低下する傾向が観察された。このことから、ＨＦＣの効果はその強度に比例して高まるような線形構造をもつものではないことが示された。
【０３４９】
８．むすび．
以上の研究の結果は、人工的なＶＲ音空間におけるリアリティ感の造成・演出や快適性の向上にあたって、ＨＦＣの増強を考慮することの有効性を示唆している。
【０３５０】
あわせて、ＨＦＣの増強の度合いとその作用の発現との関係から、ＨＦＣの効果が何らかの非線形な構造あるいは最適点をもつ可能性が高いことが示された。このことは、ＨＦＣの作用機構の解明にかかわる知見としても注目される。
【０３５１】
今後、ＨＦＣの増強の度合いとその作用の発現状態についてさらに詳細な検討を進めるとともに、これらの実験結果の蓄積によって、人間にとって親和性、適合性の高いＶＲ音環境の造成に資する知見を得ていきたいと考えている。
【実施例３】
【０３５２】
実施例３に係る「ハイパーソニックサウンドの呈示条件が音の受容行動に及ぼす影響−ハイパーリアル・エフェクトの研究（I）−」について以下に説明する。
【０３５３】
１．はじめに
本発明者らは先に、可聴域上限をこえ非定常な超高周波成分を豊富に含む音（ｈｙｐｅｒｓｏｎｉｃ  ｓｏｕｎｄｓ＝ＨＳＳ）が脳機能を高める効果“ハイパーソニックエフェクト（ｈｙｐｅｒｓｏｎｉｃ  ｅｆｆｅｃｔ＝ＨＳＥ）”や、フラクタル構造をもち視力限界をこえる超高精細視覚情報が脳とより高い適合性を示す現象を発見した。また、心身の調整効果が歴史的に認められている伝統儀式空間において、これらの超高密度視聴覚情報が人間の精神行動に劇的な変容をもたらす現象を見出している。意識で明示的に捉えることが難しい顕著な高密度性、複雑性、変容性をもつ視聴覚情報が脳の働きを活性化するこれらの効果を、ハイパーリアル・エフェクト（ｈｙｐｅｒ−ｒｅａｌ  ｅｆｆｅｃｔ＝ＨＲＥ）と名付けた。
【０３５４】
ここでは、ＨＳＥに注目し、超高周波成分の呈示条件の変化がＨＳＳに対する受容行動に及ぼす影響を、心理的・生理的影響と相関させて検討した結果を報告する。
【０３５５】
２．本研究の背景と目的．
ＨＳＥとは、ＨＳＳが、脳幹、視床を含む脳深部の血流を増大させ、脳波α波を増強するとともに、音をより快適に知覚させ、より大きな音量で聴こうとする行動を導く効果の総称である。このとき活性化が観察された脳幹や視床などの脳深部は、生活習慣病、心身症、精神・行動障害などの病理との関わりが深いことが注目されており、ＨＳＥは、人間の心身の健康に無視できない重大な影響を及ぼす現象と考えられる。
【０３５６】
この研究では、ＨＳＥを応用する場合に重要性の高い検討課題として、可聴域上限をこえる超高周波成分のパワーを変化させて呈示した場合の行動的応答の変化について検討するとともに、それにともなう心理的、生理的反応を調べた。本発明者らがこれまでに整備、確立してきた実験手法に基づいて、刺激受容行動を指標とした行動実験を中心的に行い、あわせて、主観的印象を指標とした心理実験、脳波を指標とした生理実験を実施した。
【０３５７】
３．方法．
３−１．装置：呈示装置には、ＨＳＥ研究を再現性よく実現するために本発明者らがオリジナルに開発し、その有効性が確認されている専用再生系（信頼性のあるハイパーソニック・オーディオシステム，アクション・リサーチ製）を用いた（図４８）。今回は、要因の複雑化を排除し、実験の一層の厳密性を期するため、モノラル再生とした。
【０３５８】
３−２．呈示試料：
専用再生系とあわせて開発した信号ディスク（信頼性のある信号ディスク，ＡＲＨＳ９００２，アクション・リサーチ製）の実験用音源（トラック４４）から、瞬間１００ｋＨｚをこえ通時的に５０ｋＨｚ以上に及ぶ豊富な超高周波成分を含むガムラン音楽の同一箇所６０秒間分を繰り返し呈示した。２２ｋＨｚ以下の可聴域成分（ｌｏｗ  ｆｒｅｑｕｅｎｃｙ  ｃｏｍｐｏｎｅｎｔｓ（低周波成分）＝ＬＦＣ）を一定にして、２２ｋＨｚ以上の超高周波成分（ｈｉｇｈ  ｆｒｅｑｕｅｎｃｙ  ｃｏｍｐｏｎｅｎｔｓ（高周波成分）＝ＨＦＣ）のみを前置増幅器１０４で６ｄＢと１２ｄＢとの２段階に増強して再生する呈示条件を設定し、それぞれを［＋６ｄＢ］、［＋１２ｄＢ］とした。これに対しＨＦＣを増強せず元のレベルで再生した条件を［原音］とした（図４９）。
【０３５９】
すべての呈示条件の音について、被験者１１５が最大レベルで聴取しても歪みが生じないことを、時間波形と周波数スペクトルにより事前に確認した。また、ＬＦＣの出力を一定にした状態で、原音、＋６ｄＢ、＋１２ｄＢそれぞれ６０秒間分の等価騒音レベルを計測し、増強されたＨＦＣが騒音計の計測値に影響を及ぼさないことを確認した。
【０３６０】
３−３．手続き．
３−３−１．行動実験：
これまでに整備してきた実験手法にもとづき、原音、＋６ｄＢ、＋１２ｄＢ各呈示条件下における聴取音量を計測した（図４９および図５０）。６０秒間の呈示試料を１回呈示することを［１試行］とし、［事前呈示］［調整］［聴取］の３つの手順による６回の試行で１セッションを構成した。事前呈示における呈示音量は被験者位置（スピーカ前面から２ｍ）で７５ｄＢ（ＬＡｅｑ）である。このセッションを、３つの呈示条件について各３回の計９回実施した。被験者が受容した音量は、積分型騒音計を用いて各試行ごとの等価騒音レベルとして計測し、［聴取］の試行における値を、各呈示条件における「最適聴取音量」とみなしてその平均値を算出した。被験者は１５名の健常な成人である。
【０３６１】
３−３−２．心理実験および生理実験：
これまでに本発明者らが確立してきた実験方法を基本とし、今回の目的に適合するよう若干のモディファイを加えて実施した。各呈示条件の音を、行動学的評価実験で被験者それぞれが到達した最適聴取音量で再生した。被験者は、行動実験への参加者を母集団とする健常な成人（心理実験１２名、生理実験１０名）である。
【０３６２】
４．結果．
４−１．行動実験：
図５１に、被験者が調整した聴取音量の平均値の時間推移を示す。ＨＦＣを増強した条件では原音に較べ、調整された音量に増大傾向が認められ、その差は聴取の試行において著しい。分散分析の結果、呈示条件の主効果が有意に認められ、ＨＦＣの強度の違いが聴取音量を変化させる効果をもつことが統計的に裏付けられた。
【０３６３】
聴取の試行で到達した最適聴取音量の平均値を、呈示条件別に平均した結果を図５２に示す。＋６ｄＢと＋１２ｄＢでは原音に比べて聴取音量が有意な増大を示した。また、有意水準には達しないものの、＋６ｄＢでは＋１２ｄＢよりも聴取音量がやや増大する傾向を示した。
【０３６４】
４−２．心理実験および生理実験：図５３に心理実験、図５４に生理実験の結果をそれぞれ示す。主観的印象として、ＨＦＣを増強した音は原音に較べて、自然性に富み、全体により好ましく、快適な音として感受されることが、１４の評価尺度上（＊の項）で統計的有意に示された。音質差の検知に有意差の認められなかった評価尺度についても、全体に＋６ｄＢがもっともポジティブな音として判断され、＋１２ｄＢが＋６ｄＢと原音との間に位置している点で、行動実験の結果に整合している（図５３）。
【０３６５】
次に、生理実験から得られたデータについて分散分析を行った結果、呈示条件の主効果が有意に認められ、ＨＦＣの強度の違いが脳波α波のパワーを変化させる効果をもつことが統計的に裏付けられた（図５４：生理実験の結果：音呈示後半９０秒間の脳波α波ポテンシャルの呈示条件別平均値）。原音に較べＨＦＣを増強した条件下ではα波パワーの増強が観察され、＋６ｄＢと原音との差は有意水準５％で統計的に有意である。また、＋６ｄＢ呈示下で＋１２ｄＢよりもα波パワーが若干増強されている点で、行動、心理実験の結果に矛盾しない傾向が認められる。
【０３６６】
５．考察．
以上の検討から、非定常な超高周波成分を増強した音は、原音に較べて最適聴取音量を増大させ、刺激受容行動を促進する作用をもつことが統計的有意に示された。また、この行動的応答に伴う心理、生理反応の計測から、ＨＦＣを増強した音は、原音に較べて自然性やリアリティに富み、好ましさ、快適性を高めること、ストレスフリーの指標とされる脳波α波のパワーを増強することが統計的有意に示された。
【０３６７】
これらの現象はＨＳＥの属性に一致することから、ＨＦＣの増強がＨＳＳの作用全体を強化し、受容者に対する音の親和性を高めている可能性がきわめて高いと考えられる。
【０３６８】
ただし、これらの作用は、ＨＦＣのパワーの増強に伴い一方向に強まるのではなく、＋６ｄＢで最大の効果が現れ、＋１２ｄＢでは頭打ちないしは＋６ｄＢより若干低下する傾向が、行動・心理・生理実験を通底して観察された。この結果は、ＨＦＣの効果（すなわちＨＳＥ）が線形単調なものではなく、何らかの非線形な作用構造あるいは最適点をもつ可能性を示唆する知見として注目される。
【実施例４】
【０３６９】
実施例４に係る「ハイパーソニックエフェクトを応用した屋内音環境改善効果の検討―ハイパーリアル・エフェクトの研究（II）―」について以下に説明する。
【０３７０】
１．目的．
ハイパーリアル・エフェクト（ＨＲＥ）は、環境の快適性を向上させるだけでなく、現代病の引き金をひく脳幹・視床を含む脳深部の活性を向上させ、ストレスフリーの指標である脳波α波を増強する効果をもつ。この一連の効果を活用することによって、都市の情報環境を改善することが期待できる。
【０３７１】
そこでこの研究では、ＨＲＥの中でもこれまで実験室の厳密な実験環境下で詳しい検証が蓄積しているハイパーソニックエフェクト（ＨＳＥ）について、実験室外の現実の場でそこに生きる人々を被験者として発生することを確認し、応用への一歩を踏み出すことをめざした。具体的には、高等学校図書室のＢＧＭとして超高周波成分を豊富に含む環境音を付加し、図書室を利用する生徒を被験者として、その効果を質問紙調査法によって検出したので、その結果について報告する。
【０３７２】
２．実験方法．
２−１．実験装置．
本発明者らが開発し、そのＨＳＥ発生効果が複数の指標で検証されている“ハイパーソニック・オーディオシステム”を用いた。スピーカーおよびスーパーツイーターは図書室の書架上に設置し、それ以外の機材類は図書室に隣接する司書室に設置した。
【０３７３】
２−２．呈示試料．
実験用呈示試料は、可聴域上限をこえ非定常なゆらぎを伴う超高周波成分を豊富に含むとともに、図書室に求められる静謐な雰囲気に抵触せず、長時間の反復呈示によっても飽きが生じない感性情報としての水準に達している必要がある。さらに図書室で長時間の反復再生を安定して実現するためには、音源は操作性がよく安定して再生可能な光ディスクに記録することが望ましい。こうした条件を満たすものとして本発明者らは、高速標本化１ビット量子化方式でこれまで蓄積してきた音源群のなかから、ジャワ島の熱帯雨林の自然環境音を選択した。これを、超広帯域音編集システムで約５３分間の試料に編集し、独自のＡＤコンバータを用いてＳＡＣＤに記録し、呈示音源とした。同時に、同じ音源をＣＤに記録して、２２ｋＨｚ以上の成分を含まない試料も作成した。
【０３７４】
２−３．実験手順．
準備した環境音を１日当り９時から１７時まで８時間ずつ連続して２日間、次の３条件で反復呈示した。［条件１］超高周波成分を豊富に含む環境音（フルレンジサウンド（Ｆｕｌｌ  Ｒａｎｇｅ  Ｓｏｕｎｄ）：ＦＲＳ環境音）、［条件２］２２ｋＨｚ以上の成分を含まない環境音（ハイカットサウンド（Ｈｉｇｈ  Ｃｕｔ  Ｓｏｕｎｄ）：ＨＣＳ環境音）、［条件３］環境音を呈示しない（呈示音なし）。条件１と２の場合には、呈示音の可聴域の音量がともにスピーカーから２ｍの位置で約４７ＬＡｅｑとなるように調整した。
【０３７５】
２−４．質問紙調査票の設計．
実験室に被験者を招いておこなう実験とは大きく異なり、この研究は、図書室を随意に利用する生徒を被験者とするために、被験者群の統御に大きな困難が生じる。とりわけ、３つの実験条件をすべて同じ状態で体験して、比較できるような被験者が出ることはまず期待できない。この困難な問題を克服するために、本発明者らは質問紙調査票の設計に工夫をこらした。すなわち、質問項目群を二つのブロックに分け、第一のブロックでは通常の質問設定方法により、被験者が来室した時の図書室環境についての印象を８つの評価項目について質問した。第二のブロックでは、被験者が図書室に入る前と図書室滞在後の自己の内部状態とについて内省比較を求めるという特殊な質問形式を設定し、４つの評価項目について評価させることにした。その際の評価項目については、ＨＳＥの生理学的性質が脳のきわめて基幹的な部位に活性化を導くことを考慮して、聴覚系以外の反応をも捕捉できるよう質問項目に工夫を加えた。質問紙調査票は、図書室退室直前に記入することとし、すべての評価項目について５段階で評価することを求めた。
【０３７６】
２−５．被験者．
各実験日に図書室に来室した生徒に質問紙調査への回答を依頼した。質問紙への回答は任意とした。［条件１］ではのべ１０３名、［条件２］ではのべ１００名、［条件３］  ではのべ１４４名から回答をえた。
【０３７７】
２−６．分析方法．
各音条件下の図書室の印象が、ニュートラルな印象からどちらの方向にどの程度乖離していたかを調べるために、評価項目ごとにその評点を［１条件のｔ検定］によって検定した。また、音条件の違いによって図書室の印象がどのように異なるものになったかを調べるために、評価項目ごとにその評点を［対応のない２条件のｔ検定］によって検定した。
【０３７８】
３．実験結果．
図５５および図５６に結果を示す。図中の棒グラフは各条件ごとの評点を示し、検定結果を各棒内に記した。条件間の違いが有意であるか否かについては、各棒の間を線で結んで記載した。
【０３７９】
第一ブロックの質問項目については、ＦＲＳ環境音について図書室の「雰囲気がよかった」「空気が澄んでいた」「やすらいだ」「ゆっくりしたいと感じた」といった項目で統計的有意性をもったポジティブな評価がみられた（図５５）。一方、ＨＣＳ環境音では、こうした効果はみいださなかった。音呈示がない状態でもＦＲＳ環境音とほぼ同じ程度の評価結果が得られた。なお、「勉強がはかどった」という評価項目では、呈示音がない条件でもっとも評価が高く、次いでＨＣＳ環境音、ＦＲＳ環境音という結果が示された。
【０３８０】
次に、第二ブロックの質問項目については、全体としてＦＲＳ環境音が明らかにポジティブな評価を獲得した。すなわち、図書室でＦＲＳ環境音をある程度の時間にわたって体験することによって、入室前よりも「さわやかになった」「頭が軽くなった」「はっきり音が聴こえる」「はっきり物が見える」と統計的有意に感じとられていることが見出された（図５６）。ＨＣＳ環境音ではこうした効果は全く認められず、呈示音のないベースライン条件よりもむしろ低い評価を示している。呈示音がないときには、「さわやかになった」「頭が軽くなった」という評価項目では有意差がでている一方、「はっきり音が聴こえる」「はっきり物が見える」といった効果は認められなかった。
【０３８１】
４．考察．
この実験で見出された結果は、とりわけ第二ブロックの質問項目において、これまで得られたＨＳＥに関わる生理的心理的評価結果と整合性が高い。また、この実験で設計した質問紙の第二ブロックの質問項目に盛り込んだ新規な工夫についても、その有効性が確認されたといえよう。さらに、ＦＲＳ環境音を体験することによって脳の視覚情報処理系の活性改善が示唆される結果が得られたことは、ポジトロン断層法の解析が示すＦＲＳによって大脳皮質視覚連合野がクールダウンする結果と対応することからみても興味深く、ＨＳＥが古典的聴覚系に限らない脳機能の基幹領域に対する活性化効果を有している可能性を示唆すると考えられる。
【０３８２】
このような結果がえられた背景として、図書室という空間が必然的にもつ機能としてＨＳＥが十分発生して脳の内部状態が変わるだけの時間にわたって被験者が滞在することが作用していると思われる。また、今回の被験者群での図書室来室の動機の第一位は「息抜き」（３８％）であり、生徒たちは図書室に一種のリフレッシュ機能を期待していることが示唆されている。したがって学校図書室を拠点として情報環境の改善による脳機能の向上をはかることは有効性の高い戦略と考えられる。
【０３８３】
また、ＦＲＳ環境音で図書室の音環境改善効果が見出され、ＨＣＳ環境音ではそうした効果が見出されなかったということは、現在もっとも一般的であろうＣＤを音源とするＢＧＭが負の効果をもつおそれがあることを示唆していることに注意する必要がある。
【０３８４】
この実験全体として、超高密度音響技術によって情報環境を飛躍的に向上させる可能性が示唆されている。今後は、さらにデータの詳細解析を進めるとともに、ＨＲＥの現実的応用戦略について検討していきたい。
【実施例５】
【０３８５】
実施例５に係る「生理活性物質を指標とするハイパーソニックエフェクトの検討
―ハイパーリアル・エフェクトの研究（III）―」について以下に説明する。
【０３８６】
１．目的．
ハイパーリアル・エフェクト（顕著な高密度性・複雑性・変容性をもつ視聴覚情報が脳の働きを活性化する効果＝ＨＲＥ）による生理的反応が発現する脳深部は、全身の生理機能の制御中枢として神経系・内分泌系・免疫系を介して全身の組織臓器と密接に連携しているので、これらの生理機能に波及して反応があらわれる可能性が考えられる。この可能性を検討するために、ＨＲＥの一類型であるハイパーソニックエフェクト（ＨＳＥ）に注目して、可聴域上限をこえ非定常な超高周波成分を豊富に含む音（ハイパーソニックサウンド＝ＨＳＳ）および超高周波成分を含まない音を呈示した被験者から血液を採取し、血液に含まれる生理活性物質指標の分析を行なった。
【０３８７】
２．方法．
被験者：健常成人１６人（男７人、女９人、２２〜４０歳）。
音源：可聴域上限をこえ非定常な超高周波成分を豊富に含むバリ島の伝統的なガムラン音楽の楽曲を高速標本化１ビット量子化方式でデジタル録音したものを用いた。これを編集して全長４０分としたテープを作成し、音試料として使用した。
環境：十分な広さをもったリスニング・ルームに適度に安楽な聴取席を設置した。周辺に調度、絵画、植栽などを適切に配したほか、採光、空調なども調整し、全体に快適性を高めるように配慮した。
【０３８８】
呈示系：１００ｋＨｚまでほぼ平坦な再生特性をもつバイチャンネル方式のシステムを構成した。その超高周波域再生回路中に設けたスイッチをオン／オフすることによって、可聴域成分の同一性を理論上確保しながら［超高周波成分を含む音］／［含まない音］の選択的な再生を可能にした。
【０３８９】
呈示条件：音試料の可聴域成分（ＬＦＣ）と可聴域をこえる超高周波成分（ＨＦＣ）とを組みあわせて、ＦＲＳ（フルレンジサウンド（Ｆｕｌｌ  Ｒａｎｇｅ  Ｓｏｕｎｄ）＝ＬＦＣ＋ＨＦＣ）およびＨＣＳ（ハイカットサウンド（Ｈｉｇｈ  Ｃｕｔ  Ｓｏｕｎｄ）＝ＬＦＣのみ）の２条件を設定した。被験者全員に対して、１回４０分間の音呈示を両方の条件で１回ずつ合計２回、順序を被験者間でランダム化してブラインドフォールド下で行なった。２回の呈示の間に約５分間の休憩を設けた。
【０３９０】
血液採取：被験者に採血にともなうストレスを与えることを極力さけるため、実験開始前にあらかじめ被験者の腕の静脈血管に留置針を挿入し、チューブを接続して採血用ラインとして実験中維持した。音呈示条件ごとに毎回、呈示開始後約３５分を経過した時点で採血用ラインから採血を行なって血液試料とした。採血用ラインは被験者の視界に入らないようにし、採血操作も被験者の視野外で行なって、できるだけストレスを与えないように努めた。
【０３９１】
血液分析項目：全身の健康維持および生体防衛に機能する細胞性免疫活性と、正負両面の心身相関に関わる内分泌物質に注目し、以下を選択した。
細胞性免疫指標４項目：ＣＤ４陽性細胞比率、ＣＤ８陽性細胞比率、ＣＤ４陽性細胞／ＣＤ８陽性細胞比、ＮＫ細胞活性。
内分泌性指標６項目：コルチゾール、アドレナリン、ノルアドレナリン、ドーパミン、β−エンドルフィン、プロラクチン。
統計解析：各項目とも測定値の被験者間のばらつきが大きかったので、項目ごとに測定値を被験者内でノーマライズした（各条件の測定値を２条件の平均値で除した）値を算出し、その被験者間平均値について条件間の差の有意性を対応のあるｔ検定によって検証した。
【０３９２】
３．結果．
各測定項目の条件ごとの平均値および条件間の差の有意性（ｐ値）を図５７の表（血液中の生理活性指標測定値（被験者内ノーマライズ値）の平均値）に示す。図５７から明らかなように、ＮＫ細胞活性は、ＨＣＳに比較してＦＲＳ呈示下で有意な増大を示した。
【０３９３】
４．考察．
ＮＫ細胞は免疫系においてガン細胞やウイルス感染細胞の破壊除去を担当し、疾病抑止・健康維持に機能している。ＨＣＳに比較してＦＲＳ呈示下でＮＫ細胞活性が有意に増大したことは、ＨＳＳが免疫系の活動に対して影響を及ぼすことを示唆し、その方向は健康増進性であるといえる。
【０３９４】
免疫系は、生体内情報伝達物質のひとつであるサイトカインの授受を通じて、脳および全身の神経系との間で相互作用を及ぼしあっていることが知られている。ＨＳＳによって脳深部に導かれた神経系の活動の変化が、このような相互作用を通じて免疫系の反応をひき起こした可能性が示唆される。
【０３９５】
なお、実験手続きの不調和から導かれる身体的心理的ストレスはＨＳＥ発生をさまたげ、結果を混乱させる原因となる。その点で血液を採取するという実験手法は、「針刺し」という痛みを伴い不快感や恐怖感を惹起しやすい操作を必須の過程として避けられない。今回採用した採血ラインを確保する方法も、健常被験者にとっては非日常的であり違和感や恐怖感は抑えがたく、不利な点の多いものといえる。従って、ＮＫ細胞活性以外の今回判然とした結果が得られなかった項目についても、それが見かけどおりＨＳＥと無関係であると断定するには尚早としなければならない。今後、ＨＳＥの発生上、負の効果をもつ要因を抑制排除する方向で手法を洗練することが課題となる。その達成と手法の確立にともなって、血液から得られる情報に基づいてＨＳＥの生理的反応が新たに見いだされる可能性は少なくないと考える。
【０３９６】
５．結論．
ハイパーリアル・エフェクトによる全身の生理機能への波及的な影響の可能性を検討するために、可聴域上限をこえ非定常な超高周波成分を豊富に含む音に対する反応を、血液中の生理活性物質指標を分析して検討した。その結果、超高周波成分を含まない音を呈示した場合に比較してＮＫ細胞活性の有意な増大を認めた。これについては、さきに著者らが報告した可聴域をこえる超高周波成分を豊富に含む非定常音が人間の生理・心理・行動におよぼす効果（ＨＳＥ）の、波及的な生理的反応の一部である可能性が考えられる。
【実施例６】
【０３９７】
実施例６に係る「ポジトロン断層画像法によるハイパーソニックエフェクトの神経生理学的検討―ハイパーリアル・エフェクトの研究（IV）―」について以下に説明する。
【０３９８】
１．目的．
ハイパーリアル・エフェクト（高密度性・複雑性・変容性が顕著な構造をもつ情報が、脳の働きを活性化する効果）の発現にかかわる脳内神経機構をあきらかにするために、人間の可聴域上限を超える超高周波成分を豊富に含む音が脳神経系におよぼす影響をポジトロン断層画像法（ＰＥＴ）をもちいて検討した。
【０３９９】
脳神経活動が高まると当該脳部位のエネルギー代謝の増大が領域脳血流の増加を引き起こす。その様子は、酸素の放射性同位元素（１５Ｏ）で標識した水を生体に投与し、その脳内分布をＰＥＴで計測することにより、脳全体を対象として高い空間解像度で断層画像化することが可能である。特定の感覚刺激受容時や運動認知課題遂行時の脳血流分布と対照条件下のそれとを比較し、領域脳血流が変化した部位を捉えることにより、刺激受容や課題遂行にかかわる脳神経活動を同定することができる。
【０４００】
２．方法．
２−１．ＰＥＴ計測．
被験者は健常成人１２名（男８、女４、１９〜３４歳）。音源は２０ｋＨｚ以上の超高周波成分を豊富に含むバリ島の伝統的なガムラン音楽の楽曲「ガンバン・クタ」（２００秒間）を用いた。ＰＥＴ計測室内にバイチャンネル方式の音再生系を設置して音試料を呈示した。スピーカを被験者の耳から１．５ｍの距離で身体に正対する位置に設置し、聴感上十分かつ不快感を生じないレベルに音圧を調整した。ＰＥＴ計測室内の温湿度を調整するとともに、環境絵画や植裁、調度をもちいて音再生装置のケーブルやＰＥＴ計測に必要な医療器具を被験者の視野からはずすなど視覚情報環境にも留意し、被験者の快適性を高めた。
【０４０１】
音試料の可聴域成分（ＬＦＣ）と可聴域を超える超高周波成分（ＨＦＣ）とを組みあわせて、
（１）ＦＲＳ（フルレンジサウンド（Ｆｕｌｌ  Ｒａｎｇｅ  Ｓｏｕｎｄ））＝ＬＦＣ＋ＨＦＣ、
（２）ＨＣＳ（ハイカットサウンド（Ｈｉｇｈ  Ｃｕｔ  Ｓｏｕｎｄ））＝ＬＦＣのみ、
（３）ＬＣＳ（ローカットサウンド（Ｌｏｗ  Ｃｕｔ  Ｓｏｕｎｄ））＝ＨＦＣのみ、
（４）ベースライン（Ｂａｓｅｌｉｎｅ）＝暗騒音のみ、
の４つの呈示条件を準備した。被験者６人に（１）（２）（４）、別の６人に（１）（３）（４）をそれぞれ２回ずつランダムな順序で呈示し、各条件下での領域脳血流を計測した。
【０４０２】
２−２．データ解析．
各被験者から得られた脳血流画像の解析は、ＳＰＭ（Ｓｔａｔｉｓｔｉｃａｌ  Ｐａｒａｍｅｔｒｉｃ  Ｍａｐｐｉｎｇ）ソフトウェアをもちいて実施した。撮像中の頭部位置のずれを補正し、各被験者の脳の形をタライラック標準脳にあわせて成型した後、一般線型モデルをもちいて統計検定を実施した。まず各実験条件間の脳血流を比較することにより、脳血流が増加または減少した部位を同定した。多数の画素について統計検定を行うことによる多重比較の補正を行った後、ｐ＜０．０５の有意水準で血流変化部位を同定した。また変化傾向を同定するため、多重比較の補正をおこなわない水準をもちいた検定も同時に実施した。次に主成分分析をもちいて、データの分散共分散構造のなかから、互いに相関して変化する時空間パターンを抽出することにより、神経機能ネットワークの描出を試みた。
【０４０３】
３．結果．
３−１．各条件間の比較．
（１）可聴域成分の効果．
可聴域音の呈示時には、対照の暗騒音条件と比較して、一次聴覚野で有意な血流増大を認めるとともに、視覚連合野で血流減少傾向が認められた（図５８：ＦＲＳ＋ＨＣＳ  ｖｓ．  Ｂａｓｅｌｉｎｅ（ベースライン））。
【０４０４】
（２）超高周波成分単独の効果
超高周波成分を単独で呈示した場合には、暗騒音条件と比較して、脳血流の増加、減少ともに明らかな傾向を示した部位は存在しなかった（図５８：ＬＣＳ  ｖｓ．  Ｂａｓｅｌｉｎｅ（ベースライン））。
【０４０５】
（３）超高周波成分が可聴域成分受容におよぼす効果
超高周波成分を可聴域成分と同時に呈示したときには、暗騒音条件に比較して、一次聴覚野に有意な血流増加を認めるとともに、視床および上部脳幹に血流増加傾向、視覚連合野に血流減少傾向を認めた（図５８：ＦＲＳ  ｖｓ．  Ｂａｓｅｌｉｎｅ（ベースライン））。
【０４０６】
一方、超高周波成分を含まず可聴域成分を単独で呈示した場合には、一次聴覚野に有意な血流上昇を認めたが、視床および上部脳幹の血流増加傾向は認められなかった。逆に、視覚連合野に加えて、上部脳幹と楔前部にも血流減少傾向が認められた（図５８：ＨＣＳ  ｖｓ．  Ｂａｓｅｌｉｎｅ（ベースライン）、図５９）。
【０４０７】
超高周波成分と可聴域成分とを同時に呈示した場合を可聴域成分単独で呈示した場合と直接比較すると、上部脳幹と視床に有意な血流増加を認めた（図５８：ＦＲＳ  ｖｓ．  ＨＣＳ）。
【０４０８】
３−２．主成分分析による神経機能ネットワークの検討．
主成分分析の第１成分、すなわちデータの中に含まれる最大の変動成分として、両側の一次聴覚野を含む領域が描出された（図６０）。この成分は、Ｂａｓｅｌｉｎｅ（ベースライン）条件で低値を、ＦＲＳおよびＨＣＳ条件で高値をとることから、聴覚神経系の機能ネットワークと考えられる。
【０４０９】
主成分分析の第２成分、すなわちデータから第１成分の変動を取り除いた後に含まれる最大の変動成分として、視床および上部脳幹を含む脳深部領域が描出された（図６１）。この成分は、ＦＲＳ＞Ｂａｓｅｌｉｎｅ（ベースライン）＞ＨＣＳの順で高値をとることから、超高周波成分により相互効果を導いた機能ネットワークと考えられる。
【０４１０】
４．考察．
ポジトロン断層画像法をもちいた検討により、超高周波成分を含む音受容にかかわる二つの神経機能ネットワークがあきらかとなった。第１は両側一次聴覚野を含む聴覚神経系のネットワークであり、呈示された音が超高周波成分を含むか否かにかかわらず、可聴域成分によって活性化される古典的聴覚系である。第２は視床および上部脳幹を含む脳深部のネットワークである。この活動は、超高周波成分が可聴域成分と共存することによって活性化するが、超高周波単独では変化が見られず、また可聴域成分が単独で呈示されたときには抑制される。脳深部は情動系制御に重要なオピオイド系およびモノアミン系神経回路の拠点であることから、音受容に際してモジュレータの役割を果たす情動系ネットワークと考えられる。
【実施例７】
【０４１１】
実施例７に係る「ハイパーソニックエフェクトの生理学」について以下に説明する。
【０４１２】
１．ハイパーソニックエフェクトの発現にかかわる神経機構の同定．
本発明者らはこれまでに、人間の可聴域上限を超える非定常な成分を豊富に含む音が、快適性を高め、刺激受容行動を促進する効果をもつことを見出し、ハイパーソニックエフェクトとして報告してきた。こうした聴取者の心理的・行動的反応を含むさまざまな生体応答の基盤となるのは、超高周波成分を豊富に含む音によって脳内に誘導される神経活動の変化である。そこでハイパーソニックエフェクトの発現にかかわる脳内神経機構の全体像をあきらかにするために、人間の可聴域上限を超える超高周波成分を豊富に含む音が脳神経系におよぼす影響をポジトロン断層画像法（ＰＥＴ）をもちいて検討した。
【０４１３】
脳神経活動が高まると当該脳部位のエネルギー代謝の増大が領域脳血流の増加を引き起こす。その様子は、酸素の放射性同位元素（１５Ｏ）で標識した水を生体に投与し、その脳内分布をＰＥＴで計測することにより、脳全体を対象として高い空間解像度で断層画像化することが可能である。特定の感覚刺激受容時や運動認知課題遂行時の脳血流分布と対照条件下のそれとを比較し、領域脳血流が変化した部位を捉えることにより、刺激受容や課題遂行にかかわる脳神経活動を同定することができる。
【０４１４】
１−１．方法．
被験者は健常成人１２名。音源は２０ｋＨｚ以上の超高周波成分を豊富に含むバリ島の伝統的なガムラン音楽の楽曲「ガンバン・クタ」（２００秒間）を用いた。ＰＥＴ計測室内にバイチャンネル方式の音再生系を設置して音試料を呈示した。スピーカを被験者の耳から１．５ｍの距離で身体に正対する位置に設置し、聴感上十分かつ不快感を生じないレベルに音圧を調整した。ＰＥＴ計測室内の温湿度を調整するとともに、環境絵画や植裁、調度をもちいて音再生装置のケーブルやＰＥＴ  計測に必要な医療器具を被験者の視野からはずすなど視覚情報環境にも留意し、被験者の快適性を高めた。
【０４１５】
音試料の可聴域成分（ＬＦＣ）と可聴域を超える超高周波成分（ＨＦＣ）とを組みあわせて、
（１）ＦＲＳ（フルレンジサウンド（Ｆｕｌｌ  Ｒａｎｇｅ  Ｓｏｕｎｄ））＝ＬＦＣ＋ＨＦＣ、
（２）ＨＣＳ（ハイカットサウンド（Ｈｉｇｈ  Ｃｕｔ  Ｓｏｕｎｄ））＝ＬＦＣのみ、
（３）ＬＣＳ（ローカットサウンド（Ｌｏｗ  ＣｕｔＳｏｕｎｄ））＝ＨＦＣのみ、
（４）Ｂａｓｅｌｉｎｅ（ベースライン）＝暗騒音のみ、の４つの呈示条件を準備した。
被験者６人に（１）（２）（４）、別の６人に（１）（３）（４）をそれぞれ２回ずつランダムな順序で呈示し、各条件下での領域脳血流を計測した。
【０４１６】
各被験者から得られた脳血流画像の解析は、ＳＰＭ（Ｓｔａｔｉｓｔｉｃａｌ  Ｐａｒａｍｅｔｒｉｃ  Ｍａｐｐｉｎｇ）ソフトウェアをもちいて実施した。撮像中の頭部位置のずれを補正し、各被験者の脳の形をタライラック標準脳にあわせて成型した後、一般線型モデルをもちいて統計検定を実施した。まず各実験条件間の脳血流を比較することにより、脳血流が増加または減少した部位を同定した。多数の画素について統計検定を行うことによる多重比較の補正を行った後、ｐ＜０．０５の有意水準で血流変化部位を同定した。また変化傾向を同定するため、多重比較の補正をおこなわない水準をもちいた検定も同時に実施した。次に主成分分析をもちいて、データの分散共分散構造のなかから、互いに相関して変化する時空間パターンを抽出することにより、神経機能ネットワークの描出を試みた。
【０４１７】
１−２．結果．
（１）可聴域成分の効果
可聴域音の呈示時には、対照の暗騒音条件と比較して、一次聴覚野で有意な血流増大を認めるとともに、視覚連合野で血流減少傾向が認められた（図６２：ＦＲＳ＋ＨＣＳ  ｖｓ．  Ｂａｓｅｌｉｎｅ（ベースライン））。
【０４１８】
（２）超高周波成分単独の効果
超高周波成分を単独で呈示した場合には、暗騒音条件と比較して、脳血流の増加、減少ともに明らかな傾向を示した部位は存在しなかった（図６２：ＬＣＳ  ｖｓ．  Ｂａｓｅｌｉｎｅ）。
【０４１９】
（３）超高周波成分が可聴域成分受容に及ぼす効果超高周波成分を可聴域成分と同時に呈示したときには、暗騒音条件に比較して、一次聴覚野に有意な血流増加を認めるとともに、視床および上部脳幹に血流増加傾向、視覚連合野に血流減少傾向を認めた（図６２：ＦＲＳ  ｖｓ．  Ｂａｓｅｌｉｎｅ（ベースライン））。一方、超高周波成分を含まず可聴域成分を単独で呈示した場合には、一次聴覚野に有意な血流上昇を認めたが、視床および上部脳幹の血流増加傾向は認められなかった。逆に、視覚連合野に加えて、上部脳幹と楔前部にも血流減少傾向が認められた（図６２：ＨＣＳ  ｖｓ．  Ｂａｓｅｌｉｎｅ（ベースライン））。超高周波成分と可聴域成分とを同時に呈示した場合を可聴域成分単独で呈示した場合と直接比較すると、上部脳幹と視床に有意な血流増加を認めた（図６２：ＦＲＳ  ｖｓ．  ＨＣＳ）。
【０４２０】
（４）主成分分析による神経ネットワークの全体像主成分分析の第一成分、すなわちデータの中に含まれる最大の変動成分として、両側の一次聴覚野を含む領域が描出された。この成分は、Ｂａｓｅｌｉｎｅ（ベースライン）条件で低値を、ＦＲＳ  およびＨＣＳ  条件で高値をとることから、聴覚系ネットワークと考えられる。
【０４２１】
主成分分析の第２成分、すなわちデータから第１成分の変動を取り除いた後に含まれる最大の変動成分として、上部脳幹（中脳）、視床下部および視床を含む脳深部領域を中心として、前頭葉眼窩部から前頭前野と帯状回前部にまで広がるネットワークが描出された（図６３）。この成分は、ＦＲＳ＞Ｂａｓｅｌｉｎｅ（ベースライン）＞ＨＣＳの順で高値をとることから、超高周波成分によって可聴域成分の受容に相互効果を導く効果をもち、情動系・感性系ネットワークと考えられる。
【０４２２】
２．ハイパーソニックエフェクトが導く全身性生体反応の検討．
ＰＥＴによって明らかになったハイパーソニックエフェクトの発現をささえる神経ネットワークは、上部脳幹、視床下部、視床など脳の基幹的な機能を担う神経組織を中心に分布している。脳基幹部は、脳全体の神経機能を制御するだけではなく、自律神経系や内分泌系、免疫系などを介して全身の組織臓器を総合的に統御する機能をもっている。したがってこれら脳基幹部を含む神経ネットワークの活動変化は、神経系のみにとどまらず、広く全身の生理機能に波及して反応があらわれる可能性が否定できない。そこで、超高周波成分を豊富に含む音と含まない音を呈示した被験者から、血液を採取し、血中生理活性物質指標の分析を行なった。
【０４２３】
２−１．方法．
被験者は健常成人１６人。ＰＥＴの実験で用いた音源を全長４０分に編集し、音試料として使用した。十分な広さをもったリスニング・ルームに適度に安楽な聴取席を設置した。周辺に調度、絵画、植栽などを適切に配したほか、採光、空調なども調整し、全体に快適性を高めるように配慮した。バイチャンネル方式のシステムを用いて、ＦＲＳ（フルレンジサウンド（Ｆｕｌｌ  Ｒａｎｇｅ  Ｓｏｕｎｄ）＝ＬＦＣ＋ＨＦＣ）およびＨＣＳ（ハイカットサウンド（Ｈｉｇｈ  Ｃｕｔ  Ｓｏｕｎｄ）＝ＬＦＣのみ）の２条件を設定し、１回４０分間の音呈示を両方の条件で１回ずつ合計２回呈示した。２回の呈示の間に約５分間の休憩を設けた。呈示順序は被験者間でランダム化し、ブラインドフォールド下で実験を実施した。
【０４２４】
被験者に採血にともなうストレスを与えることを極力さけるため、実験開始前にあらかじめ被験者の腕の静脈血管に留置針を挿入し、チューブを接続して採血用ラインとして実験中維持した。音呈示条件ごとに毎回、呈示開始後約３５分を経過した時点で採血用ラインから採血を行なって血液試料とした。採血用ラインは被験者の視界に入らないようにし、採血操作も被験者の視野外で行なって、できるだけストレスを与えないように努めた。
【０４２５】
全身の健康維持および生体防衛に機能する細胞性免疫活性と、正負両面の心身相関に関わる内分泌物質に注目し、細胞性免疫指標４項目（ＣＤ４陽性細胞比率、ＣＤ８陽性細胞比率、ＣＤ４陽性細胞／ＣＤ８陽性細胞比、ＮＫ細胞活性）と、内分泌性指標６項目（コルチゾール、アドレナリン、ノルアドレナリン、ドーパミン、β−エンドルフィン、プロラクチン）を計測した。各項目とも測定値の被験者間のばらつきが大きかったので、項目ごとに測定値を被験者内でノーマライズした（各条件の測定値を２条件の平均値で除した）値を算出し、その被験者間平均値について条件間の差の有意性を対応のあるｔ検定によって検証した。
【０４２６】
２−２．結果．
各指標の条件ごとの計測結果を図６４に示す。ＨＣＳに比較してＦＲＳ呈示下でＮＫ細胞活性が統計的有意に増大することが示された。
【０４２７】
３．考察．
ＰＥＴをもちいた検討により、超高周波成分を含む音受容にかかわる二つの神経機能ネットワークがあきらかとなった。第１は両側一次聴覚野を含む聴覚神経系のネットワークであり、呈示された音が超高周波成分を含むか否かにかかわらず、可聴域成分によって活性化される古典的聴覚系である。第２は視床、視床下部および上部脳幹を含む脳基幹部を拠点とするネットワークである。この活動は、超高周波成分が可聴域成分と共存することによって活性化するが、超高周波単独では変化が見られず、また可聴域成分が単独で呈示されたときには抑制される。このネットワークの中心となる上部脳幹にはオピオイド系およびモノアミン系神経回路が集中しており、音受容に際してモジュレータの役割を果たす情動系あるいは感性系のネットワークと考えられる。
【０４２８】
さらに脳基幹部は、内分泌系や免疫系を介して全身機能を統御する役割を担っている。今回の検討において、ＦＲＳとＨＣＳで統計的有意な違いを示したＮＫ細胞は、ガン細胞やウイルス感染細胞の破壊除去を担当し、疾病抑止や健康維持に重要な役割を果たす細胞性免疫の主役である。同時にＮＫ細胞活性は生体のストレスに対する耐性の強さを反映している。ＨＣＳに比較してＦＲＳ呈示下でＮＫ細胞活性が有意に増大したことは、可聴域上限を超える超高周波成分を豊富に含む音による情動系・感性系神経ネットワークの活性化が、生体内情報伝達物質のひとつであるサイトカインの授受を通じて全身性の免疫活性を増加させ、健康増進性の機能を発揮していることを示唆するものと考えられる。本発明者らはこれまでに、可聴域上限を超える非定常な超高周波成分は、人類が進化の過程で慣れ親しんだ熱帯雨林の自然環境音に極めて豊富に含まれるのに対して、都市の環境音にはほとんど含まれないことを報告してきている。これらの知見をあわせて考えると、非定常な超高周波成分の影響は、音の受容反応だけではなく、都市居住者に固有の健康問題にまで波及する可能性をもっているといえる。
【０４２９】
一方、今回の検討では、内分泌性指標には統計的有意な結果が認められなかった。その一因として、血液を採取するための「針刺し」に伴う痛みや不快感、恐怖感が引き起こす生体反応がデータを撹乱した可能性を考慮すべきである。今回の検討では、採血にともなう痛みを最小限に抑えるために採血ラインを確保する方法を採用したが、それでもなお健常な被験者に与える違和感や恐怖感は無視できないものであった可能性は否定できない。今後、被験者にとってより肉体的および精神的負担の少ない計測手法の確立と、それらをもちいたさらなる検討が必要と考えられる。
【０４３０】
４．結論．
可聴域上限を超える超高周波成分を豊富に含む音が、脳機能および全身の生理機能におよぼす影響を検討した。その結果、脳内では脳基幹部を拠点とする情動系・感性系神経ネットワークの活性化が認められ、全身的には細胞性免疫活性の上昇が検出された。これらの結果は、非定常な超高周波成分の有無が、聴取者の健康状態に影響を及ぼす可能性を示唆している。
【実施例８】
【０４３１】
実施例８においては、熱帯雨林型環境情報と都市空間型環境情報のスペクトルとその密度の比較について考察する。熱帯雨林型環境情報の事例として、図６５にマレーシア共和国ボルネオ島において収録した環境音のＦＦＴスペクトル、図６６にインドネシア共和国ジャワ島において収録した環境音のＦＦＴスペクトル、図６７にモンゴル草原において収録した小川のせせらぎの環境音のＦＦＴスペクトルを示す。比較として、都市空間型環境情報の事例として、図６８に東京都中野区の市街地において収録した環境音のＦＦＴスペクトルを示す。なお、図６５乃至図６８において、ＦＦＴスペクトルの横軸は、１秒あたりの空気振動数、すなわち周波数を示す。ＦＦＴスペクトルの縦軸は、高速フーリエ変換法により推定した各周波数ごとのパワーを、デシベル表示したものである。
【０４３２】
人間における、聴覚情報の知覚限界は、１秒あたりの空気振動が２０回（周波数２０Ｈｚ）以上、２００００回（周波数２０ｋＨｚ）を超えない範囲とされている。３つの熱帯雨林型環境情報の事例ではいずれも、周波数２０Ｈｚから２０ｋＨｚまでの知覚範囲の密度の聴覚情報と、２０ｋＨｚを超え１３０ｋＨｚ（１秒あたりの空気振動数が１３００００回）に及ぶ超知覚範囲の密度をもつ聴覚情報がともに、存在している。一方、都市空間型環境情報の事例では、周波数２０Ｈｚから２０ｋＨｚまでの知覚範囲の密度の聴覚情報が圧倒的な割合を占めており、超知覚範囲の密度をもつ聴覚情報はほとんど存在していない。
【０４３３】
次いで、ＭＥスペクトルアレイにおいてその複雑性について比較する。熱帯雨林型環境情報の事例として、図６９に、マレーシア共和国ボルネオ島において収録した環境音のＭＥスペクトルアレイ、図７０に、インドネシア共和国ジャワ島において収録した環境音のＭＥスペクトルアレイ、図７１に、モンゴル草原において収録した小川のせせらぎの環境音のＭＥスペクトルアレイを示す。比較として、都市空間型環境情報の事例として、図７２及び図７３に、東京都中野区の市街地において収録した環境音のＭＥスペクトルアレイを示し、ここで、図７２は静寂な室内音のＭＥスペクトルアレイであり、図７３は屋外の騒音のＭＥスペクトルアレイである。図６９乃至図７３において、ＭＥスペクトルの横軸は、１秒あたりの空気振動数、すなわち周波数を示す。縦軸は、最大エントロピー法により推定した周波数ごとのパワーをデシベル表示したものである。アレイの手前から奥に向かう軸は、時間の進行を示す。
【０４３４】
図６９乃至図７１から明らかなように、３つの熱帯雨林型環境情報の事例では、可聴帯域あるいは２０ｋＨｚを超える超可聴帯域あるいはその両方において、ピークの振幅あるいは周波数あるいはスペクトル形状が、１０ｍｓｅｃよりも短い間隔で大きく変容している。一方、図７２及び図７３から明らかなように、都市空間型環境情報の事例では、定常的で、スペクトル形状の変化はほとんどみられない。
【０４３５】
図７４は以上の考察を要約したものであり、本発明における超知覚情報と専知覚情報との相違点の表を示す図である。図７４に示すように、専知覚情報とは、知覚限界内の情報のみによって構成される感覚情報である。一方、超知覚情報とは、知覚可能な情報とともに知覚限界を超える（好ましくは顕著に超える）情報によって構成される感覚情報である。
【０４３６】
専知覚情報の聴覚密度は、聴覚情報密度（１秒当たりの空気振動数）が２０Ｈｚ以上２０ｋＨｚ以下の可知覚帯域のみであり、その複雑性は、上記の密度をもつ聴覚情報において、聴覚情報の密度とパワーの構造を示すスペクトルの形状が、１００ｍｓｅｃより小さい時間領域では定常的である。一方、超知覚情報の聴覚密度は、聴覚情報密度（１秒当たりの空気振動数）が２０Ｈｚ以上２０ｋＨｚ以下の可知覚帯域と、２０ｋＨｚを超え（少なくとも１００ｋHz)、好ましくは２００ｋＨｚに及ぶ超知覚帯域とがともに存在する。また、超知覚情報の複雑性は、上記の密度をもつ聴覚情報において、密度とパワーの構造を示すスペクトルの形状が、最大１００ｍｓｅｃ以上、最少０．５ｍｓｅｃ以下の時間領域において変容する。
【０４３７】
また、専知覚情報の視覚密度は、視覚刺激密度（画素数／視野角（分））が最小弁別閾視力を超えない。また、その複雑性は、上記の密度をもつ視覚刺激あるいは上記の密度を超える視覚刺激において、視覚情報のフラクタル次元（容量次元）が実質的に２．０以上で２．２未満である。一方、超知覚情報の視覚密度は、視覚刺激密度（画素数／視野角（分））が最小弁別閾視力を超え、好ましくはその１０倍に及ぶ密度を有し、その複雑性は、上記の密度をもつ視覚刺激において、視覚情報の容量次元が実質的に２．２以上で約３．０未満である。
【０４３８】
さらに、専知覚情報の情報構造は、低密度単調性、定常性、幾何学的規則性を有し、脳深部及び関連するモノアミン作動性神経投射系などからなる「感性脳」（報酬神経系）を不活性化する傾向を有する。一方、超知覚情報の情報構造は、超高密度高複雑性、非定常性、変容性を有し、脳深部及び関連するモノアミン作動性神経投射系などからなる「感性脳」（報酬神経系）を活性化する傾向を有する。
【０４３９】
以上説明したように、本発明者らが定義した熱帯雨林型環境情報は、知覚可能な情報とともに知覚限界を超える（好ましくは顕著に超える）情報によって構成される感覚情報である超知覚情報であり、当該超知覚情報は本願明細書及び図面において記載の装置又はシステムによって発生して実現して、都市空間と居住空間と生活空間とのうちの少なくとも１つを含む所定の空間に設定することができる。なお、熱帯雨林型環境情報を発生する空間として、部屋などの居住空間を含む屋内の空間や、例えば列車、自動車、航空機や船舶などの乗り物、もしくは、例えば、庭園、公園、森林などの屋外の空間など、所定の空間であればよい。
【実施例９】
【０４４０】
図７５は実施例９に係る超知覚性聴覚情報を収録するシステムの一例を示すブロック図であり、図７６は図７５のシステムで用いるマイクロフォン２０１の周波数特性を示すグラフである。また、図７７は図７５のシステムで用いるプリエンファシス回路２０３の構成を示す回路図であり、図７８は図７７のプリエンファシス回路２０３の周波数特性を示すグラフであり、図７９は図７７のプリエンファシス回路２０３の位相特性を示すグラフである。
【０４４１】
図７５において、まず、マイクロフォン２０１によって超知覚性聴覚情報を保持する空気振動を入力して電気信号に変換する。マイクロフォン２０１は、２０ｋＨｚを超えて、たとえば図７６に示すような１００ｋＨｚまで平坦な周波数特性を有し、好ましくは２００ｋＨｚに及ぶ周波数特性を有するものを使用する。マイクロフォン２０１によって得られた電気信号を高性能のマイクロフォン用増幅器２０２で増幅してノイズの混入による信号への影響を相対的に低減する。次いで、アナログ／デジタル変換に先立って、高速１ビットアナログ／デジタル変換に固有の量子化に伴う１ビットノイズの影響を受けやすい超高密度帯域のＳ／Ｎ比を向上させるために、たとえば図７７の回路を有し図７８に示す周波数特性を有するプリエンファシス回路２０３によって高域を増幅する。プリエンファシス回路２０３は、図７７に示すように、入力端子Ｔ１と出力端子Ｔ２の間に、２つのオペアンプＯＰＡ１，ＯＰＡ２とそれらに接続される入力抵抗、入力容量、帰還抵抗を備えて構成される。高速１ビットアナログ／デジタル変換には、超高密度帯域に量子化ノイズが付加されるという原理的な弱点がある。これを回避するために、ノイズをより高域側に押し上げるなどの工夫の他に、プリエンファシス回路２０３によってノイズの影響を相対的に無視できる程度に高域を増幅した後にアナログ／デジタル変換し、逆にデジタル／アナログ変換した後に高域を低減してから音に再生するという手段がとられる場合がある。
【０４４２】
本実施例では、図７８に示すように、従来にない工夫を加えたエンファシス回路２０３及びディエンファシス回路２１３を使用する。すなわち、以下の通りである。
（１）たとえば２００ｋＨｚで＋２０ｄＢという周波数特性を有し、従来用いられている比較的低密度の高速１ビットアナログ／デジタル変換はもちろん、今後開発されるであろう、より高域にノイズをもつであろう変換方式にも対応可能になっている。
（２）単純なシェルビングフィルタを用いているので、逆回路を組むことが容易であり、エンファシス回路２０３＋ディエンファシス回路２１３の周波数特性及び位相特性が平坦になっている。
（３）一次のフィルタを使用することによって回路が単純になっており上記（２）の効果につながっている。
（４）位相特性についても特異的な変曲点をもたないなだらかなカーブをえがくことによって、音質への悪影響がより少ない回路となっている。
【０４４３】
上記のプリエンファシス回路２０３を通過させた後の電気信号を高速１ビットのＡ／Ｄ変換器１０４によりデジタル化する。サンプリング周波数をたとえば２．８２２４ＭＨｚあるいは５．６４４８ＭＨｚとすることによって、従来よりも高密度の音響信号の収録を可能にする。たとえば１００ｋＨｚで−１０ｄＢあるいは−５ｄＢの特性をもたせることが望ましい。以上の処理を経てデジタル化された電気信号を、たとえば磁気テープ又はＤＶＤ−ＲＡＭなどの光ディスクなどの記録媒体に高速レコーダ２０５により記録することによって、超知覚性聴覚情報を収録することができる。アナログ／デジタル変換においては、同等のクオリティをもつＰＣＭ変換などの手段を用いてもよい。
【０４４４】
以上の図７５の実施例においては、説明の簡単化のために、１チャンネルについてのみ記述したが、環境情報収録のためには、多チャンネル化は重要な要件である。
【実施例１０】
【０４４５】
図８０は実施例１０に係る超知覚性聴覚情報を再生するシステムの一例を示すブロック図であり、図８１は図８０のシステムで用いるディエンファシス回路２１３の構成を示す回路図である。また、図８２は図８１のディエンファシス回路２１３の周波数特性を示すグラフであり、図８３は図８１のディエンファシス回路２１３の位相特性を示すグラフである。
【０４４６】
図８０において、まず、プレイヤ２１１は超知覚性メディアである記録媒体からデジタルデータ信号を読み出す。たとえば、超知覚性パッケージメディアとして普及しているスーパーオーディオＣＤのデジタル情報を、スーパーオーディオＣＤプレイヤで読み出す。次いで、読み出したデジタルデータ信号をＤ／Ａ変換器２１２によりアナログ信号に変換する。たとえば、スーパーオーディオＣＤは、高速１ビットアナログ／デジタル変換とダイレクト・ストリーム・デジタル（ＤＳＤ）記録方式を用いており、原理的には超高密度帯域まで再生できる。しかしながら、従来のスーパーオーディオＣＤプレイヤに内蔵されているデジタル／アナログ変換器は、超高密度帯域に現れる１ビットノイズのピークを除くために、デジタル／アナログ変換回路に５０ｋＨｚ以上の超高密度帯域をロールオフする機能をもたせており、５０ｋＨｚを越える超知覚性聴覚情報が低減する。これを防ぐため、デジタル／アナログ変換回路を変更することによって、超高密度帯域に１ビットノイズのピークがなく、超高密度帯域の情報を低減することもなくアナログ信号を再現する機能を実現する。たとえば、１００ｋＨｚで−１０ｄＢあるいは−５ｄＢの特性をもたせることが望ましい。デジタル／アナログ変換においては、同等のクオリティをもつＰＣＭ変換などの手段を用いてもよい。
【０４４７】
さらに、プリエンファシス回路２０３を使用してアナログ／デジタル変換された信号の場合、デジタル／アナログ変換に続いて、プリエンファシス回路２０３に対応した周波数特性を有するディエンファシス回路２１３によりディエンファシスの処理を行う。ディエンファシス回路２１３は、図８１に示すように、入力端子Ｔ１１と出力端子Ｔ１２の間に、２つのオペアンプＯＰＡ１，ＯＰＡ２とそれらに接続される入力抵抗、入力容量、帰還抵抗を備えて構成される。
【０４４８】
本実施例では、図８１に示すように、従来にない工夫を加えたディエンファシス回路２１３を使用する。すなわち、以下の通りである。
（１）たとえば２００ｋＨｚで−２０ｄＢという周波数特性を有し、従来用いられている比較的低密度の高速１ビットデジタル／アナログ変換はもちろん、今後開発されるであろう、より高域にノイズフロアピークをもつであろう変換方式にも対応可能になっている。
（２）単純なシェルビングフィルタを用いているので、図７７に示したプリエンファシス回路２０３の逆回路として容易に実現可能であり、プリエンファシス＋ディエンファシスの周波数特性の振幅特性及び位相特性が平坦なものになっている。
（３）一次のフィルタを使用することによって回路が単純になっており上記（２）の効果につながっている。
（４）位相特性についても特異的な変曲点をもたないなだらかなカーブをえがくことによって、音質への悪影響がより少ない回路となっている。
【０４４９】
次いで、前置増幅器２１４により電気信号を増幅する。高品位の抵抗切り替え式アッテネーターを使用し、たとえば２００ｋＨｚで−３ｄＢの周波数特性をもたせることが望ましい。そして、電力増幅器２１５により電気信号を増幅する。電力増幅器２１５では、超高密度帯域の信号にも対応する周波数応答特性及び過渡応答特性を確保するパワーアンプユニットを使用し、たとえば２００ｋＨｚで−３ｄＢの周波数特性をもち、歪み率を０．０１％におさえることが望ましい。最後に、３種類のスピーカ２１６，２１７，２１８からなるスピーカシステムにより電気信号を音に変換して再生する。超高密度帯域の信号は、スーパーツィータ２１６を使用して再生する。可聴帯域の信号は、たとえば、ツィータ２１７とウーファ２１８との２ウェイのスピーカシステムを構成して、それにより再生される。スピーカシステム全体として、２０Ｈｚから１００ｋＨｚまでは平坦な特性をもち、２００ｋＨｚまでカバーすることが望ましい。
【０４５０】
増幅から再生において、公知のバイチャンネル方式にすることが望ましい。すなわち、１つの入力信号を、超高密度帯域用と可聴帯域用とに分岐させて、完全に独立した２系統の出力信号とする。このことによって、超高密度聴覚情報の効果を調べるための音響生理学や認知心理学などの実験において、群遅延特性、混変調歪などの影響を受けることなく精密な実験を行うことが可能になる。なお、超高密度帯域と可聴帯域とが同じ回路で増幅・再生される、バイチャンネル方式によらない方法をとってもよい。ここでは、説明の簡単化のため１チャンネルについてのみ記述したが、環境情報再生のためには、多チャンネル化は重要な要件である。
【実施例１１】
【０４５１】
実施例１１では、複数のスピーカを配置するシステムにおいて用いるダブルヘリカルマトリックス配位法について以下に説明する。当該実施例１１では、５チャンネルのサラウンドでダブルヘリカルマトリックスを作成する場合を例示する。以下の図面において、以下の５つのスピーカを用いる。
（１）前面左側スピーカＦＬ。
（２）前面右側スピーカＦＲ。
（３）後面左側スピーカＲＬ。
（４）後面右側スピーカＲＲ。
（５）上部中央スピーカＵＣ。
【０４５２】
図８４は従来技術に係る通常の４チャンネルサラウンドのスピーカ配置を示す。このスピーカ配置において、前面左側スピーカＦＬと、後面左側スピーカＲＬは同じ左側にある。次いで、ダブルヘリカルマトリックスに配置すると、図８５のようになる。図８５において、前面左側スピーカＦＬは左側にあるのに対して後面左側スピーカＲＬは右側に配置される。これにより、この空間の内側にいる人間はどの４辺方向を向いても、左側の音と右側の音に向き合うことになる。また、５チャンネル分すべての音を聞くことになる。なお、上部中央スピーカＵＣを加えて、立体感や連続性を実現するのもダブルヘリカルマトリックスの特徴である。
【０４５３】
図８６はダブルヘリカルマトリックスを一方向に連続して繰り返し配置した場合を示す。図８６のスピーカ配置では、この空間の内側にいる人間は、常に左側の音と右側の音に向き合うことになり、５チャンネル分すべての音を聞くことになる。また、図８７はダブルヘリカルマトリックスを二方向に連続して繰り返し配置した場合を示す。図８７のスピーカ配置では、この空間の内側にいる人間は、常に左側の音と右側の音に向き合うことになり、５チャンネル分すべての音を聞くことになる。さらに、図８８は、左側の音の並びと右側の音の並びに注目して図示したものである。図８８において、左側の音と右側の音は絡み合っており、左側スピーカの並び及び右側スピーカの並びは、それぞれ前面−後面−前面−後面−…を繰り返してらせん状になっている。
【０４５４】
さらに、５チャンネルのサラウンドでダブルヘリカルマトリックスを作る場合、図８９に示すように、上部中央スピーカＵＣをマトリックスの中央上部に設けることが難しければ、図９０に示すように、２個の上部中央スピーカＵＣをそれぞれ、前面左側スピーカＦＬと後面右側スピーカＲＲとの間の中間点の上部、並びに、前面右側スピーカＦＲと後面左側スピーカＲＬとの間の中間点の上部に配置し、同じ音量で流すことにより、中央上部に設けたときと同じ効果を得ることができる。
【０４５５】
次いで、ダブルヘリカルマトリックスを実現するためのハードウェアシステムについて図９１乃至図９３を参照して以下に説明する。図９１において、サラウンド音源再生装置２２１からの信号は、第１のマトリックス単位２３１の各アンプ付きスピーカ２４１乃至２４５の各入力端子Ｔ２１に入力され、それらの各スルー端子Ｔ２２から出力されるスルー信号は第２のマトリックス単位２３２の各アンプ付きスピーカ２５１乃至２５５の各入力端子Ｔ２１に入力される。そして、第２のマトリックス単位２３２の各アンプ付きスピーカ２５１乃至２５５の各スルー端子Ｔ２２から出力されるスルー信号は第３のマトリックス単位２３３の各アンプ付きスピーカ２６１乃至２６５の各入力端子Ｔ２１に入力され、さらに、第３のマトリックス単位２３３の各アンプ付きスピーカ２６１乃至２６５の各スルー端子Ｔ２２から出力される。
【０４５６】
ここで、各マトリックス単位２３１，２３２，２３３はそれぞれ図９２に示すマトリックス単位の５個のアンプ付きスピーカ２４１乃至２６５を備えて構成され、各アンプ付きスピーカ２４１乃至２６５は、入力端子Ｔ２１とスルー端子Ｔ２２を有し、同一の役割を持つ一連のスピーカ（たとえば前面左側スピーカＦＬ同士）をスルー端子Ｔ２２と入力端子Ｔ２１を接続していくことで、同じ音信号を再生する。各アンプ付きスピーカ２４１乃至２６５は、図９３に示すように構成される。すなわち、入力端子Ｔ２１を介して入力される信号は２分岐され、一方の信号は出力バッファアンプ２７４を介してスルー端子Ｔ２２に出力される一方、他方の信号は前置イコライザ２７１及びパワーアンプ２７２を介してスピーカユニット２７３に出力されて再生される。ここで、出力バッファアンプ２７４により入力信号が緩衝増幅されているので、複数のスピーカを連結しても信号が減衰しない。
【０４５７】
以上の図９１の実施例では、１個のサラウンド音源再生装置２２１を用いる場合について説明しているが、本発明はこれに限らず、２個以上のサラウンド音源再生装置２２１を用いてもよい。
【０４５８】
図９４は実施例１１に係るダブルヘリカルマトリックス配位法を用いた第１の応用例であるオフィス空間２８０に配置されたスピーカの配置を示す平面図である。図９４において、オフィス空間２８０において机２８１乃至２８５が配置され、さらに、２行２列の４個のマトリックスを上述のヘリカルマトリックス配位法を用いて、互いに各辺で重なるように２次元で配置している。ここで、たとえば、前面左側スピーカＦＬと前面右側スピーカＦＲと後面左側スピーカＲＬと後面右側スピーカＲＲとを床面から１ｍ〜２ｍの高さに設置し、上部中央スピーカＵＣを３ｍ〜４ｍの高さに設置する。
【０４５９】
図９５は実施例１１に係るダブルヘリカルマトリックス配位法を用いた第２の応用例である商店街に配置されたスピーカの配置を示す平面図である。図９５において、２つの商店群２９１，２９２の間に、直線形状の商店街の歩道２９０がある。この歩道２９０の商店群２９１の辺に沿って、前面左側スピーカＦＬ、後面右側スピーカＲＲ、前面左側スピーカＦＬの順序で配置され、この歩道２９０の商店群２９２の辺に沿って、前面右側スピーカＦＲ、後面左側スピーカＲＬ、前面右側スピーカＦＲの順序で配置されている。すなわち、１行２列の２個のマトリックスを上述のヘリカルマトリックス配位法を用いて、互いに各辺で重なるように１次元で配置している。ここで、たとえば、前面左側スピーカＦＬと前面右側スピーカＦＲと後面左側スピーカＲＬと後面右側スピーカＲＲとを床面から１ｍ〜２ｍの高さに設置し、上部中央スピーカＵＣを３ｍ〜４ｍの高さに設置する。
【実施例１２】
【０４６０】
実施例１２において、フラクタル模様の静止画及び動画の発生及び表示方法について以下に説明する。フラクタル模様は、日本国特許公開平成９年１１４９９２号公報や日本国特許公開平成１１年２６５４３５号公報などにおいて開示された方法を用いて合成することができる。また、主に自然に存在するフラクタル構造を静止画あるいは動画で記録したものを用いて環境設定を行うことができる。ただし、そのフラクタル構造は、フラクタル次元のうちたとえば、詳細後述する容量次元ｆ−ｄｉｍｅｎｓｉｏｎが実質的に２．２以上で３．０未満であり、その大きさが、詳細後述する弁別閾視力ｖ−ａｃｕｉｔｙを超えた細かさをもつ超知覚領域にまでおよぶことを必要条件とする。
【０４６１】
図９６は実施例１２に係る超知覚領域に及ぶ高密度フラクタル刺激を呈示するシステムの構成を示すブロック図である。たとえば外部からの音・光を遮断できる実験室に、図９６に示す呈示機器を設置する。コントローラ３０２は、画像蓄積メディアドライブ装置３０１からあらかじめ画像蓄積メディア（たとえば、光ディスクなど）に蓄積されている容量次元２．２以上の高密度フラクタル画像データを読み出し、高精細プロジェクタ３０３を用いて、視聴者の前面に設置したマットスクリーン３０４に映写する。このとき、たとえば横２０４８ピクセルの高密度フラクタル画像を１６０ｃｍ幅のスクリーンに呈示した像を視聴者が３１０ｃｍの距離から観視した場合、視覚刺激精細度は１．１９と計算され、一般的な視力１．０を上回る超知覚領域におよぶ高密度フラクタル視覚刺激を呈示することが可能となる。また、このとき呈示された視覚刺激が視野にしめる視角は２９度であり、周辺視を含む広範な視野が当該視覚刺激にさらされていたことになる。なお、本発明者らの実験によれば、このシステムを用いた脳波計測実験から、超知覚領域におよぶ高密度フラクタル視覚刺激による環境設定が脳波α波を統計的有意に増強することが示された。
【０４６２】
さらに、弁別閾視力ｖ−ａｃｕｉｔｙの定義及び容量次元ｆ−ｄｉｍｅｎｓｉｏｎの定義について以下に説明する。
【０４６３】
まず、弁別閾視力は、正しくは「最小可読閾」と呼ばれ、次のように定義される。最小可読閾は、文字や図形が判読できたり弁別できる最小の大きさのことを意味する。最小可読閾を計測するために現在広く用いられている視標は、１９０９年の国際眼科学会で定められたランドルト環（Ｌａｎｄｏｌｔ  ｒｉｎｇ又は  Ｌａｎｄｏｌｔ  Ｃ）である。ランドルト環は、図９７に示すように、白地の上に黒色で描かれ、線の太さは、外径の１／５と規定されている。切れ目の方向を言い当てることが課題となり、ようやく言い当てることのできる切れ目の幅の視角の大きさ（単位：分）の逆数を視力の視標として用いる。たとえば、その切れ目の幅が視角１分のとき、視力は１．０、その切れ目の幅が視角１０分のとき、視力は０．１となる。
【０４６４】
ランドルト環を用いた標準的な視力検査法は以下の通りである。通常は、５ｍの距離から片目ずつ測定する。標準視力検査装置の照明は内部照明で光束発散度は５００ｒｌｘ±１５０ｒｌｘとされており、前方からの照明の場合は、準標準として視表面照度４００ｌｘ〜８００ｌｘが定められている。視標を０．１から順に小さい視標へと読ませ、読みうる最小の視標の視力値とする。その判定の基準は、必ず同列の視標を４〜５個見せ、その半数以上を正答できた視力値とする。
【０４６５】
上記において、容量次元ｆ−ｄｉｍｅｎｓｉｏｎをフラクタル次元のうち容量次元を表す変数として用いている。フラクタル次元は構造のフラクタル性を表す尺度の１つであり、容量次元ｆ−ｄｉｍｅｎｓｉｏｎは、次の計算手順で求められる値として定義できる。
【０４６６】
まず、視覚刺激を構成する画面に属する各ピクセルの持つ輝度を計算し、輝度の高低を、画面に対して垂直方向の高低の度合いであるとみなして、３次元構造を仮定する。この３次元構造を、ある大きさを持つ単位立方体を整数個積み上げることで表現した場合、その立方体の大きさ（測度の細かさ）によって、３次元構造の表面部分（３次元構造とまわりの空間との境界）を構成する単位立方体の個数が変化する。この単位立方体の個数が変化する度合いを測度の変化率のべき乗で表現した数値の指数部分が容量次元（フラクタル次元）となる。
【実施例１３】
【０４６７】
実施例１３において、本発明者らは、実験室において、被験者に都市環境音のみを呈示した場合と、都市環境音に熱帯性森林の環境音を付加して呈示した場合とを比較する実験を行った。都市環境音として、東京都中野区の市街地において収録した音を用い、熱帯性森林の環境音として、マレーシア共和国ボルネオ島において収録した音を用いた。呈示時間は４０分間とした。評価項目は、血液中生理活性物質分析による生理学的評価（図９８）、脳波計測による生理学的評価（図９９）、そして質問紙調査による心理学的評価（図１００）とした。
【０４６８】
図９８は、音呈示終了直後に、被験者から血液を採取し、血液中生理活性物質指標を分析した結果を示す。図９８から明らかなように、ガン抑制効果やウィルス感染防止効果を有するＮＫ細胞活性及び免疫グロブリンＧ、免疫グロブリンＡ、免疫グロブリンＭはいずれも、都市環境音のみの場合よりも熱帯性森林環境音を付加した場合の方が上昇し、熱帯性森林環境音付加による免疫活性上昇効果を有することが確認できた。また、アドレナリンはストレスの指標とされており、都市環境音のみの場合よりも、熱帯性森林環境音を付加した場合の方が、受容ストレス強度が低下し、熱帯性森林環境音付加によるストレス緩和効果を有することが確認できた。ここで、ストレスのうち、軽微なストレスは有害ではなく、人体に有効に作用する場合が少なくない。しかしその限度をこえる過剰なストレスは、心身の恒常性を維持する機能（ホメオスタシス）に破綻をきたし、不快感が生じ、健康が害される。本発明では、人間の脳に優しい環境を設定し、すなわち、人間にとって快適で過剰なストレスの無い環境を設定することができる。
【０４６９】
図９９は、音呈示中４０分間の脳波を計測し分析した結果を示す。頭頂部及び後頭部計７電極のα２帯域（１０Ｈｚ−１３Ｈｚ）の平均ポテンシャルを求め、被験者ごとにノーマライズした値を分析に用いた。この指標は脳深部の活性と高い相関関係にあることを見出しており、深部脳活性インデックス（ＤＢＡ  ｉｎｄｅｘ）と名付けている。都市環境音のみの場合よりも熱帯性森林環境音を付加した場合の方が、深部脳活性インデックスが増大することを統計的有意に示すことができた。
【０４７０】
図１００は、質問紙調査法による心理的評価結果を示す。横軸は評価項目、縦軸は評点の平均値を示す。都市環境音に熱帯性森林の環境音を付加することにより、環境の快適性が全般的に高まるとともに、脳機能改善効果、市街地環境に人々を誘引する効果をあらわすことを統計的有意に検出することができた。
【実施例１４】
【０４７１】
実施例１４では、６次元連続マトリックス配位法を用いたスピーカの配置について以下に説明する。
【０４７２】
図１０１は従来技術に係る４チャンネルサラウンドのスピーカ配置を示す斜視図である。図１０１の４チャンネルサラウンドのスピーカ配置を、図１０２に示すように、上方に所定の高さまでもち上げる。そして、前面と後面との間に位置する音のチャンネルを追加し、そのスピーカを中央左側スピーカＣＬ及び中央右側スピーカＣＲとする。なお、これらの中央左側スピーカＣＬ及び中央右側スピーカＣＲを地面からわずか上側の高さに配置する。図１０２のスピーカ配置を本実施例におけるマトリックスという。
【０４７３】
次いで、図１０２のマトリックスを一方向に連続して繰り返し配置させた場合、図１０３のようになる。図１０３では、どのマトリックスにいても左の音は左側、右の音は右側から来るので、音場は正常に形成される。また、前面の音と後面の音が交互に現れる。さらに、前面の音と後面の音との間をつなぐ中央スピーカの音があるため、連続的な空間を感じることができる。
【０４７４】
さらに、図１０２のマトリックスを二方向に連続して繰り返し配置させて場合、図１０４のようになる。図１０４では、どのマトリックスにいても左の音の列と、右の音の列があるので、音場は正常に感じられるように形成される。また、前面の音と後面の音が交互に現れる。さらに、前面の音と後面の音との間をつなぐ中央の音があるため、連続的な空間を感じることができる。
【０４７５】
次いで、図１０１の４チャンネルサラウンドのスピーカ配置に対して、前面と後面との間に位置する音のチャンネルを追加し、そのスピーカを中央左側スピーカＣＬ及び中央右側スピーカＣＲとする。ここで、これらの２個のスピーカＣＬ，ＣＲを上方に配置する。図１０５のスピーカ配置を、実施例１４の変形例に係るマトリックスという。
【０４７６】
そして、図１０５のマトリックスを一方向に連続して繰り返して配置すると、図１０６のようになる。図１０６では、どのマトリックスにいても左の音は左側、右の音は右側から来るので、音場は正常に形成される。また、前面の音と後面の音が交互に現れる。さらに、前面の音と後面の音との間をつなぐ中央の音があるため、連続的な空間を感じることができる。
【０４７７】
さらに、図１０５のマトリックスを二方向に連続して繰り返して配置すると、図１０７のようになる。図１０７では、どのマトリックスにいても左の音の列と、右の音の列があるので、音場は正常に感じられるように形成される。また、前面の音と後面の音が交互に現れる。さらに、前面の音と後面の音との間をつなぐ中央の音があるため、連続的な空間を感じることができる。
【０４７８】
ここで、実施例１１に係るダブルヘリカルマトリックス配位法と、実施例１４に係る６次元連続マトリックス配位法とについて要約すると以下のようになる。
【０４７９】
これら２つのマトリックス配位法を上位概念でまとめて定義すると、「スピーカのマトリックス配位法」とは、サラウンド音場を構成するスピーカ配位法であり、２チャンネル以上の音源を用い、これらを呈示するスピーカ群を、隣接するスピーカ同士が異なるチャンネルの音を呈示するように、ある原則のもとに格子上又は平行線上に連続配置して、任意の広さの空間に展開するスピーカ配位法であると定義できる。
【０４８０】
また、「スピーカのダブルヘリカルマトリックス配位法」は、スピーカのマトリックス配位法のうち、５チャンネル（前方左、前方右、後方左、後方右、上方又は下方）又は６チャンネル（前方左、前方右、後方左、後方右、上方又は下方左、上方又は下方右）の音源を用い、これらを呈示するスピーカ群を、ＤＮＡの二重螺旋（ダブルへリックス）のように左右チャンネルを交互に入れ替えて配置するスピーカ配位法であると定義できる。
【０４８１】
さらに、「スピーカの６次元連続マトリックス配位法」とは、スピーカのマトリックス配位法のうち、６チャンネル（前方左、前方右、後方左、後方右、上方又は下方左、上方又は下方右）の音源を用い、これらを呈示するスピーカ群を、左チャンネル列と右チャンネル列とを交互に連続配置し、それぞれの列のなかで前チャンネルと後チャンネルとを交互に、上（又は下）チャンネルをはさみつつ連続配置するスピーカ配位法であると定義できる。
【実施例１５】
【０４８２】
図１０８は実施例１５に係る超知覚性聴覚情報を含む音響信号を再生するシステムの構成を示すブロック図である。図１０８のシステムを設置して、超知覚性聴覚情報を含む音環境設定を行うこともできる。
【０４８３】
可聴域を超える超高密度の空気振動情報を再生するために次の機器を使用する。すなわち、電子媒体に記録した超知覚性の音源、たとえば熱帯雨林環境音、ガムラン音、ハイパーソニック・オルゴール音、電子音などに含まれる脳基幹部活性化効果の高い可聴域上限を超える超高密度成分を１つ又は複数の混合した音声信号（たとえば光ディスク２１１Ａに書き込んだ信号）を、図８０に図示したプレイヤ２１１で読み出す。次いで、読み出した音声信号を、図８０のＤ／Ａ変換器２１２、ハイチャンネルのみの前置増幅器２１４Ａ、ハイチャンネルのみの電力増幅器２１５Ａ、及びスーパーツィータ２１６を用いて再生する。
【０４８４】
可聴域の聴覚情報を再生するために、上記の超高密度成分とは必ずしも起源を等しくしなくてもよい可聴周波数帯域内の音を記録した音源、たとえば任意のＣＤ（コンパクトディスク）２１１Ｂ（例えば音楽ＣＤ形式を有する）から、ＣＤプレイヤ２１１ａによって可聴域の信号を読み出し、それをＤ／Ａ変換器２１２ａによりアナログ変換する。次いで、ヘッドフォン用電力増幅器２１５Ｂにより電気信号を増幅する。最後に、ヘッドフォン２１５Ｃにより電気信号を可聴域の音に変換して再生する。再生装置はヘッドフォン２１５Ｃではなく、電力増幅器とスピーカとを用いてもよい。また、可聴域の聴覚情報を再生するシステムを複数セット用意して、複数の人が別々の音を聴いてもよい。
【０４８５】
以上によって、可聴域を超える超高密度の空気振動情報を空間全体に再生すると同時に、可聴帯域では従来使われているメディアに収録されている音楽などをヘッドフォン２１５Ｃやスピーカによって限定された人又は空間に再生することによって、本発明の特徴を有する環境を設定することが可能になる。このとき、可聴域では個人がそれぞれ自分の愛好する特定の音楽など任意の聴覚情報を個別に再生し、それを楽しみながら、同時にハイパーソニック・エフェクトによる脳基幹部活性化効果を享受できることが本実施例の特徴である。
【０４８６】
なお、本実施例では、説明を簡単にするため、スーパーツイータ２１６を１台のみ記述したが、複数台あってもよい。
【産業上の利用可能性】
【０４８７】
以上の実施形態及び実施例によれば、本発明に係る環境設定方法及び装置並びに環境設定のための情報によれば、熱帯雨林型環境情報に対する人間の脳基幹部の活性化特性に基づいて熱帯雨林型環境を設定する手段を、都市空間と居住空間と生活空間とのうちの少なくとも１つを含む所定の空間に配置することにより、当該空間を実質的に熱帯雨林型環境に設定し、人間の脳基幹部を活性化して人間の脳に優しい環境を実現する。ここで、上記熱帯雨林型環境情報は、都市空間型環境情報に比較して高い密度を有しかつ高い複雑性を有し、上記熱帯雨林型環境情報は、上述したような、ハイパーソニック効果を得ることができる超高周波の音などの聴覚情報と、視覚情報と、空気振動の超知覚情報のうちの少なくとも１つを含む。また、上記人間の脳に優しい環境は、人間にとって快適で過剰なストレスの無い環境である。さらに、上記熱帯雨林型環境情報は、人間の脳に優しい環境を実現することにより、ストレスに起因する病気の予防と治療に有効に機能させるための環境情報である。それ故、従来技術に比較して、都市空間と居住空間と生活空間とを含む空間を人間にとってより快適な環境に実現することができる。これにより、当該空間において人間へのストレスを大幅に解消させることができ、こころの快適性をさらに高めることができ、からだの健康を良好に維持することができる。また、上記熱帯雨林型環境情報は、人間の脳に優しい環境を実現することにより、ストレスに起因する現代病などの病気の予防と治療に有効に機能させるための環境情報であり、現代病などの病気の予防と治療を行うことができる。
【０４８８】
上述したように、人類の祖先は、１３００万年前にオランウータンから分岐したのち、ひたすらアフリカの熱帯雨林環境で進化を遂げた。この熱帯雨林の環境は、上述の音や光の情報について都市環境と比較すると、はるかに高密度でより高い複雑性を有しかつ変動に富んだものであり、人間の遺伝子に約束された本来の環境は熱帯雨林環境である考えられる。現在の都市は、人間本来の環境と対極にある低密度で単調な環境を作り上げてきた。生活習慣病などの現代病の多くは、人間本来の環境と都市環境との大きなギャップに起因するものと考えられる。これら問題点を解決し、現代病の予防と治療のために、本発明は、都市空間と居住空間と生活空間とのうちの少なくとも１つを含む所定の空間を熱帯雨林環境と実質的に同等である熱帯雨林型環境に形成して変換するための手段を提供するものである。
【図面の簡単な説明】
【０４８９】
【図１】ガムラン音楽ガンバン・クタのパワースペクトルを示す図であって全曲（２００秒間）の平均ＦＦＴスペクトルのスペクトル図である。
【図２】図１の全曲をＭＥスペクトルアレイでみた経時変化を示すスペクトル図である。
【図３】図１の曲に関して被験者の位置での可聴域再生音のスペクトル図である。
【図４】図１の曲に関して被験者の位置での超高域再生音のスペクトル図である。
【図５】ハイパーソニックエフェクト超高周波を含むハイパーソニックサウンドの導く生理、心理、行動反応を示す図であって、超高周波を含むハイパーソニックサウンドは時差を伴って脳波α波を増強させることを示す図である。
【図６】ハイパーソニックサウンドは脳基幹部ネットワークを活性化することを示す図である。
【図７】脳基幹部活性と脳波α波活性とは連関することを示す図である。
【図８】ハイパーソニックサウンドは美しく快く聴こえることを示す図である。
【図９】ハイパーソニックサウンドは大きな音量で聴かれ脳波α波活性を高めることを示す図である。
【図１０】（ａ）はハイパーソニックサウンドを聴くと免疫活性・対ストレス活性が高まることを示す図であってＮＫ細胞活性の相対値を示すグラフであり、（ｂ）は図１０（ａ）のハイパーソニックサウンド等による免疫グロブリンＡの絶対値を示すグラフであり、（ｃ）は図１０（ａ）のハイパーソニックサウンド等によるクロモグラニンＡの絶対値を示すグラフであり、（ｄ）は図１０（ａ）のハイパーソニックサウンド等によるアドレナリンの絶対値を示すグラフである。
【図１１】バリ島の神秘的奉納劇“チャロナラン”演者の意識変容（トランス）と生理変化を示す図であり、付随音楽テクテカン音の豊富な超高周波成分を示すスペクトル図である。
【図１２】（ａ）は図１１の演者の血液中の神経活性物質濃度のうちノルアドレナリンの濃度変化を示すグラフであり、（ｂ）は図１１の演者の血液中の神経活性物質濃度のうちドーパミンの濃度変化を示すグラフであり、（ｃ）は図１１の演者の血液中の神経活性物質濃度のうちβエンドルフィンの濃度変化を示すグラフである。
【図１３】（ａ）は図１１の演者のうちトランスした人の脳波パワーの変化を示すグラフであり、（ｂ）は図１１の演者のうちトランスしなかった人の脳波パワーの変化を示すグラフである。
【図１４】（ａ）はＬＰというメディアの高度な活性を示す図であって、芸能山城組「輪廻交響楽」第２楽章「散華」から“心経陀羅尼”全曲８４秒間の平均値スペクトルについて、カートリッジがサウンドスペクトルを変えることを示すＤＥＮＯＮ＿ＤＬ−１０３によるスペクトル図であり、（ｂ）は図１４（ａ）の平均値スペクトルについてＤＥＮＯＮ＿ＤＬ−１０００によるスペクトル図であり、（ｃ）は図１４（ａ）の平均値スペクトルについてＳＡＴＩＮ＿Ｍ−２１Ｐによるスペクトル図である。
【図１５】（ａ）はＬＰというメディアの高度な活性を示す図であって、芸能山城組「輪廻交響楽」第２楽章「散華」から“金剛明咒”の一部のスペクトルについて、ＬＰの１００ｋＨｚを超える録音・再生能を示すＣＤ再生時のスペクトル図であり、（ｂ）は図１５（ａ）のスペクトルについてＬＰ再生時のスペクトル図である。
【図１６】超高周波を含むＬＰ再生音はＣＤ再生音よりも心身にやさしいことを示す図であって、実験に用いた音の周波数パワースペクトルを示すスペクトル図である。
【図１７】図１６の音を用いたときに超高周波を含むＬＰ再生音は脳波α波を増強することを示す脳波α波の発生位置を示す断面図である。
【図１８】図１６の音を用いたときに超高周波を含むＬＰ再生音は美しく快くひびくことを示す測定結果を示す図である。
【図１９】二次元知覚モデルとその能領域間機能連関は仮説を理論に転じることを示す図であって、二次元知覚モデルは生理・心理・行動の連携制御モデルを支持することを示す図である。
【図２０】二次元知覚モデルとその能領域間機能連関は仮説を理論に転じることを示す図であって、生理・心理・行動の連携制御モデルは現生人類の熱帯雨林本来モデルを裏付けることを示す図である。
【図２１】脳にやさしい音環境デザインの応用例を示す図であって、リラクゼーション環境シミュレータ“スタジオα”を示す写真である。
【図２２】脳にやさしい音環境デザインの応用例を示す図であって、国際花と緑の博覧会（ＥＸＰＯ’９０）野外パヴィリオン・水のオブジェ“アレフ”を示す写真である。
【図２３】脳にやさしい音環境デザインの応用例を示す図であって、ＥＸＰＯ’９０祝祭性大規模野外劇・ランドスケープオペラ“ガイア”を示す写真である。
【図２４】脳にやさしい音環境デザインの応用例を示す図であって、メディア・アート『ウィアンタ・ヒーリング』視聴過程での脳基幹部活性の高まりを反映する脳波αの推移を示す図である。
【図２５】脳にやさしい音環境デザインの応用例を示す図であって、ソニー・メディアージュ・アトリウムの音環境を示すスペクトル図である。
【図２６】脳にやさしい音環境デザインの応用例を示す図であって、ハイパーソニック・オルゴールを示す写真である。
【図２７】脳にやさしい音環境デザインの多様な拡がりを示す表である。
【図２８】ビデオ画像を見ながら音を高密度化すると脳活性が高まり画像密度をより上げると脳活性がさらに高まることを示すグラフである。
【図２９】ハイパーソニックオーディオシステムを用いた行動評価のためのシステムのブロック図である。
【図３０】音材料のパワースペクトルであって、ＦＲＳ（フルレンジサウンド）のスペクトル図である。
【図３１】図３０の音材料のパワースペクトルであって、ＨＣＳ（ハイカットサウンド）のスペクトル図である。
【図３２】実施例１の実験手順を示すタイミングチャートである。
【図３３】実施例１の実験結果であって、ＦＲＳ及びＨＣＳにおける平均化聴取レベルを示すグラフである。
【図３４】実施例２の実験結果であって、プロセス３におけるＦＲＳ及びＨＣＳにおける平均化聴取レベルを示すグラフである。
【図３５】実施例２に係る音提示システムを示すブロック図である。
【図３６】実施例２におけるボリュームの遠隔操作を示す写真である。
【図３７】実施例２におけるスピーカシステムの再生周波数特性を示すグラフである。
【図３８】実施例２において被験者位置で計測した呈示試料の周波数特性を示すグラフである。
【図３９】実施例２における行動学的評価実験の手順を示すタイミングチャートである。
【図４０】実施例２における心理学的評価実験の手順を示すタイミングチャートである。
【図４１】実施例２における脳波計測システムのブロック図である。
【図４２】実施例２における生理学的評価実験の手順を示すタイミングチャートである。
【図４３】実施例２における行動学的評価実験の結果であって、呈示条件ごとの聴取音量の時間的推移を示すグラフである。
【図４４】実施例２における行動学的評価実験の結果であって、聴取の試行で設定された聴取音量の呈示条件別平均値を示すグラフである。
【図４５】実施例２における心理学的評価実験の結果（１）を示す図である。
【図４６】実施例２における心理学的評価実験の結果（２）であって、評価尺度毎の統計検定の結果一覧を示す図である。
【図４７】実施例２における生理学的評価実験の結果であって、脳波α波ポテンシャルの呈示条件別平均値を示すグラフである。
【図４８】実施例３の実験システムのブロック図である。
【図４９】実施例３の実験結果であって、呈示試料のパワースペクトルを示す図である。
【図５０】実施例３における実験の手続きを示すタイミングチャートである。
【図５１】実施例３における行動実験の結果１であって、聴取音量の呈示条件別平均値の時間推移を示すグラフである。
【図５２】実施例３における行動実験の結果２であって、最終的に調整された最適聴取音量の呈示条件別平均値を示すグラフである。
【図５３】実施例３における心理実験の結果であって、呈示条件ごとの平均嗜好度を示す図である。
【図５４】実施例３における生理実験の結果であって、音呈示後半９０秒の脳波α波ポテンシャルの呈示条件別平均値を示すグラフである。
【図５５】実施例４における第１ブロックの評価結果を示すグラフである。
【図５６】実施例４における第２ブロックの評価結果を示すグラフである。
【図５７】実施例５における血液中生理活性指標測定値（被験者内ノーマライズ値）の平均値を示す表である。
【図５８】実施例６における各条件における脳血流変化部位を示す表である。
【図５９】実施例６における可聴域成分の単独呈示時に暗騒音条件と比較して血流現象を示した部位を示す写真である。
【図６０】（ａ）は実施例６における主成分分析によって描出された神経機能ネットワークであって、その第１の主成分のうちのサジタル面を示す断面写真であり、（ｂ）は図６０（ａ）の第１の主成分のうちのコロナル面を示す断面写真であり、（ｃ）は図６０（ａ）の第１の主成分のうちのトランスバース面を示す断面写真である。
【図６１】（ａ）は実施例６における主成分分析によって描出された神経機能ネットワークであって、その第２の主成分のうちのサジタル面を示す断面写真であり、（ｂ）は図６０（ａ）の第２の主成分のうちのコロナル面を示す断面写真であり、（ｃ）は図６０（ａ）の第２の主成分のうちのトランスバース面を示す断面写真である。
【図６２】実施例７におけるＣＢＦにおける有意な変化を示す領域を示す表である。
【図６３】実施例７においてハイパーソニックエフェクトの発生を促進する神経ネットワークを示す断面写真である。
【図６４】実施例７における生物活性物質の平均値を示す表である。
【図６５】実施例８において発明者らによって測定されたマレーシア共和国ボルネオ島の熱帯雨林環境音のＦＦＴスペクトルを示す図である。
【図６６】実施例８において発明者らによって測定されたインドネシア共和国ジャワ島の熱帯雨林環境音のＦＦＴスペクトルを示す図である。
【図６７】実施例８において発明者らによって測定されたモンゴル高原の小川のせせらぎの環境音のＦＦＴスペクトルを示す図である。
【図６８】実施例８において発明者らによって測定された日本国東京都中野区の市街地の環境音のＦＦＴスペクトルを示す図である。
【図６９】実施例８において発明者らによって測定されたマレーシア共和国ボルネオ島の熱帯雨林環境音のＭＥスペクトルアレイを示す図である。
【図７０】実施例８において発明者らによって測定されたインドネシア共和国ジャワ島の熱帯雨林環境音のＭＥスペクトルアレイを示す図である。
【図７１】実施例８において発明者らによって測定されたモンゴル高原の小川のせせらぎの環境音のＭＥスペクトルアレイを示す図である。
【図７２】実施例８において発明者らによって測定された日本国東京都中野区の市街地の静寂な屋内音のＭＥスペクトルアレイを示す図である。
【図７３】実施例８において発明者らによって測定された日本国東京都中野区の市街地の屋外の騒音のＭＥスペクトルアレイを示す図である。
【図７４】本発明における超知覚情報と専知覚情報との相違点の表を示す図である。
【図７５】実施例９に係る超知覚性聴覚情報を収録するシステムの一例を示すブロック図である。
【図７６】図７５のシステムで用いるマイクロフォン２０１の周波数特性を示すグラフである。
【図７７】図７５のシステムで用いるプリエンファシス回路２０３の構成を示す回路図である。
【図７８】図７７のプリエンファシス回路２０３の周波数特性を示すグラフである。
【図７９】図７７のプリエンファシス回路２０３の位相特性を示すグラフである。
【図８０】実施例１０に係る超知覚性聴覚情報を再生するシステムの一例を示すブロック図である。
【図８１】図８０のシステムで用いるディエンファシス回路２１３の構成を示す回路図である。
【図８２】図８１のディエンファシス回路２１３の周波数特性を示すグラフである。
【図８３】図８１のディエンファシス回路２１３の位相特性を示すグラフである。
【図８４】従来技術に係る４チャンネルサラウンドのスピーカ配置を示す斜視図である。
【図８５】実施例１１に係るダブルヘリカルマトリックス配位法を用いて配置されたダブルヘリカルマトリックスのスピーカ配置を示す斜視図である。
【図８６】実施例１１に係るダブルヘリカルマトリックス配位法を用いてダブルヘリカルマトリックスを一方向に連続的に繰り返し配置したときのスピーカ配置を示す斜視図である。
【図８７】実施例１１に係るダブルヘリカルマトリックス配位法を用いてダブルヘリカルマトリックスを二方向に連続的に繰り返し配置したときのスピーカ配置を示す斜視図である。
【図８８】図８７のシステムにおいて左側スピーカと右側スピーカの並置に注目して図示したスピーカ配置を示す平面図である。
【図８９】実施例１１に係るダブルヘリカルマトリックスのスピーカ配置を示す斜視図である。
【図９０】図８９のダブルヘリカルマトリックスのスピーカ配置において２個の上部中央スピーカＵＣを設けたときのスピーカ配置を示す斜視図である。
【図９１】実施例１１に係るダブルヘリカルマトリックス配位法を用いて複数のスピーカを駆動するときの電気的回路を示すブロック図である。
【図９２】実施例１１に係るダブルヘリカルマトリックス配位法を用いたスピーカの基本配置であるマトリックス単位を示す斜視図である。
【図９３】図９１のアンプ付きスピーカ２４１乃至２６５の構成を示すブロック図である。
【図９４】実施例１１に係るダブルヘリカルマトリックス配位法を用いた第１の応用例であるオフィス空間２８０に配置されたスピーカの配置を示す平面図である。
【図９５】実施例１１に係るダブルヘリカルマトリックス配位法を用いた第２の応用例である商店街に配置されたスピーカの配置を示す平面図である。
【図９６】実施例１２に係る超知覚領域に及ぶ高密度フラクタル刺激を呈示するシステムの構成を示すブロック図である。
【図９７】実施例１２における定義で用いるランドルト環視標を示す正面図である。
【図９８】実施例１３において発明者らによって測定された、森の音の付加による生理活性物質の変化を示すグラフである。
【図９９】実施例１３において発明者らによって測定された、森の音の付加による脳波α波の活性化を示すグラフである。
【図１００】実施例１３において発明者らによって測定された、森の音の付加による音環境の印象改善を示すグラフである。
【図１０１】従来技術に係る４チャンネルサラウンドのスピーカ配置を示す斜視図である。
【図１０２】実施例１４に係る６次元連続マトリックス配位法を用いて配置されたマトリックスのスピーカ配置を示す斜視図である。
【図１０３】実施例１４に係る６次元連続マトリックス配位法を用いてマトリックスを一方向に連続的に繰り返し配置したときのスピーカ配置を示す斜視図である。
【図１０４】実施例１４に係る６次元連続マトリックス配位法を用いてマトリックスを二方向に連続的に繰り返し配置したときのスピーカ配置を示す斜視図である。
【図１０５】図１０１のシステムにおいて２個のスピーカＣＬ，ＣＲを追加したスピーカ配置を示す平面図である。
【図１０６】図１０５のマトリックスを一方向に連続的に繰り返し配置したときのスピーカ配置を示す斜視図である。
【図１０７】図１０５のマトリックスを二方向に連続的に繰り返し配置したときのスピーカ配置を示す斜視図である。
【図１０８】実施例１５に係る超知覚性聴覚情報を含む音響信号を再生するシステムの構成を示すブロック図である。
【符号の説明】
【０４９０】
１０１…信号ディスク、
１０２…ハイパーソニックＳＡＣＤプレーヤ、
１０３…フェーダ、
１０４…前置増幅器、
１０５…デエンファシスコントロール回路、
１０６，１１１…ハイチャンネル、
１０７，１１２…ローチャンネル、
１０８…ハイパスフィルタ、
１０９…ローパスフィルタ、
１１０…電力増幅器、
１１３…スーパーツィター、
１１４…オオハシモニター、
１１５…対象者、
１１６…リモートコントローラ、
１２０…再生システム、
１５１…解析プログラム、
１５２…フィルタ、
１５３…パーソナルコンピュータ、
１５４…受信機、
１５５…アンテナ、
２０１…マイクロフォン、
２０２…増幅器、
２０３…プリエンファシス回路、
２０４…Ａ／Ｄ変換器、
２０５…レコーダ、
２１１…プレイヤ、
２１１ａ…ＣＤプレイヤ、
２１１Ａ…光ディスク、
２１１Ｂ…ＣＤ、
２１２，２１２ａ…Ｄ／Ａ変換器、
２１３…ディエンファシス回路、
２１４，２１４Ａ…前置増幅器、
２１５，２１５Ａ…電力増幅器、
２１５Ｂ…増幅器、
２１５Ｃ…ヘッドフォン、
２１６…スーパーツィータ、
２１７…ツィータ、
２１８…ウーファ、
２２１…サラウンド音源再生装置、
２３１…第１のマトリックス単位、
２３２…第２のマトリックス単位、
２３３…第３のマトリックス単位、
２４１乃至２４５，２５１乃至２５５，２６１乃至２６５…アンプ付きスピーカ、
２７１…前置イコライザ、
２７２…パワーアンプ、
２７３…スピーカユニット、
２７４…出力バッファアンプ、
２８０…オフィス空間、
２８１乃至２８５…机、
２９０…商店街の歩道、
２９１，２９２…商店群、
３０１…画像蓄積メディアドライブ装置、
３０２…コントローラ、
３０３…プロジェクタ、
３０４…スクリーン、
ＣＬ…中央左側スピーカ、
ＣＲ…中央右側スピーカ、
ＦＬ…前面左側スピーカ、
ＦＲ…前面右側スピーカ、
ＲＬ…後面左側スピーカ、
ＲＲ…後面右側スピーカ、
ＵＣ…上部中央スピーカ、
ＯＰＡ１，ＯＰＡ２，ＯＰＡ１１，ＯＰＡ１２…オペアンプ、
Ｔ１，Ｔ１１…入力端子、
Ｔ２，Ｔ１２…出力端子、
Ｔ２１…入力端子、
Ｔ２２…スルー端子。
【図１】
0004101220.tif 000002
【図２】
0004101220.tif 000003
【図３】
0004101220.tif 000004
【図４】
0004101220.tif 000005
【図５】
0004101220.tif 000006
【図７】
0004101220.tif 000007
【図８】
0004101220.tif 000008
【図９】
0004101220.tif 000009
【図１０】
0004101220.tif 000010
【図１１】
0004101220.tif 000011
【図１２】
0004101220.tif 000012
【図１３】
0004101220.tif 000013
【図１４】
0004101220.tif 000014
【図１５】
0004101220.tif 000015
【図１６】
0004101220.tif 000016
【図１７】
0004101220.tif 000017
【図１８】
0004101220.tif 000018
【図１９】
0004101220.tif 000019
【図２０】
0004101220.tif 000020
【図２４】
0004101220.tif 000021
【図２５】
0004101220.tif 000022
【図２７】
0004101220.tif 000023
【図２８】
0004101220.tif 000024
【図２９】
0004101220.tif 000025
【図３０】
0004101220.tif 000026
【図３１】
0004101220.tif 000027
【図３２】
0004101220.tif 000028
【図３３】
0004101220.tif 000029
【図３４】
0004101220.tif 000030
【図３５】
0004101220.tif 000031
【図３７】
0004101220.tif 000032
【図３８】
0004101220.tif 000033
【図３９】
0004101220.tif 000034
【図４０】
0004101220.tif 000035
【図４１】
0004101220.tif 000036
【図４２】
0004101220.tif 000037
【図４３】
0004101220.tif 000038
【図４４】
0004101220.tif 000039
【図４５】
0004101220.tif 000040
【図４６】
0004101220.tif 000041
【図４７】
0004101220.tif 000042
【図４８】
0004101220.tif 000043
【図４９】
0004101220.tif 000044
【図５０】
0004101220.tif 000045
【図５１】
0004101220.tif 000046
【図５２】
0004101220.tif 000047
【図５３】
0004101220.tif 000048
【図５４】
0004101220.tif 000049
【図５５】
0004101220.tif 000050
【図５６】
0004101220.tif 000051
【図５７】
0004101220.tif 000052
【図５８】
0004101220.tif 000053
【図６０】
0004101220.tif 000054
【図６１】
0004101220.tif 000055
【図６２】
0004101220.tif 000056
【図６４】
0004101220.tif 000057
【図６５】
0004101220.tif 000058
【図６６】
0004101220.tif 000059
【図６７】
0004101220.tif 000060
【図６８】
0004101220.tif 000061
【図６９】
0004101220.tif 000062
【図７０】
0004101220.tif 000063
【図７１】
0004101220.tif 000064
【図７２】
0004101220.tif 000065
【図７３】
0004101220.tif 000066
【図７４】
0004101220.tif 000067
【図７５】
0004101220.tif 000068
【図７６】
0004101220.tif 000069
【図７７】
0004101220.tif 000070
【図７８】
0004101220.tif 000071
【図７９】
0004101220.tif 000072
【図８０】
0004101220.tif 000073
【図８１】
0004101220.tif 000074
【図８２】
0004101220.tif 000075
【図８３】
0004101220.tif 000076
【図８４】
0004101220.tif 000077
【図８５】
0004101220.tif 000078
【図８６】
0004101220.tif 000079
【図８７】
0004101220.tif 000080
【図８８】
0004101220.tif 000081
【図８９】
0004101220.tif 000082
【図９０】
0004101220.tif 000083
【図９１】
0004101220.tif 000084
【図９２】
0004101220.tif 000085
【図９３】
0004101220.tif 000086
【図９４】
0004101220.tif 000087
【図９５】
0004101220.tif 000088
【図９６】
0004101220.tif 000089
【図９７】
0004101220.tif 000090
【図９８】
0004101220.tif 000091
【図９９】
0004101220.tif 000092
【図１００】
0004101220.tif 000093
【図１０１】
0004101220.tif 000094
【図１０２】
0004101220.tif 000095
【図１０３】
0004101220.tif 000096
【図１０４】
0004101220.tif 000097
【図１０５】
0004101220.tif 000098
【図１０６】
0004101220.tif 000099
【図１０７】
0004101220.tif 000100
【図１０８】
0004101220.tif 000101
【図６】
0004101220.tif 000102
【図２１】
0004101220.tif 000103
【図２２】
0004101220.tif 000104
【図２３】
0004101220.tif 000105
【図２６】
0004101220.tif 000106
【図３６】
0004101220.tif 000107
【図５９】
0004101220.tif 000108
【図６３】
0004101220.tif 000109